(57)【要約】  同期信号（ＳＳ）とブロードキャストチャネル送信とがその中で送信され得る同期信号ブロックを提供する、ワイヤレス通信のための方法、システム、およびデバイスについて説明される。ブロードキャストチャネル送信は、ＳＳ送信、基準信号送信、またはそれらの組合せを使用して復調され得る。ブロードキャストチャネル送信はＳＳブロック時間リソースのサブセット中で送信され得、同期信号はＳＳブロック時間リソースの別のサブセット中で送信され得る。基準信号は、ブロードキャストチャネル時間リソース内のトーンを使用して送信され得、ＳＳ送信帯域幅の外部にあるブロードキャストチャネル送信帯域幅の部分についてより高い密度で送信され得る。基準信号送信の波形と、基準信号送信によって提供される情報とが提供され得る。
2020517163.tif 000002
【特許請求の範囲】
【請求項１】
同期信号送信のためのワイヤレスリソースの第１のセットとブロードキャストチャネル送信のためのワイヤレスリソースの第２のセットとを識別することと、ワイヤレスリソースの前記第２のセットが、時間リソースの第１のサブセットと時間リソースの第２のサブセットとを備える、
時間リソースの前記第１のサブセットと時間リソースの前記第２のサブセットとの内で基準信号リソースのロケーションを識別することと、
前記基準信号リソースを介して基準信号送信を受信することと、
前記基準信号リソースの前記ロケーションに少なくとも部分的に基づいて前記基準信号送信の波形を決定することと、
前記受信された基準信号送信と前記基準信号送信の前記決定された波形とに少なくとも部分的に基づいてチャネル推定を実施することと
を備える、ワイヤレス通信のための方法。
【請求項２】
時間リソースの前記第１のサブセットと時間リソースの前記第２のサブセットとの各々の前記基準信号リソースが、同じ数の周波数トーンを占有する、請求項１に記載の方法。
【請求項３】
時間リソースの前記第１のサブセットと時間リソースの前記第２のサブセットとの各々が、同じ基準信号波形を有する、請求項２に記載の方法。
【請求項４】
時間リソースの前記第１のサブセットが、トーンの第１のサブセットとトーンの第２のサブセットとの中に基準信号リソースを含み、
時間リソースの前記第２のサブセットが、トーンの前記第１のサブセットとトーンの第３のサブセットとの中に基準信号リソースを含む、
請求項１に記載の方法。
【請求項５】
時間リソースの前記第１のサブセットと時間リソースの前記第２のサブセットとの中のトーンの前記第１のサブセットが、同じ基準信号波形を有し、
時間リソースの前記第１のサブセット中のトーンの前記第２のサブセットと、時間リソースの前記第２のサブセット中のトーンの前記第３のサブセットとが、異なる基準信号波形を有する、
請求項４に記載の方法。
【請求項６】
時間リソースの前記第１のサブセットと時間リソースの前記第２のサブセットとが、異なる基準信号波形を有する、請求項１に記載の方法。
【請求項７】
時間リソースの前記第１のサブセットと時間リソースの前記第２のサブセットとが、基準信号シーケンスの異なる部分を有する、請求項６に記載の方法。
【請求項８】
ワイヤレスリソースの前記第２のセットが物理ブロードキャストチャネル（ＰＢＣＨ）リソースを備え、ワイヤレスリソースの前記第１のセットが同期信号リソースを備える、請求項１に記載の方法。
【請求項９】
前記ＰＢＣＨリソースが、時間リソースの第１のシンボルと時間リソースの第３のシンボルとを備え、
前記同期信号リソースが、時間リソースの第２のシンボルと時間リソースの第４のシンボルとを備える、時間リソースの前記第２のシンボルが、時間リソースの前記第１のシンボルと時間リソースの前記第３のシンボルとの間に位置し、時間リソースの前記第４のシンボルが、時間リソースの前記第２のシンボルの後に位置する、
請求項８に記載の方法。
【請求項１０】
時間リソースの前記第２のシンボルが２次同期信号の送信のためであり、時間リソースの前記第４のシンボルが１次同期信号の送信のためである、請求項９に記載の方法。
【請求項１１】
前記基準信号送信が復調基準信号（ＤＭＲＳ）送信を備える、請求項１に記載の方法。
【請求項１２】
ワイヤレスリソースの前記第１のセットが、第１の帯域幅にわたる周波数リソースの第１のセットを備え、ワイヤレスリソースの前記第２のセットが、前記第１の帯域幅よりも大きい第２の帯域幅にわたり前記第１の帯域幅の少なくとも一部分と重複する周波数リソースの第２のセットを備え、前記方法が、
周波数リソースの前記第２のセットにわたって非一様に分配された前記基準信号リソースを識別すること
をさらに備える、請求項１に記載の方法。
【請求項１３】
前記基準信号リソースが、時間リソースの前記第１のサブセットと時間リソースの前記第２のサブセットとにわたって非一様に分配されるか、時間リソースの前記第１のサブセット内の前記基準信号リソースが、時間リソースの前記第２のサブセット内の基準信号リソースの少なくとも一部分とは異なる周波数リソースを占有するか、またはそれらの任意の組合せの、請求項１に記載の方法。
【請求項１４】
前記受信された基準信号送信に少なくとも部分的に基づいて送信機識別、タイミング情報、または同期信号送信構成のうちの１つまたは複数を決定すること
をさらに備える、請求項１に記載の方法。
【請求項１５】
同期信号送信のためのワイヤレスリソースの第１のセットとブロードキャストチャネル送信のためのワイヤレスリソースの第２のセットとを識別することと、ワイヤレスリソースの前記第１のセットが、第１の帯域幅にわたる周波数リソースの第１のセットを備え、ワイヤレスリソースの前記第２のセットが、前記第１の帯域幅の少なくとも一部分と重複する第２の帯域幅にわたる周波数リソースの第２のセットを備える、
前記第１の帯域幅に対するワイヤレスリソースの前記第２のセット内の時間リソースロケーションまたはワイヤレスリソースの前記第２のセット内の周波数リソースロケーションのうちの１つまたは複数に少なくとも部分的に基づいて、ワイヤレスリソースの前記第２のセット内で基準信号リソースのロケーションを識別することと、
前記基準信号リソースを使用して基準信号送信を受信することと
を備える、ワイヤレス通信のための方法。
【請求項１６】
前記第２の帯域幅が前記第１の帯域幅よりも大きい、請求項１５に記載の方法。
【請求項１７】
前記基準信号リソースのロケーションを前記識別することが、
周波数リソースの前記第２のセットにわたって非一様に分配された基準信号リソースを識別すること
を備える、請求項１５に記載の方法。
【請求項１８】
周波数リソースの前記第２のセットが、前記第１の帯域幅と重複している周波数リソースの第１のサブセットと、前記第１の帯域幅と重複していない周波数リソースの第２のサブセットとを備え、
周波数リソースの前記第２のサブセットが、周波数リソースの前記第１のサブセットよりも基準信号リソースの高い密度を有する、
請求項１７に記載の方法。
【請求項１９】
周波数リソースの前記第１のサブセットは基準信号リソースがない、請求項１８に記載の方法。
【請求項２０】
ワイヤレスリソースの前記第２のセットが、時間リソースの第１のサブセットと時間リソースの第２のサブセットとを備え、
前記基準信号リソースが、時間リソースの前記第１のサブセットと時間リソースの前記第２のサブセットとにわたって非一様に分配される、
請求項１５に記載の方法。
【請求項２１】
ワイヤレスリソースの前記第２のセットが、時間リソースの第１のサブセットと時間リソースの第２のサブセットとを備え、
時間リソースの前記第１のサブセット内の前記基準信号リソースが、時間リソースの前記第２のサブセット内の基準信号リソースの少なくとも一部分とは異なる周波数リソースを占有する、
請求項１５に記載の方法。
【請求項２２】
ワイヤレスリソースの前記第２のセットが、時間リソースの第１のサブセットと時間リソースの第２のサブセットとを備え、
時間リソースの前記第１のサブセットと時間リソースの前記第２のサブセットとの内の前記基準信号リソースの少なくとも一部分が、共通の周波数トーンを占有する、
請求項１５に記載の方法。
【請求項２３】
ワイヤレスリソースの前記第２のセットが物理ブロードキャストチャネル（ＰＢＣＨ）リソースを備え、ワイヤレスリソースの前記第１のセットが同期信号リソースを備える、請求項１５に記載の方法。
【請求項２４】
前記ＰＢＣＨリソースが、時間リソースの第１のシンボルと時間リソースの第３のシンボルとを備え、
前記同期信号リソースが、時間リソースの第２のシンボルと時間リソースの第４のシンボルとを備える、時間リソースの前記第２のシンボルが、時間リソースの前記第１のシンボルと時間リソースの前記第３のシンボルとの間に位置し、時間リソースの前記第４のシンボルが、時間リソースの前記第２のシンボルの後に位置する、
請求項２３に記載の方法。
【請求項２５】
時間リソースの前記第２のシンボルが２次同期信号の送信のためであり、時間リソースの前記第４のシンボルが１次同期信号の送信のためである、請求項２４に記載の方法。
【請求項２６】
前記基準信号送信が復調基準信号（ＤＭＲＳ）送信を備える、請求項１５に記載の方法。
【請求項２７】
ワイヤレスリソースの前記第２のセットが、時間リソースの第１のサブセットと時間リソースの第２のサブセットとを備え、前記方法が、
時間リソースの前記第１のサブセットと時間リソースの前記第２のサブセットとの内で基準信号リソースのロケーションを識別することと、
前記基準信号リソースの前記ロケーションに少なくとも部分的に基づいて前記基準信号送信の波形を決定することと、
前記受信された基準信号送信と前記基準信号送信の前記決定された波形とに少なくとも部分的に基づいてチャネル推定を実施することと
をさらに備える、請求項１５に記載の方法。
【請求項２８】
前記受信された基準信号送信に少なくとも部分的に基づいて送信機識別、タイミング情報、または同期信号送信構成のうちの１つまたは複数を決定すること
をさらに備える、請求項１５に記載の方法。
【請求項２９】
同期信号送信のためのワイヤレスリソースの第１のセットと、ブロードキャストチャネル送信のためのワイヤレスリソースの第２のセットとを識別することと、
ワイヤレスリソースの前記第２のセット内で基準信号リソースのロケーションを識別することと、
前記基準信号リソースを介して基準信号送信を受信することと、
前記受信された基準信号送信に少なくとも部分的に基づいて送信機識別、タイミング情報、または同期信号送信構成のうちの１つまたは複数を決定すること
を備える、ワイヤレス通信のための方法。
【請求項３０】
前記決定することが、
前記基準信号送信の基準信号シーケンスに少なくとも部分的に基づいて基地局のセル識別を決定すること
を備える、請求項２９に記載の方法。
【請求項３１】
ワイヤレスリソースの前記第１のセットを介して同期信号送信を受信することと、
前記同期信号送信に少なくとも部分的に基づいて基地局のセル識別を決定することと、およびここにおいて、前記基準信号送信を前記受信することが、前記基地局の前記セル識別に少なくとも部分的に基づく、
をさらに備える、請求項２９に記載の方法。
【請求項３２】
前記決定することが、
前記基準信号送信の基準信号シーケンスに少なくとも部分的に基づいて同期信号バーストセット内の同期信号バーストインデックスに関係する情報を決定すること
を備える、請求項２９に記載の方法。
【請求項３３】
前記決定することが、
前記基準信号送信の基準信号シーケンスに少なくとも部分的に基づいて同期信号バースト内の同期信号ブロックインデックスに関係する情報を決定すること
を備える、請求項２９に記載の方法。
【請求項３４】
前記決定することが、
前記基準信号送信の基準信号シーケンスに少なくとも部分的に基づいて、ワイヤレスリソースの前記第２のセット中で送信されるブロードキャストチャネル送信の冗長バージョンを決定すること
を備える、請求項２９に記載の方法。
【請求項３５】
前記決定することが、
前記基準信号送信の基準信号シーケンスに少なくとも部分的に基づいて同期信号バースト、同期信号バーストセット、または同期信号送信の周期性のうちの１つまたは複数の構成を決定すること
を備える、請求項２９に記載の方法。
【請求項３６】
前記決定することが、前記基準信号送信の基準信号シーケンスと、前記送信機識別、前記タイミング情報、または前記同期信号送信構成のうちの１つまたは複数との間のマッピングに少なくとも部分的に基づく、請求項２９に記載の方法。
【請求項３７】
前記決定することが、前記基準信号リソースの前記ロケーションと、前記送信機識別、前記タイミング情報、または前記同期信号送信構成のうちの１つまたは複数との間のマッピングに少なくとも部分的に基づく、請求項２９に記載の方法。
【請求項３８】
ワイヤレスリソースの前記第１のセットが、第１の帯域幅にわたる周波数リソースの第１のセットを備え、ワイヤレスリソースの前記第２のセットが、前記第１の帯域幅の少なくとも一部分と重複する第２の帯域幅にわたる周波数リソースの第２のセットを備え、前記方法が、
周波数リソースの前記第２のセットにわたって非一様に分配された前記基準信号リソースを識別すること
をさらに備える、請求項２９に記載の方法。
【請求項３９】
前記第１の帯域幅よりも大きい前記第２の帯域幅、請求項３８に記載の方法。
【請求項４０】
ワイヤレスリソースの前記第２のセットが物理ブロードキャストチャネル（ＰＢＣＨ）リソースを備え、ワイヤレスリソースの前記第１のセットが同期信号リソースを備える、請求項２９に記載の方法。
【請求項４１】
前記ＰＢＣＨリソースが、時間リソースの第１のシンボルと時間リソースの第３のシンボルとを備え、
前記同期信号リソースが、時間リソースの第２のシンボルと時間リソースの第４のシンボルとを備える、時間リソースの前記第２のシンボルが、時間リソースの前記第１のシンボルと時間リソースの前記第３のシンボルとの間に位置し、時間リソースの前記第４のシンボルが、時間リソースの前記第３のシンボルの後に位置する、
請求項４０に記載の方法。
【請求項４２】
時間リソースの前記第２のシンボルが２次同期信号の送信のためであり、時間リソースの前記第４のシンボルが１次同期信号の送信のためである、請求項４１に記載の方法。
【請求項４３】
前記基準信号送信が復調基準信号（ＤＭＲＳ）送信を備える、請求項２９に記載の方法。
【請求項４４】
ワイヤレスリソースの前記第２のセットが、時間リソースの第１のサブセットと時間リソースの第２のサブセットとを備え、
前記基準信号リソースが、時間リソースの前記第１のサブセットと時間リソースの前記第２のサブセットとにわたって非一様に分配されるか、時間リソースの前記第１のサブセット内の前記基準信号リソースが、時間リソースの前記第２のサブセット内の基準信号リソースの少なくとも一部分とは異なる周波数リソースを占有するか、またはそれらの任意の組合せの、
請求項２９に記載の方法。
【請求項４５】
ワイヤレスリソースの前記第２のセットが、時間リソースの第１のサブセットと時間リソースの第２のサブセットとを備え、前記方法が、
時間リソースの前記第１のサブセットと時間リソースの前記第２のサブセットとの内で基準信号リソースのロケーションを識別することと、
前記基準信号リソースの前記ロケーションに少なくとも部分的に基づいて前記基準信号送信の波形を決定することと、
前記受信された基準信号送信と前記基準信号送信の前記決定された波形とに少なくとも部分的に基づいてチャネル推定を実施することと
をさらに備える、請求項２９に記載の方法。
【請求項４６】
同期信号送信のためのワイヤレスリソースの第１のセットとブロードキャストチャネル送信のためのワイヤレスリソースの第２のセットとを構成することと、ワイヤレスリソースの前記第２のセットが、時間リソースの第１のサブセットと時間リソースの第２のサブセットとを備える、
時間リソースの前記第１のサブセットと時間リソースの前記第２のサブセットとの内で基準信号リソースのロケーションを構成することと、
前記基準信号リソースの前記ロケーションに少なくとも部分的に基づいて基準信号送信の波形を決定することと、
前記基準信号リソースを介して前記基準信号を送信することと
を備える、ワイヤレス通信のための方法。
【請求項４７】
時間リソースの前記第１のサブセットと時間リソースの前記第２のサブセットとの各々の前記基準信号リソースが、同じ数の周波数トーンを占有する、請求項４６に記載の方法。
【請求項４８】
時間リソースの前記第１のサブセットと時間リソースの前記第２のサブセットとの各々が、同じ基準信号波形を有する、請求項４７に記載の方法。
【請求項４９】
時間リソースの前記第１のサブセットが、トーンの第１のサブセットとトーンの第２のサブセットとの中に基準信号リソースを含み、
時間リソースの前記第２のサブセットが、トーンの前記第１のサブセットとトーンの第３のサブセットとの中に基準信号リソースを含む、
請求項４６に記載の方法。
【請求項５０】
時間リソースの前記第１のサブセットと時間リソースの前記第２のサブセットとの中のトーンの前記第１のサブセットが、同じ基準信号波形を有し、
時間リソースの前記第１のサブセット中のトーンの前記第２のサブセットと、時間リソースの前記第２のサブセット中のトーンの前記第３のサブセットとが、異なる基準信号波形を有する、
請求項４９に記載の方法。
【請求項５１】
時間リソースの前記第１のサブセットと時間リソースの前記第２のサブセットとが、異なる基準信号波形を有する、請求項４６に記載の方法。
【請求項５２】
時間リソースの前記第１のサブセットと時間リソースの前記第２のサブセットとが、基準信号シーケンスの異なる部分を有する、請求項５１に記載の方法。
【請求項５３】
ワイヤレスリソースの前記第２のセットが物理ブロードキャストチャネル（ＰＢＣＨ）リソースを備え、ワイヤレスリソースの前記第１のセットが同期信号リソースを備える、請求項４６に記載の方法。
【請求項５４】
前記ＰＢＣＨリソースが、時間リソースの第１のシンボルと時間リソースの第３のシンボルとを備え、
前記同期信号リソースが、時間リソースの第２のシンボルと時間リソースの第４のシンボルとを備える、時間リソースの前記第２のシンボルが、時間リソースの前記第１のシンボルと時間リソースの前記第３のシンボルとの間に位置し、時間リソースの前記第４のシンボルが、時間リソースの前記第３のシンボルの後に位置する、
請求項５３に記載の方法。
【請求項５５】
時間リソースの前記第２のシンボルが２次同期信号の送信のためであり、時間リソースの前記第４のシンボルが１次同期信号の送信のためである、請求項５４に記載の方法。
【請求項５６】
前記基準信号送信が復調基準信号（ＤＭＲＳ）送信を備える、請求項４６に記載の方法。
【請求項５７】
ワイヤレスリソースの前記第１のセットが、第１の帯域幅にわたる周波数リソースの第１のセットを備え、ワイヤレスリソースの前記第２のセットが、前記第１の帯域幅よりも大きい第２の帯域幅にわたり前記第１の帯域幅の少なくとも一部分と重複する周波数リソースの第２のセットを備え、前記方法が、
周波数リソースの前記第２のセットにわたって非一様に分配された前記基準信号リソースを構成すること
をさらに備える、請求項４６に記載の方法。
【請求項５８】
前記基準信号リソースが、時間リソースの前記第１のサブセットと時間リソースの前記第２のサブセットとにわたって非一様に分配されるか、時間リソースの前記第１のサブセット内の前記基準信号リソースが、時間リソースの前記第２のサブセット内の基準信号リソースの少なくとも一部分とは異なる周波数リソースを占有するか、またはそれらの任意の組合せの、請求項４６に記載の方法。
【請求項５９】
同期信号送信のためのワイヤレスリソースの第１のセットとブロードキャストチャネル送信のためのワイヤレスリソースの第２のセットとを構成することと、ワイヤレスリソースの前記第１のセットが、第１の帯域幅にわたる周波数リソースの第１のセットを備え、ワイヤレスリソースの前記第２のセットが、前記第１の帯域幅の少なくとも一部分と重複する第２の帯域幅にわたる周波数リソースの第２のセットを備える、
ワイヤレスリソースの前記第２のセット内で基準信号リソースを構成することと、前記基準信号リソースのロケーションが、前記第１の帯域幅に対するワイヤレスリソースの前記第２のセット内の時間リソースロケーションまたはワイヤレスリソースの前記第２のセット内の周波数リソースロケーションのうちの１つまたは複数に少なくとも部分的に基づく、
前記基準信号リソースを使用して基準信号送信を、およびワイヤレスリソースの前記第１のセットを使用して同期信号送信を送信することと
を備える、ワイヤレス通信のための方法。
【請求項６０】
前記第２の帯域幅が前記第１の帯域幅よりも大きい、請求項５９に記載の方法。
【請求項６１】
前記基準信号リソースのロケーションを前記構成することが、
周波数リソースの前記第２のセットにわたって非一様に分配された基準信号リソースを構成すること
を備える、請求項５９に記載の方法。
【請求項６２】
周波数リソースの前記第２のセットが、前記第１の帯域幅と重複している周波数リソースの第１のサブセットと、前記第１の帯域幅と重複していない周波数リソースの第２のサブセットとを備え、
周波数リソースの前記第２のサブセットが、周波数リソースの前記第１のサブセットよりも基準信号リソースの高い密度を有する、
請求項６１に記載の方法。
【請求項６３】
周波数リソースの前記第１のサブセットは基準信号リソースがない、請求項６２に記載の方法。
【請求項６４】
ワイヤレスリソースの前記第２のセットが、時間リソースの第１のサブセットと時間リソースの第２のサブセットとを備え、
前記基準信号リソースが、時間リソースの前記第１のサブセットと時間リソースの前記第２のサブセットとにわたって非一様に分配される、
請求項５９に記載の方法。
【請求項６５】
ワイヤレスリソースの前記第２のセットが、時間リソースの第１のサブセットと時間リソースの第２のサブセットとを備え、
時間リソースの前記第１のサブセット内の前記基準信号リソースが、時間リソースの前記第２のサブセット内の基準信号リソースの少なくとも一部分とは異なる周波数リソースを占有する、
請求項５９に記載の方法。
【請求項６６】
ワイヤレスリソースの前記第２のセットが、時間リソースの第１のサブセットと時間リソースの第２のサブセットとを備え、
時間リソースの前記第１のサブセットと時間リソースの前記第２のサブセットとの内の前記基準信号リソースの少なくとも一部分が、共通の周波数トーンを占有する、
請求項５９に記載の方法。
【請求項６７】
ワイヤレスリソースの前記第２のセットが物理ブロードキャストチャネル（ＰＢＣＨ）リソースを備え、ワイヤレスリソースの前記第１のセットが同期信号リソースを備える、請求項５９に記載の方法。
【請求項６８】
前記ＰＢＣＨリソースが、時間リソースの第１のシンボルと時間リソースの第３のシンボルとを備え、
前記同期信号リソースが、時間リソースの第２のシンボルと時間リソースの第４のシンボルとを備える、時間リソースの前記第２のシンボルが、時間リソースの前記第１のシンボルと時間リソースの前記第３のシンボルとの間に位置し、時間リソースの前記第４のシンボルが、時間リソースの前記第３のシンボルの後に位置する、
請求項６７に記載の方法。
【請求項６９】
時間リソースの前記第２のシンボルが２次同期信号の送信のためであり、時間リソースの前記第４のシンボルが１次同期信号の送信のためである、請求項６８に記載の方法。
【請求項７０】
前記基準信号送信が復調基準信号（ＤＭＲＳ）送信を備える、請求項５９に記載の方法。
【請求項７１】
前記基準信号送信に少なくとも部分的に基づいて送信機識別、タイミング情報、または同期信号送信構成のうちの１つまたは複数の指示を提供すること
をさらに備える、請求項５９に記載の方法。
【請求項７２】
同期信号送信のためのワイヤレスリソースの第１のセットと、ブロードキャストチャネル送信のためのワイヤレスリソースの第２のセットとを構成することと、
ワイヤレスリソースの前記第２のセット内で基準信号リソースのロケーションを構成することと、
前記基準信号リソースを介して基準信号送信を送信することと、ここにおいて、前記基準信号送信、前記基準信号リソースの前記ロケーション、またはそれらの任意の組合せが、送信機識別、タイミング情報、または同期信号送信構成のうちの１つまたは複数の指示を提供する、
を備える、ワイヤレス通信のための方法。
【請求項７３】
基地局のセル識別と、同期信号バーストセット内の同期信号バーストインデックスと、同期信号バースト内の同期信号ブロックインデックスと、ワイヤレスリソースの前記第２のセット中で送信されるブロードキャストチャネル送信の冗長バージョンと、同期信号バースト、同期信号バーストセット、同期信号送信の周期性のうちの１つまたは複数の構成とのうちの１つまたは複数、あるいはそれらの任意の組合せが、前記基準信号送信の基準信号シーケンスにマッピングされる、請求項７２に記載の方法。
【請求項７４】
ワイヤレスリソースの前記第１のセットが、第１の帯域幅にわたる周波数リソースの第１のセットを備え、ワイヤレスリソースの前記第２のセットが、前記第１の帯域幅よりも大きい第２の帯域幅にわたり前記第１の帯域幅の少なくとも一部分と重複する周波数リソースの第２のセットを備え、前記方法が、
周波数リソースの前記第２のセットにわたって非一様に分配された前記基準信号リソースを構成すること
をさらに備える、請求項７２に記載の方法。
【請求項７５】
ワイヤレスリソースの前記第２のセットが物理ブロードキャストチャネル（ＰＢＣＨ）リソースを備え、ワイヤレスリソースの前記第１のセットが同期信号リソースを備える、請求項７２に記載の方法。
【請求項７６】
前記ＰＢＣＨリソースが、時間リソースの第１のシンボルと時間リソースの第３のシンボルとを備え、
前記同期信号リソースが、時間リソースの第２のシンボルと時間リソースの第４のシンボルとを備える、時間リソースの前記第２のシンボルが、時間リソースの前記第１のシンボルと時間リソースの前記第３のシンボルとの間に位置し、時間リソースの前記第４のシンボルが、時間リソースの前記第３のシンボルの後に位置する、
請求項７５に記載の方法。
【請求項７７】
時間リソースの前記第２のシンボルが２次同期信号の送信のためであり、時間リソースの前記第４のシンボルが１次同期信号の送信のためである、請求項７６に記載の方法。
【請求項７８】
前記基準信号送信が復調基準信号（ＤＭＲＳ）送信を備える、請求項７２に記載の方法。
【請求項７９】
同期信号送信のためのワイヤレスリソースの第１のセットとブロードキャストチャネル送信のためのワイヤレスリソースの第２のセットとを識別するための手段と、ワイヤレスリソースの前記第２のセットが、時間リソースの第１のサブセットと時間リソースの第２のサブセットとを備える、
時間リソースの前記第１のサブセットと時間リソースの前記第２のサブセットとの内で基準信号リソースのロケーションを識別するための手段と、
前記基準信号リソースを介して基準信号送信を受信するための手段と、
前記基準信号リソースの前記ロケーションに少なくとも部分的に基づいて前記基準信号送信の波形を決定するための手段と、
前記受信された基準信号送信と前記基準信号送信の前記決定された波形とに少なくとも部分的に基づいてチャネル推定を実施するための手段と
を備える、ワイヤレス通信のための装置。
【請求項８０】
時間リソースの前記第１のサブセットと時間リソースの前記第２のサブセットとの各々の前記基準信号リソースが、同じ数の周波数トーンを占有する、請求項７９に記載の装置。
【請求項８１】
時間リソースの前記第１のサブセットと時間リソースの前記第２のサブセットとの各々が、同じ基準信号波形を有する、請求項８０に記載の装置。
【請求項８２】
時間リソースの前記第１のサブセットが、トーンの第１のサブセットとトーンの第２のサブセットとの中に基準信号リソースを含み、
時間リソースの前記第２のサブセットが、トーンの前記第１のサブセットとトーンの第３のサブセットとの中に基準信号リソースを含む、
請求項７９に記載の装置。
【請求項８３】
時間リソースの前記第１のサブセットと時間リソースの前記第２のサブセットとの中のトーンの前記第１のサブセットが、同じ基準信号波形を有し、
時間リソースの前記第１のサブセット中のトーンの前記第２のサブセットと、時間リソースの前記第２のサブセット中のトーンの前記第３のサブセットとが、異なる基準信号波形を有する、
請求項８２に記載の装置。
【請求項８４】
時間リソースの前記第１のサブセットと時間リソースの前記第２のサブセットとが、異なる基準信号波形を有する、請求項７９に記載の装置。
【請求項８５】
時間リソースの前記第１のサブセットと時間リソースの前記第２のサブセットとが、基準信号シーケンスの異なる部分を有する、請求項８４に記載の装置。
【請求項８６】
ワイヤレスリソースの前記第２のセットが物理ブロードキャストチャネル（ＰＢＣＨ）リソースを備え、ワイヤレスリソースの前記第１のセットが同期信号リソースを備える、請求項７９に記載の装置。
【請求項８７】
前記ＰＢＣＨリソースが、時間リソースの第１のシンボルと時間リソースの第３のシンボルとを備え、
前記同期信号リソースが、時間リソースの第２のシンボルと時間リソースの第４のシンボルとを備える、時間リソースの前記第２のシンボルが、時間リソースの前記第１のシンボルと時間リソースの前記第３のシンボルとの間に位置し、時間リソースの前記第４のシンボルが、時間リソースの前記第２のシンボルの後に位置する、
請求項８６に記載の装置。
【請求項８８】
時間リソースの前記第２のシンボルが２次同期信号の送信のためであり、時間リソースの前記第４のシンボルが１次同期信号の送信のためである、請求項８７に記載の装置。
【請求項８９】
前記基準信号送信が復調基準信号（ＤＭＲＳ）送信を備える、請求項７９に記載の装置。
【請求項９０】
ワイヤレスリソースの前記第１のセットが、第１の帯域幅にわたる周波数リソースの第１のセットを備え、ワイヤレスリソースの前記第２のセットが、前記第１の帯域幅よりも大きい第２の帯域幅にわたり前記第１の帯域幅の少なくとも一部分と重複する周波数リソースの第２のセットを備え、
周波数リソースの前記第２のセットにわたって非一様に分配された前記基準信号リソースを識別するための手段
を備える、請求項７９に記載の装置。
【請求項９１】
前記基準信号リソースが、時間リソースの前記第１のサブセットと時間リソースの前記第２のサブセットとにわたって非一様に分配されるか、時間リソースの前記第１のサブセット内の前記基準信号リソースが、時間リソースの前記第２のサブセット内の基準信号リソースの少なくとも一部分とは異なる周波数リソースを占有するか、またはそれらの任意の組合せの、請求項７９に記載の装置。
【請求項９２】
前記受信された基準信号送信に少なくとも部分的に基づいて送信機識別、タイミング情報、または同期信号送信構成のうちの１つまたは複数を決定するための手段
をさらに備える、請求項７９に記載の装置。
【請求項９３】
同期信号送信のためのワイヤレスリソースの第１のセットとブロードキャストチャネル送信のためのワイヤレスリソースの第２のセットとを識別するための手段と、ワイヤレスリソースの前記第１のセットが、第１の帯域幅にわたる周波数リソースの第１のセットを備え、ワイヤレスリソースの前記第２のセットが、前記第１の帯域幅の少なくとも一部分と重複する第２の帯域幅にわたる周波数リソースの第２のセットを備える、
前記第１の帯域幅に対するワイヤレスリソースの前記第２のセット内の時間リソースロケーションまたはワイヤレスリソースの前記第２のセット内の周波数リソースロケーションのうちの１つまたは複数に少なくとも部分的に基づいて、ワイヤレスリソースの前記第２のセット内で基準信号リソースのロケーションを識別するための手段と、
前記基準信号リソースを使用して基準信号送信を受信するための手段と
を備える、ワイヤレス通信のための装置。
【請求項９４】
前記第２の帯域幅が前記第１の帯域幅よりも大きい、請求項９３に記載の装置。
【請求項９５】
前記基準信号リソースのロケーションを前記識別することが、
周波数リソースの前記第２のセットにわたって非一様に分配された基準信号リソースを識別するための手段
を備える、請求項９３に記載の装置。
【請求項９６】
周波数リソースの前記第２のセットが、前記第１の帯域幅と重複している周波数リソースの第１のサブセットと、前記第１の帯域幅と重複していない周波数リソースの第２のサブセットとを備え、
周波数リソースの前記第２のサブセットが、周波数リソースの前記第１のサブセットよりも基準信号リソースの高い密度を有する、
請求項９５に記載の装置。
【請求項９７】
周波数リソースの前記第１のサブセットは基準信号リソースがない、請求項９６に記載の装置。
【請求項９８】
ワイヤレスリソースの前記第２のセットが、時間リソースの第１のサブセットと時間リソースの第２のサブセットとを備え、
前記基準信号リソースが、時間リソースの前記第１のサブセットと時間リソースの前記第２のサブセットとにわたって非一様に分配される、
請求項９３に記載の装置。
【請求項９９】
ワイヤレスリソースの前記第２のセットが、時間リソースの第１のサブセットと時間リソースの第２のサブセットとを備え、
時間リソースの前記第１のサブセット内の前記基準信号リソースが、時間リソースの前記第２のサブセット内の基準信号リソースの少なくとも一部分とは異なる周波数リソースを占有する、
請求項９３に記載の装置。
【請求項１００】
ワイヤレスリソースの前記第２のセットが、時間リソースの第１のサブセットと時間リソースの第２のサブセットとを備え、
時間リソースの前記第１のサブセットと時間リソースの前記第２のサブセットとの内の前記基準信号リソースの少なくとも一部分が、共通の周波数トーンを占有する、
請求項９３に記載の装置。
【請求項１０１】
ワイヤレスリソースの前記第２のセットが物理ブロードキャストチャネル（ＰＢＣＨ）リソースを備え、ワイヤレスリソースの前記第１のセットが同期信号リソースを備える、請求項９３に記載の装置。
【請求項１０２】
前記ＰＢＣＨリソースが、時間リソースの第１のシンボルと時間リソースの第３のシンボルとを備え、
前記同期信号リソースが、時間リソースの第２のシンボルと時間リソースの第４のシンボルとを備える、時間リソースの前記第２のシンボルが、時間リソースの前記第１のシンボルと時間リソースの前記第３のシンボルとの間に位置し、時間リソースの前記第４のシンボルが、時間リソースの前記第２のシンボルの後に位置する、
請求項１０１に記載の装置。
【請求項１０３】
時間リソースの前記第２のシンボルが２次同期信号の送信のためであり、時間リソースの前記第４のシンボルが１次同期信号の送信のためである、請求項１０２に記載の装置。
【請求項１０４】
前記基準信号送信が復調基準信号（ＤＭＲＳ）送信を備える、請求項９３に記載の装置。
【請求項１０５】
ワイヤレスリソースの前記第２のセットが、時間リソースの第１のサブセットと時間リソースの第２のサブセットとを備え、
時間リソースの前記第１のサブセットと時間リソースの前記第２のサブセットとの内で基準信号リソースのロケーションを識別するための手段と、
前記基準信号リソースの前記ロケーションに少なくとも部分的に基づいて前記基準信号送信の波形を決定するための手段と、
前記受信された基準信号送信と前記基準信号送信の前記決定された波形とに少なくとも部分的に基づいてチャネル推定を実施するための手段と
を備える、請求項９３に記載の装置。
【請求項１０６】
前記受信された基準信号送信に少なくとも部分的に基づいて送信機識別、タイミング情報、または同期信号送信構成のうちの１つまたは複数を決定するための手段
をさらに備える、請求項９３に記載の装置。
【請求項１０７】
同期信号送信のためのワイヤレスリソースの第１のセットと、ブロードキャストチャネル送信のためのワイヤレスリソースの第２のセットとを識別するための手段と、
ワイヤレスリソースの前記第２のセット内で基準信号リソースのロケーションを識別するための手段と、
前記基準信号リソースを介して基準信号送信を受信するための手段と、
前記受信された基準信号送信に少なくとも部分的に基づいて送信機識別、タイミング情報、または同期信号送信構成のうちの１つまたは複数を決定するための手段と
を備える、ワイヤレス通信のための装置。
【請求項１０８】
前記決定することが、
前記基準信号送信の基準信号シーケンスに少なくとも部分的に基づいて基地局のセル識別を決定するための手段
を備える、請求項１０７に記載の装置。
【請求項１０９】
ワイヤレスリソースの前記第１のセットを介して同期信号送信を受信するための手段と、
前記同期信号送信に少なくとも部分的に基づいて基地局のセル識別を決定するための手段と、およびここにおいて、前記基準信号送信を前記受信することが、前記基地局の前記セル識別に少なくとも部分的に基づく、
をさらに備える、請求項１０７に記載の装置。
【請求項１１０】
前記決定することが、
前記基準信号送信の基準信号シーケンスに少なくとも部分的に基づいて同期信号バーストセット内の同期信号バーストインデックスに関係する情報を決定するための手段
を備える、請求項１０７に記載の装置。
【請求項１１１】
前記決定することが、
前記基準信号送信の基準信号シーケンスに少なくとも部分的に基づいて同期信号バースト内の同期信号ブロックインデックスに関係する情報を決定するための手段
を備える、請求項１０７に記載の装置。
【請求項１１２】
前記決定することが、
前記基準信号送信の基準信号シーケンスに少なくとも部分的に基づいて、ワイヤレスリソースの前記第２のセット中で送信されるブロードキャストチャネル送信の冗長バージョンを決定するための手段
を備える、請求項１０７に記載の装置。
【請求項１１３】
前記決定することが、
前記基準信号送信の基準信号シーケンスに少なくとも部分的に基づいて同期信号バースト、同期信号バーストセット、または同期信号送信の周期性のうちの１つまたは複数の構成を決定するための手段
を備える、請求項１０７に記載の装置。
【請求項１１４】
前記決定することが、前記基準信号送信の基準信号シーケンスと、前記送信機識別、前記タイミング情報、または前記同期信号送信構成のうちの１つまたは複数との間のマッピングに少なくとも部分的に基づく、請求項１０７に記載の装置。
【請求項１１５】
前記決定することが、前記基準信号リソースの前記ロケーションと、前記送信機識別、前記タイミング情報、または前記同期信号送信構成のうちの１つまたは複数との間のマッピングに少なくとも部分的に基づく、請求項１０７に記載の装置。
【請求項１１６】
ワイヤレスリソースの前記第１のセットが、第１の帯域幅にわたる周波数リソースの第１のセットを備え、ワイヤレスリソースの前記第２のセットが、前記第１の帯域幅の少なくとも一部分と重複する第２の帯域幅にわたる周波数リソースの第２のセットを備え、
周波数リソースの前記第２のセットにわたって非一様に分配された前記基準信号リソースを識別するための手段
を備える、請求項１０７に記載の装置。
【請求項１１７】
前記第１の帯域幅よりも大きい前記第２の帯域幅、請求項１１６に記載の装置。
【請求項１１８】
ワイヤレスリソースの前記第２のセットが物理ブロードキャストチャネル（ＰＢＣＨ）リソースを備え、ワイヤレスリソースの前記第１のセットが同期信号リソースを備える、請求項１０７に記載の装置。
【請求項１１９】
前記ＰＢＣＨリソースが、時間リソースの第１のシンボルと時間リソースの第３のシンボルとを備え、
前記同期信号リソースが、時間リソースの第２のシンボルと時間リソースの第４のシンボルとを備える、時間リソースの前記第２のシンボルが、時間リソースの前記第１のシンボルと時間リソースの前記第３のシンボルとの間に位置し、時間リソースの前記第４のシンボルが、時間リソースの前記第３のシンボルの後に位置する、
請求項１１８に記載の装置。
【請求項１２０】
時間リソースの前記第２のシンボルが２次同期信号の送信のためであり、時間リソースの前記第４のシンボルが１次同期信号の送信のためである、請求項１１９に記載の装置。
【請求項１２１】
前記基準信号送信が復調基準信号（ＤＭＲＳ）送信を備える、請求項１０７に記載の装置。
【請求項１２２】
ワイヤレスリソースの前記第２のセットが、時間リソースの第１のサブセットと時間リソースの第２のサブセットとを備え、
前記基準信号リソースが、時間リソースの前記第１のサブセットと時間リソースの前記第２のサブセットとにわたって非一様に分配されるか、時間リソースの前記第１のサブセット内の前記基準信号リソースが、時間リソースの前記第２のサブセット内の基準信号リソースの少なくとも一部分とは異なる周波数リソースを占有するか、またはそれらの任意の組合せの、
請求項１０７に記載の装置。
【請求項１２３】
ワイヤレスリソースの前記第２のセットが、時間リソースの第１のサブセットと時間リソースの第２のサブセットとを備え、
時間リソースの前記第１のサブセットと時間リソースの前記第２のサブセットとの内で基準信号リソースのロケーションを識別するための手段と、
前記基準信号リソースの前記ロケーションに少なくとも部分的に基づいて前記基準信号送信の波形を決定するための手段と、
前記受信された基準信号送信と前記基準信号送信の前記決定された波形とに少なくとも部分的に基づいてチャネル推定を実施するための手段と
を備える、請求項１０７に記載の装置。
【請求項１２４】
同期信号送信のためのワイヤレスリソースの第１のセットとブロードキャストチャネル送信のためのワイヤレスリソースの第２のセットとを構成するための手段と、ワイヤレスリソースの前記第２のセットが、時間リソースの第１のサブセットと時間リソースの第２のサブセットとを備える、
時間リソースの前記第１のサブセットと時間リソースの前記第２のサブセットとの内で基準信号リソースのロケーションを構成するための手段と、
前記基準信号リソースの前記ロケーションに少なくとも部分的に基づいて基準信号送信の波形を決定するための手段と、
前記基準信号リソースを介して前記基準信号を送信するための手段と
を備える、ワイヤレス通信のための装置。
【請求項１２５】
時間リソースの前記第１のサブセットと時間リソースの前記第２のサブセットとの各々の前記基準信号リソースが、同じ数の周波数トーンを占有する、請求項１２４に記載の装置。
【請求項１２６】
時間リソースの前記第１のサブセットと時間リソースの前記第２のサブセットとの各々が、同じ基準信号波形を有する、請求項１２５に記載の装置。
【請求項１２７】
時間リソースの前記第１のサブセットが、トーンの第１のサブセットとトーンの第２のサブセットとの中に基準信号リソースを含み、
時間リソースの前記第２のサブセットが、トーンの前記第１のサブセットとトーンの第３のサブセットとの中に基準信号リソースを含む、
請求項１２４に記載の装置。
【請求項１２８】
時間リソースの前記第１のサブセットと時間リソースの前記第２のサブセットとの中のトーンの前記第１のサブセットが、同じ基準信号波形を有し、
時間リソースの前記第１のサブセット中のトーンの前記第２のサブセットと、時間リソースの前記第２のサブセット中のトーンの前記第３のサブセットとが、異なる基準信号波形を有する、
請求項１２７に記載の装置。
【請求項１２９】
時間リソースの前記第１のサブセットと時間リソースの前記第２のサブセットとが、異なる基準信号波形を有する、請求項１２４に記載の装置。
【請求項１３０】
時間リソースの前記第１のサブセットと時間リソースの前記第２のサブセットとが、基準信号シーケンスの異なる部分を有する、請求項１２９に記載の装置。
【請求項１３１】
ワイヤレスリソースの前記第２のセットが物理ブロードキャストチャネル（ＰＢＣＨ）リソースを備え、ワイヤレスリソースの前記第１のセットが同期信号リソースを備える、請求項１２４に記載の装置。
【請求項１３２】
前記ＰＢＣＨリソースが、時間リソースの第１のシンボルと時間リソースの第３のシンボルとを備え、
前記同期信号リソースが、時間リソースの第２のシンボルと時間リソースの第４のシンボルとを備える、時間リソースの前記第２のシンボルが、時間リソースの前記第１のシンボルと時間リソースの前記第３のシンボルとの間に位置し、時間リソースの前記第４のシンボルが、時間リソースの前記第３のシンボルの後に位置する、
請求項１３１に記載の装置。
【請求項１３３】
時間リソースの前記第２のシンボルが２次同期信号の送信のためであり、時間リソースの前記第４のシンボルが１次同期信号の送信のためである、請求項１３２に記載の装置。
【請求項１３４】
前記基準信号送信が復調基準信号（ＤＭＲＳ）送信を備える、請求項１２４に記載の装置。
【請求項１３５】
ワイヤレスリソースの前記第１のセットが、第１の帯域幅にわたる周波数リソースの第１のセットを備え、ワイヤレスリソースの前記第２のセットが、前記第１の帯域幅よりも大きい第２の帯域幅にわたり前記第１の帯域幅の少なくとも一部分と重複する周波数リソースの第２のセットを備え、
周波数リソースの前記第２のセットにわたって非一様に分配された前記基準信号リソースを構成するための手段
を備える、請求項１２４に記載の装置。
【請求項１３６】
前記基準信号リソースが、時間リソースの前記第１のサブセットと時間リソースの前記第２のサブセットとにわたって非一様に分配されるか、時間リソースの前記第１のサブセット内の前記基準信号リソースが、時間リソースの前記第２のサブセット内の基準信号リソースの少なくとも一部分とは異なる周波数リソースを占有するか、またはそれらの任意の組合せの、請求項１２４に記載の装置。
【請求項１３７】
同期信号送信のためのワイヤレスリソースの第１のセットとブロードキャストチャネル送信のためのワイヤレスリソースの第２のセットとを構成するための手段と、ワイヤレスリソースの前記第１のセットが、第１の帯域幅にわたる周波数リソースの第１のセットを備え、ワイヤレスリソースの前記第２のセットが、前記第１の帯域幅の少なくとも一部分と重複する第２の帯域幅にわたる周波数リソースの第２のセットを備える、
ワイヤレスリソースの前記第２のセット内で基準信号リソースを構成するための手段と、前記基準信号リソースのロケーションが、前記第１の帯域幅に対するワイヤレスリソースの前記第２のセット内の時間リソースロケーションまたはワイヤレスリソースの前記第２のセット内の周波数リソースロケーションのうちの１つまたは複数に少なくとも部分的に基づく、
前記基準信号リソースを使用して基準信号送信を、およびワイヤレスリソースの前記第１のセットを使用して同期信号送信を送信するための手段と
を備える、ワイヤレス通信のための装置。
【請求項１３８】
前記第２の帯域幅が前記第１の帯域幅よりも大きい、請求項１３７に記載の装置。
【請求項１３９】
前記基準信号リソースのロケーションを前記構成することが、
周波数リソースの前記第２のセットにわたって非一様に分配された基準信号リソースを構成するための手段
を備える、請求項１３７に記載の装置。
【請求項１４０】
周波数リソースの前記第２のセットが、前記第１の帯域幅と重複している周波数リソースの第１のサブセットと、前記第１の帯域幅と重複していない周波数リソースの第２のサブセットとを備え、
周波数リソースの前記第２のサブセットが、周波数リソースの前記第１のサブセットよりも基準信号リソースの高い密度を有する、
請求項１３９に記載の装置。
【請求項１４１】
周波数リソースの前記第１のサブセットは基準信号リソースがない、請求項１４０に記載の装置。
【請求項１４２】
ワイヤレスリソースの前記第２のセットが、時間リソースの第１のサブセットと時間リソースの第２のサブセットとを備え、
前記基準信号リソースが、時間リソースの前記第１のサブセットと時間リソースの前記第２のサブセットとにわたって非一様に分配される、
請求項１３７に記載の装置。
【請求項１４３】
ワイヤレスリソースの前記第２のセットが、時間リソースの第１のサブセットと時間リソースの第２のサブセットとを備え、
時間リソースの前記第１のサブセット内の前記基準信号リソースが、時間リソースの前記第２のサブセット内の基準信号リソースの少なくとも一部分とは異なる周波数リソースを占有する、
請求項１３７に記載の装置。
【請求項１４４】
ワイヤレスリソースの前記第２のセットが、時間リソースの第１のサブセットと時間リソースの第２のサブセットとを備え、
時間リソースの前記第１のサブセットと時間リソースの前記第２のサブセットとの内の前記基準信号リソースの少なくとも一部分が、共通の周波数トーンを占有する、
請求項１３７に記載の装置。
【請求項１４５】
ワイヤレスリソースの前記第２のセットが物理ブロードキャストチャネル（ＰＢＣＨ）リソースを備え、ワイヤレスリソースの前記第１のセットが同期信号リソースを備える、請求項１３７に記載の装置。
【請求項１４６】
前記ＰＢＣＨリソースが、時間リソースの第１のシンボルと時間リソースの第３のシンボルとを備え、
前記同期信号リソースが、時間リソースの第２のシンボルと時間リソースの第４のシンボルとを備える、時間リソースの前記第２のシンボルが、時間リソースの前記第１のシンボルと時間リソースの前記第３のシンボルとの間に位置し、時間リソースの前記第４のシンボルが、時間リソースの前記第３のシンボルの後に位置する、
請求項１４５に記載の装置。
【請求項１４７】
時間リソースの前記第２のシンボルが２次同期信号の送信のためであり、時間リソースの前記第４のシンボルが１次同期信号の送信のためである、請求項１４６に記載の装置。
【請求項１４８】
前記基準信号送信が復調基準信号（ＤＭＲＳ）送信を備える、請求項１３７に記載の装置。
【請求項１４９】
前記基準信号送信に少なくとも部分的に基づいて送信機識別、タイミング情報、または同期信号送信構成のうちの１つまたは複数の指示を提供するための手段
をさらに備える、請求項１３７に記載の装置。
【請求項１５０】
同期信号送信のためのワイヤレスリソースの第１のセットと、ブロードキャストチャネル送信のためのワイヤレスリソースの第２のセットとを構成するための手段と、
ワイヤレスリソースの前記第２のセット内で基準信号リソースのロケーションを構成するための手段と、
前記基準信号リソースを介して基準信号送信を送信するための手段と、ここにおいて、前記基準信号送信、前記基準信号リソースの前記ロケーション、またはそれらの任意の組合せが、送信機識別、タイミング情報、または同期信号送信構成のうちの１つまたは複数の指示を提供する、
を備える、ワイヤレス通信のための装置。
【請求項１５１】
基地局のセル識別と、同期信号バーストセット内の同期信号バーストインデックスと、同期信号バースト内の同期信号ブロックインデックスと、ワイヤレスリソースの前記第２のセット中で送信されるブロードキャストチャネル送信の冗長バージョンと、同期信号バースト、同期信号バーストセット、同期信号送信の周期性のうちの１つまたは複数の構成とのうちの１つまたは複数、あるいはそれらの任意の組合せが、前記基準信号送信の基準信号シーケンスにマッピングされる、請求項１５０に記載の装置。
【請求項１５２】
ワイヤレスリソースの前記第１のセットが、第１の帯域幅にわたる周波数リソースの第１のセットを備え、ワイヤレスリソースの前記第２のセットが、前記第１の帯域幅よりも大きい第２の帯域幅にわたり前記第１の帯域幅の少なくとも一部分と重複する周波数リソースの第２のセットを備え、
周波数リソースの前記第２のセットにわたって非一様に分配された前記基準信号リソースを構成するための手段
を備える、請求項１５０に記載の装置。
【請求項１５３】
ワイヤレスリソースの前記第２のセットが物理ブロードキャストチャネル（ＰＢＣＨ）リソースを備え、ワイヤレスリソースの前記第１のセットが同期信号リソースを備える、請求項１５０に記載の装置。
【請求項１５４】
前記ＰＢＣＨリソースが、時間リソースの第１のシンボルと時間リソースの第３のシンボルとを備え、
前記同期信号リソースが、時間リソースの第２のシンボルと時間リソースの第４のシンボルとを備える、時間リソースの前記第２のシンボルが、時間リソースの前記第１のシンボルと時間リソースの前記第３のシンボルとの間に位置し、時間リソースの前記第４のシンボルが、時間リソースの前記第３のシンボルの後に位置する、
請求項１５３に記載の装置。
【請求項１５５】
時間リソースの前記第２のシンボルが２次同期信号の送信のためであり、時間リソースの前記第４のシンボルが１次同期信号の送信のためである、請求項１５４に記載の装置。
【請求項１５６】
前記基準信号送信が復調基準信号（ＤＭＲＳ）送信を備える、請求項１５０に記載の装置。
【請求項１５７】
ワイヤレス通信のための装置であって、
プロセッサと、
前記プロセッサと電子通信しているメモリと、
前記メモリに記憶された命令とを備え、前記命令は、
同期信号送信のためのワイヤレスリソースの第１のセットとブロードキャストチャネル送信のためのワイヤレスリソースの第２のセットとを識別することと、ワイヤレスリソースの前記第２のセットが、時間リソースの第１のサブセットと時間リソースの第２のサブセットとを備える、
時間リソースの前記第１のサブセットと時間リソースの前記第２のサブセットとの内で基準信号リソースのロケーションを識別することと、
前記基準信号リソースを介して基準信号送信を受信することと、
前記基準信号リソースの前記ロケーションに少なくとも部分的に基づいて前記基準信号送信の波形を決定することと、
前記受信された基準信号送信と前記基準信号送信の前記決定された波形とに少なくとも部分的に基づいてチャネル推定を実施することと
を前記装置に行わせるように前記プロセッサによって実行可能である、装置。
【請求項１５８】
ワイヤレス通信のための装置であって、
プロセッサと、
前記プロセッサと電子通信しているメモリと、
前記メモリに記憶された命令とを備え、前記命令は、
同期信号送信のためのワイヤレスリソースの第１のセットとブロードキャストチャネル送信のためのワイヤレスリソースの第２のセットとを識別することと、ワイヤレスリソースの前記第１のセットが、第１の帯域幅にわたる周波数リソースの第１のセットを備え、ワイヤレスリソースの前記第２のセットが、前記第１の帯域幅の少なくとも一部分と重複する第２の帯域幅にわたる周波数リソースの第２のセットを備える、
前記第１の帯域幅に対するワイヤレスリソースの前記第２のセット内の時間リソースロケーションまたはワイヤレスリソースの前記第２のセット内の周波数リソースロケーションのうちの１つまたは複数に少なくとも部分的に基づいて、ワイヤレスリソースの前記第２のセット内で基準信号リソースのロケーションを識別することと、
前記基準信号リソースを使用して基準信号送信を受信することと
を前記装置に行わせるように前記プロセッサによって実行可能である、装置。
【請求項１５９】
ワイヤレス通信のための装置であって、
プロセッサと、
前記プロセッサと電子通信しているメモリと、
前記メモリに記憶された命令とを備え、前記命令が、
同期信号送信のためのワイヤレスリソースの第１のセットと、ブロードキャストチャネル送信のためのワイヤレスリソースの第２のセットとを識別することと、
ワイヤレスリソースの前記第２のセット内で基準信号リソースのロケーションを識別することと、
前記基準信号リソースを介して基準信号送信を受信することと、
前記受信された基準信号送信に少なくとも部分的に基づいて送信機識別、タイミング情報、または同期信号送信構成のうちの１つまたは複数を決定することと
を前記装置に行わせるように前記プロセッサによって実行可能である、装置。
【請求項１６０】
ワイヤレス通信のための装置であって、
プロセッサと、
前記プロセッサと電子通信しているメモリと、
前記メモリに記憶された命令とを備え、前記命令は、
同期信号送信のためのワイヤレスリソースの第１のセットとブロードキャストチャネル送信のためのワイヤレスリソースの第２のセットとを構成することと、ワイヤレスリソースの前記第２のセットが、時間リソースの第１のサブセットと時間リソースの第２のサブセットとを備える、
時間リソースの前記第１のサブセットと時間リソースの前記第２のサブセットとの内で基準信号リソースのロケーションを構成することと、
前記基準信号リソースの前記ロケーションに少なくとも部分的に基づいて基準信号送信の波形を決定することと、
前記基準信号リソースを介して前記基準信号を送信することと
を前記装置に行わせるように前記プロセッサによって実行可能である、装置。
【請求項１６１】
ワイヤレス通信のための装置であって、
プロセッサと、
前記プロセッサと電子通信しているメモリと、
前記メモリに記憶された命令とを備え、前記命令は、
同期信号送信のためのワイヤレスリソースの第１のセットとブロードキャストチャネル送信のためのワイヤレスリソースの第２のセットとを構成することと、ワイヤレスリソースの前記第１のセットが、第１の帯域幅にわたる周波数リソースの第１のセットを備え、ワイヤレスリソースの前記第２のセットが、前記第１の帯域幅の少なくとも一部分と重複する第２の帯域幅にわたる周波数リソースの第２のセットを備える、
ワイヤレスリソースの前記第２のセット内で基準信号リソースを構成することと、前記基準信号リソースのロケーションが、前記第１の帯域幅に対するワイヤレスリソースの前記第２のセット内の時間リソースロケーションまたはワイヤレスリソースの前記第２のセット内の周波数リソースロケーションのうちの１つまたは複数に少なくとも部分的に基づく、
前記基準信号リソースを使用して基準信号送信を、およびワイヤレスリソースの前記第１のセットを使用して同期信号送信を送信することと
を前記装置に行わせるように前記プロセッサによって実行可能である、装置。
【請求項１６２】
ワイヤレス通信のための装置であって、
プロセッサと、
前記プロセッサと電子通信しているメモリと、
前記メモリに記憶された命令とを備え、前記命令は、
同期信号送信のためのワイヤレスリソースの第１のセットと、ブロードキャストチャネル送信のためのワイヤレスリソースの第２のセットとを構成することと、
ワイヤレスリソースの前記第２のセット内で基準信号リソースのロケーションを構成することと、
前記基準信号リソースを介して基準信号送信を送信することと、ここにおいて、前記基準信号送信、前記基準信号リソースの前記ロケーション、またはそれらの任意の組合せが、送信機識別、タイミング情報、または同期信号送信構成のうちの１つまたは複数の指示を提供する、
を前記装置に行わせるように前記プロセッサによって実行可能である、装置。
【請求項１６３】
ワイヤレス通信のためのコードを記憶している非一時的コンピュータ可読媒体であって、前記コードは、
同期信号送信のためのワイヤレスリソースの第１のセットとブロードキャストチャネル送信のためのワイヤレスリソースの第２のセットとを識別することと、ワイヤレスリソースの前記第２のセットが、時間リソースの第１のサブセットと時間リソースの第２のサブセットとを備える、
時間リソースの前記第１のサブセットと時間リソースの前記第２のサブセットとの内で基準信号リソースのロケーションを識別することと、
前記基準信号リソースを介して基準信号送信を受信することと、
前記基準信号リソースの前記ロケーションに少なくとも部分的に基づいて前記基準信号送信の波形を決定することと、
前記受信された基準信号送信と前記基準信号送信の前記決定された波形とに少なくとも部分的に基づいてチャネル推定を実施することと
を行うようにプロセッサによって実行可能な命令を備える、非一時的コンピュータ可読媒体。
【請求項１６４】
ワイヤレス通信のためのコードを記憶している非一時的コンピュータ可読媒体であって、前記コードは、
同期信号送信のためのワイヤレスリソースの第１のセットとブロードキャストチャネル送信のためのワイヤレスリソースの第２のセットとを識別することと、ワイヤレスリソースの前記第１のセットが、第１の帯域幅にわたる周波数リソースの第１のセットを備え、ワイヤレスリソースの前記第２のセットが、前記第１の帯域幅の少なくとも一部分と重複する第２の帯域幅にわたる周波数リソースの第２のセットを備える、
前記第１の帯域幅に対するワイヤレスリソースの前記第２のセット内の時間リソースロケーションまたはワイヤレスリソースの前記第２のセット内の周波数リソースロケーションのうちの１つまたは複数に少なくとも部分的に基づいて、ワイヤレスリソースの前記第２のセット内で基準信号リソースのロケーションを識別することと、
前記基準信号リソースを使用して基準信号送信を受信することと
を行うようにプロセッサによって実行可能な命令を備える、非一時的コンピュータ可読媒体。
【請求項１６５】
ワイヤレス通信のためのコードを記憶している非一時的コンピュータ可読媒体であって、前記コードが、
同期信号送信のためのワイヤレスリソースの第１のセットと、ブロードキャストチャネル送信のためのワイヤレスリソースの第２のセットとを識別することと、
ワイヤレスリソースの前記第２のセット内で基準信号リソースのロケーションを識別することと、
前記基準信号リソースを介して基準信号送信を受信することと、
前記受信された基準信号送信に少なくとも部分的に基づいて送信機識別、タイミング情報、または同期信号送信構成のうちの１つまたは複数を決定することと
を行うようにプロセッサによって実行可能な命令を備える、非一時的コンピュータ可読媒体。
【請求項１６６】
ワイヤレス通信のためのコードを記憶している非一時的コンピュータ可読媒体であって、前記コードは、
同期信号送信のためのワイヤレスリソースの第１のセットとブロードキャストチャネル送信のためのワイヤレスリソースの第２のセットとを構成することと、ワイヤレスリソースの前記第２のセットが、時間リソースの第１のサブセットと時間リソースの第２のサブセットとを備える、
時間リソースの前記第１のサブセットと時間リソースの前記第２のサブセットとの内で基準信号リソースのロケーションを構成することと、
前記基準信号リソースの前記ロケーションに少なくとも部分的に基づいて基準信号送信の波形を決定することと、
前記基準信号リソースを介して前記基準信号を送信することと
を行うようにプロセッサによって実行可能な命令を備える、非一時的コンピュータ可読媒体。
【請求項１６７】
ワイヤレス通信のためのコードを記憶している非一時的コンピュータ可読媒体であって、前記コードは、
同期信号送信のためのワイヤレスリソースの第１のセットとブロードキャストチャネル送信のためのワイヤレスリソースの第２のセットとを構成することと、ワイヤレスリソースの前記第１のセットが、第１の帯域幅にわたる周波数リソースの第１のセットを備え、ワイヤレスリソースの前記第２のセットが、前記第１の帯域幅の少なくとも一部分と重複する第２の帯域幅にわたる周波数リソースの第２のセットを備える、
ワイヤレスリソースの前記第２のセット内で基準信号リソースを構成することと、前記基準信号リソースのロケーションが、前記第１の帯域幅に対するワイヤレスリソースの前記第２のセット内の時間リソースロケーションまたはワイヤレスリソースの前記第２のセット内の周波数リソースロケーションのうちの１つまたは複数に少なくとも部分的に基づく、
前記基準信号リソースを使用して基準信号送信を、およびワイヤレスリソースの前記第１のセットを使用して同期信号送信を送信することと
を行うようにプロセッサによって実行可能な命令を備える、非一時的コンピュータ可読媒体。
【請求項１６８】
ワイヤレス通信のためのコードを記憶している非一時的コンピュータ可読媒体であって、前記コードは、
同期信号送信のためのワイヤレスリソースの第１のセットと、ブロードキャストチャネル送信のためのワイヤレスリソースの第２のセットとを構成することと、
ワイヤレスリソースの前記第２のセット内で基準信号リソースのロケーションを構成することと、
前記基準信号リソースを介して基準信号送信を送信することと、ここにおいて、前記基準信号送信、前記基準信号リソースの前記ロケーション、またはそれらの任意の組合せが、送信機識別、タイミング情報、または同期信号送信構成のうちの１つまたは複数の指示を提供する、
を行うようにプロセッサによって実行可能な命令を備える、非一時的コンピュータ可読媒体。
【発明の詳細な説明】
【技術分野】
【０００１】
相互参照
[0001]本特許出願は、各々が本出願の譲受人に譲渡される、２０１８年３月２３日に出願された「Ｒｅｆｅｒｅｎｃｅ  Ｓｉｇｎａｌ  Ｓｃｈｅｍｅｓ  Ｉｎ  Ｗｉｒｅｌｅｓｓ  Ｃｏｍｍｕｎｉｃａｔｉｏｎｓ」と題するＡｂｅｄｉｎｉらによる米国特許出願第１５／９３４，７８４号と、２０１７年４月１０日に出願された「Ｒｅｆｅｒｅｎｃｅ  Ｓｉｇｎａｌ  Ｓｃｈｅｍｅｓ  ｉｎ  Ｗｉｒｅｌｅｓｓ  Ｃｏｍｍｕｎｉｃａｔｉｏｎｓ」と題するＡｂｅｄｉｎｉらによる米国仮特許出願第６２／４８３，９４３号との優先権を主張する。
【０００２】
[0002]以下は、一般にワイヤレス通信に関し、より詳細にはワイヤレス通信における基準信号方式に関する。
【背景技術】
【０００３】
[0003]ワイヤレス通信システムは、音声、ビデオ、パケットデータ、メッセージング、およびブロードキャストなどの様々なタイプの通信コンテンツを提供するために広く展開されている。これらのシステムは、利用可能なシステムリソース（たとえば、時間、周波数、および電力）を共有することによって複数のユーザとの通信をサポートすることが可能であり得る。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム、（たとえば、ロングタームエボリューション（ＬＴＥ（登録商標））システム、または新無線（ＮＲ）もしくは５Ｇシステム）を含む。
【０００４】
[0004]いくつかの例では、ワイヤレス多元接続通信システムは、場合によってはユーザ機器（ＵＥ）として知られる、複数の通信デバイスのための通信を各々が同時にサポートする、いくつかの基地局を含み得る。ＬＴＥまたはＬＴＥアドバンスト（ＬＴＥ−Ａ）ネットワークでは、１つまたは複数の基地局のセットがｅノードＢ（ｅＮＢ）を定義し得る。他の例では（たとえば、ＮＲまたは５Ｇネットワークでは）、ワイヤレス多元接続通信システムは、いくつかの（a number of）アクセスノードコントローラ（ＡＮＣ）と通信しているいくつかのスマート無線ヘッド（ＲＨ）を含み得、ここで、ＡＮＣと通信している１つまたは複数のＲＨのセットが基地局（たとえば、ｅＮＢまたはｇＮＢ）を定義する。基地局は、（たとえば、基地局からＵＥへの送信のために）ダウンリンク（ＤＬ）チャネル上で、および（たとえば、ＵＥから基地局への送信のために）アップリンク（ＵＬ）チャネル上でＵＥのセットと通信し得る。
【０００５】
[0005]時々、ＵＥは、ワイヤレスネットワークへのアクセスを獲得するために初期アクセス（または初期捕捉）手順を実施する必要があり得る。初期アクセス手順の一部として、ＵＥは、ワイヤレスネットワークの基地局などのネットワークアクセスデバイスによって送信される同期チャネルについて（for）探索する必要があり得る。ＵＥはまた、基地局から物理ブロードキャストチャネル（ＰＢＣＨ：physical broadcast channel）送信中で送信され得るマスタ情報ブロック（ＭＩＢ）あるいは１つまたは複数のシステム情報ブロック（たとえば、ＳＩＢ１、ＳＩＢ２など）中に含まれてなどいる、様々な項目のシステム情報を捕捉し（acquire）得る。
【発明の概要】
【０００６】
[0006]説明される技法は、ワイヤレス通信における基準信号方式をサポートする、改善された方法、システム、デバイス、または装置に関する。概して、説明される技法は、同期信号（ＳＳ：synchronization signal）と物理ブロードキャストチャネル（ＰＢＣＨ）送信とが送信され得る同期信号ブロックを提供する。ある場合には、ＰＢＣＨ送信は、ＳＳ送信、基準信号送信、またはそれらの組合せを使用して復調され得る。いくつかの例では、ＰＢＣＨ送信は、ＳＳブロック時間リソースのサブセット中で（たとえば、ＳＳブロックの２つのシンボル中で）送信され得、同期信号（たとえば、１次同期信号（ＰＳＳ）および２次同期信号（ＳＳＳ））は、ＳＳブロック時間リソースの別のサブセット中で送信され得る。
【０００７】
[0007]ある場合には、基準信号（たとえば、復調基準信号（ＤＭＲＳ：demodulation reference signal））は、ＰＢＣＨ時間リソース内のトーンを使用して送信され得、トーンのロケーションは、比較的少数の送信リソースを使用して効率的な復調を提供するように選択され得る。ある場合には、ＰＢＣＨ送信の帯域幅はＳＳ送信の帯域幅よりも大きくなり得、ＤＭＲＳは、ＳＳ送信帯域幅の外部にあるＰＢＣＨ送信帯域幅の部分についてより高い密度で送信され得る。ある場合には、異なるＤＭＲＳトーンは、異なるＰＢＣＨ時間リソースのために使用され得る。
【０００８】
[0008]ある場合には、ＤＭＲＳ波形は、ＰＢＣＨ時間リソースにわたって（たとえば、ＰＢＣＨ送信を含んでいる２つ以上のシンボルにわたって）構成され得る。いくつかの例では、各ＰＢＣＨシンボルについて同じＤＭＲＳシーケンスが使用され得、各ＰＢＣＨシンボルは同じ数のＤＭＲＳトーンを含み得る。他の例では、ＰＢＣＨシンボルは、ＰＢＣＨシンボルにわたって共通のＤＭＲＳトーンのサブセットと、ＰＢＣＨシンボルにわたって異なるＤＭＲＳトーンのサブセットとを含み得る。そのような例では、共通のＤＭＲＳトーンは同じＤＭＲＳシーケンスを共有し得、他方のＤＭＲＳトーンは異なるシーケンスを有し得る。またさらなる例では、ＰＢＣＨ送信の異なるシンボルのＤＭＲＳ波形はまったく異なり得る。いくつかの例では、ロング基本シーケンス（たとえば、ロングＺａｄｏｆｆ−Ｃｈｕシーケンス、ｍシーケンス、またはそれのサイクリックシフト）を異なるＰＢＣＨ時間リソースの間でスプリットすることによって異なるＤＭＲＳシーケンスが構築され得る。いくつかの例では、基準信号シーケンス（たとえば、ＤＭＲＳシーケンス）、トーンロケーション、またはそれらの組合せは、識別情報、タイミング情報、構成情報、またはそれらの任意の組合せのうちの１つまたは複数を搬送するために使用され得る。
【０００９】
[0009]ワイヤレス通信の方法について説明される。本方法は、同期信号送信のためのワイヤレスリソースの第１のセットとブロードキャストチャネル送信のためのワイヤレスリソースの第２のセットとを識別することと、ワイヤレスリソースの第１のセットが、第１の帯域幅にわたる周波数リソースの第１のセットを備え、ワイヤレスリソースの第２のセットが、第１の帯域幅の少なくとも一部分と重複する第２の帯域幅にわたる周波数リソースの第２のセットを備える、第１の帯域幅に対するワイヤレスリソースの第２のセット内の時間リソースロケーションまたはワイヤレスリソースの第２のセット内の周波数リソースロケーションのうちの１つまたは複数に少なくとも部分的に基づいて、ワイヤレスリソースの第２のセット内で基準信号リソースのロケーションを識別することと、基準信号リソースを使用して基準信号送信を受信することとを含み得る。
【００１０】
[0010]ワイヤレス通信のための装置について説明される。本装置は、同期信号送信のためのワイヤレスリソースの第１のセットとブロードキャストチャネル送信のためのワイヤレスリソースの第２のセットとを識別するための手段と、ワイヤレスリソースの第１のセットが、第１の帯域幅にわたる周波数リソースの第１のセットを備え、ワイヤレスリソースの第２のセットが、第１の帯域幅の少なくとも一部分と重複する第２の帯域幅にわたる周波数リソースの第２のセットを備える、第１の帯域幅に対するワイヤレスリソースの第２のセット内の時間リソースロケーションまたはワイヤレスリソースの第２のセット内の周波数リソースロケーションのうちの１つまたは複数に少なくとも部分的に基づいて、ワイヤレスリソースの第２のセット内で基準信号リソースのロケーションを識別するための手段と、基準信号リソースを使用して基準信号送信を受信するための手段とを含み得る。
【００１１】
[0011]ワイヤレス通信のための別の装置について説明される。本装置は、プロセッサと、プロセッサと電子通信しているメモリと、メモリに記憶された命令とを含み得る。命令は、同期信号送信のためのワイヤレスリソースの第１のセットとブロードキャストチャネル送信のためのワイヤレスリソースの第２のセットとを識別することと、ワイヤレスリソースの第１のセットが、第１の帯域幅にわたる周波数リソースの第１のセットを備え、ワイヤレスリソースの第２のセットが、第１の帯域幅の少なくとも一部分と重複する第２の帯域幅にわたる周波数リソースの第２のセットを備える、第１の帯域幅に対するワイヤレスリソースの第２のセット内の時間リソースロケーションまたはワイヤレスリソースの第２のセット内の周波数リソースロケーションのうちの１つまたは複数に少なくとも部分的に基づいて、ワイヤレスリソースの第２のセット内で基準信号リソースのロケーションを識別することと、基準信号リソースを使用して基準信号送信を受信することとをプロセッサに行わせるように動作可能であり得る。
【００１２】
[0012]ワイヤレス通信のための非一時的コンピュータ可読媒体について説明される。非一時的コンピュータ可読媒体は、同期信号送信のためのワイヤレスリソースの第１のセットとブロードキャストチャネル送信のためのワイヤレスリソースの第２のセットとを識別することと、ワイヤレスリソースの第１のセットが、第１の帯域幅にわたる周波数リソースの第１のセットを備え、ワイヤレスリソースの第２のセットが、第１の帯域幅の少なくとも一部分と重複する第２の帯域幅にわたる周波数リソースの第２のセットを備える、第１の帯域幅に対するワイヤレスリソースの第２のセット内の時間リソースロケーションまたはワイヤレスリソースの第２のセット内の周波数リソースロケーションのうちの１つまたは複数に少なくとも部分的に基づいて、ワイヤレスリソースの第２のセット内で基準信号リソースのロケーションを識別することと、基準信号リソースを使用して基準信号送信を受信することとをプロセッサに行わせるように動作可能な命令を含み得る。
【００１３】
[0013]上記で説明された方法、装置、および非一時的コンピュータ可読媒体のいくつかの例では、第２の帯域幅は第１の帯域幅よりも大きくなり得る。上記で説明された方法、装置、および非一時的コンピュータ可読媒体のいくつかの例では、基準信号リソースのロケーションを識別することは、周波数リソースの第２のセットにわたって非一様に分配された基準信号リソースを識別することを備える。
【００１４】
[0014]上記で説明された方法、装置、および非一時的コンピュータ可読媒体のいくつかの例では、周波数リソースの第２のセットは、第１の帯域幅と重複していることがある周波数リソースの第１のサブセットと、第１の帯域幅と重複していないことがある周波数リソースの第２のサブセットとを備え、周波数リソースの第２のサブセットは、周波数リソースの第１のサブセットよりも基準信号リソースの高い密度を有し得る。上記で説明された方法、装置、および非一時的コンピュータ可読媒体のいくつかの例では、周波数リソースの第１のサブセットは基準信号リソースがないことがある。
【００１５】
[0015]上記で説明された方法、装置、および非一時的コンピュータ可読媒体のいくつかの例では、ワイヤレスリソースの第２のセットは、時間リソースの第１のサブセットと時間リソースの第２のサブセットとを備え、基準信号リソースは、時間リソースの第１のサブセットと時間リソースの第２のサブセットとにわたって非一様に分配され得る。上記で説明された方法、装置、および非一時的コンピュータ可読媒体のいくつかの例では、ワイヤレスリソースの第２のセットは、時間リソースの第１のサブセットと時間リソースの第２のサブセットとを備え、時間リソースの第１のサブセット内の基準信号リソースは、時間リソースの第２のサブセット内の基準信号リソースの少なくとも一部分とは異なる周波数リソースを占有する。上記で説明された方法、装置、および非一時的コンピュータ可読媒体のいくつかの例では、ワイヤレスリソースの第２のセットは、時間リソースの第１のサブセットと時間リソースの第２のサブセットとを備え、時間リソースの第１のサブセットと時間リソースの第２のサブセットとの内の（within）基準信号リソースの少なくとも一部分は、共通の周波数トーンを占有する。
【００１６】
[0016]上記で説明された方法、装置、および非一時的コンピュータ可読媒体のいくつかの例では、ワイヤレスリソースの第２のセットはＰＢＣＨリソースを備え、ワイヤレスリソースの第１のセットは同期信号リソースを備える。上記で説明された方法、装置、および非一時的コンピュータ可読媒体のいくつかの例では、ＰＢＣＨリソースは、時間リソースの第１のシンボルと時間リソースの第３のシンボルとを備え、同期信号リソースは、時間リソースの第２のシンボルと時間リソースの第４のシンボルとを備え、時間リソースの第２のシンボルは、時間リソースの第１のシンボルと時間リソースの第３のシンボルとの間に位置し、時間リソースの第４のシンボルは、時間リソースの第３のシンボルの後に位置する。
【００１７】
[0017]上記で説明された方法、装置、および非一時的コンピュータ可読媒体のいくつかの例では、時間リソースの第２のシンボルは２次同期信号の送信のためであり得、時間リソースの第４のシンボルは１次同期信号の送信のためであり得る。上記で説明された方法、装置、および非一時的コンピュータ可読媒体のいくつかの例では、基準信号送信はＤＭＲＳ送信を備える。
【００１８】
[0018]上記で説明された方法、装置、および非一時的コンピュータ可読媒体のいくつかの例では、ワイヤレスリソースの第２のセットは、時間リソースの第１のサブセットと時間リソースの第２のサブセットとを備え、時間リソースの第１のサブセットと時間リソースの第２のサブセットとの内で（within）基準信号リソースのロケーションが識別される。上記で説明された方法、装置、および非一時的コンピュータ可読媒体のいくつかの例は、基準信号リソースのロケーションに少なくとも部分的に基づいて基準信号送信の波形を決定するためのプロセス、特徴、手段、または命令をさらに含み得る。上記で説明された方法、装置、および非一時的コンピュータ可読媒体のいくつかの例は、受信された基準信号送信と基準信号送信の決定された波形とに少なくとも部分的に基づいてチャネル推定を実施するためのプロセス、特徴、手段、または命令をさらに含み得る。
【００１９】
[0019]上記で説明された方法、装置、および非一時的コンピュータ可読媒体のいくつかの例は、受信された基準信号送信に少なくとも部分的に基づいて送信機識別、タイミング情報、または同期信号送信構成のうちの１つまたは複数を決定するためのプロセス、特徴、手段、または命令をさらに含み得る。
【００２０】
[0020]ワイヤレス通信の方法について説明される。本方法は、同期信号送信のためのワイヤレスリソースの第１のセットとブロードキャストチャネル送信のためのワイヤレスリソースの第２のセットとを識別することと、ワイヤレスリソースの第２のセットが、時間リソースの第１のサブセットと時間リソースの第２のサブセットとを備える、時間リソースの第１のサブセットと時間リソースの第２のサブセットとの内で基準信号リソースのロケーションを識別することと、基準信号リソースを介して基準信号送信を受信することと、基準信号リソースのロケーションに少なくとも部分的に基づいて基準信号送信の波形を決定することと、受信された基準信号送信と基準信号送信の決定された波形とに少なくとも部分的に基づいてチャネル推定を実施すること（performing）とを含み得る。
【００２１】
[0021]ワイヤレス通信のための装置について説明される。本装置は、同期信号送信のためのワイヤレスリソースの第１のセットとブロードキャストチャネル送信のためのワイヤレスリソースの第２のセットとを識別するための手段と、ワイヤレスリソースの第２のセットが、時間リソースの第１のサブセットと時間リソースの第２のサブセットとを備える、時間リソースの第１のサブセットと時間リソースの第２のサブセットとの内で基準信号リソースのロケーションを識別するための手段と、基準信号リソースを介して基準信号送信を受信するための手段と、基準信号リソースのロケーションに少なくとも部分的に基づいて基準信号送信の波形を決定するための手段と、受信された基準信号送信と基準信号送信の決定された波形とに少なくとも部分的に基づいてチャネル推定を実施するための手段とを含み得る。
【００２２】
[0022]ワイヤレス通信のための別の装置について説明される。本装置は、プロセッサと、プロセッサと電子通信しているメモリと、メモリに記憶された命令とを含み得る。命令は、同期信号送信のためのワイヤレスリソースの第１のセットとブロードキャストチャネル送信のためのワイヤレスリソースの第２のセットとを識別することと、ワイヤレスリソースの第２のセットが、時間リソースの第１のサブセットと時間リソースの第２のサブセットとを備える、時間リソースの第１のサブセットと時間リソースの第２のサブセットとの内で基準信号リソースのロケーションを識別することと、基準信号リソースを介して基準信号送信を受信することと、基準信号リソースのロケーションに少なくとも部分的に基づいて基準信号送信の波形を決定することと、受信された基準信号送信と基準信号送信の決定された波形とに少なくとも部分的に基づいてチャネル推定を実施することとをプロセッサに行わせるように動作可能であり得る。
【００２３】
[0023]ワイヤレス通信のための非一時的コンピュータ可読媒体について説明される。非一時的コンピュータ可読媒体は、同期信号送信のためのワイヤレスリソースの第１のセットとブロードキャストチャネル送信のためのワイヤレスリソースの第２のセットとを識別することと、ワイヤレスリソースの第２のセットが、時間リソースの第１のサブセットと時間リソースの第２のサブセットとを備える、時間リソースの第１のサブセットと時間リソースの第２のサブセットとの内で基準信号リソースのロケーションを識別することと、基準信号リソースを介して基準信号送信を受信することと、基準信号リソースのロケーションに少なくとも部分的に基づいて基準信号送信の波形を決定することと、受信された基準信号送信と基準信号送信の決定された波形とに少なくとも部分的に基づいてチャネル推定を実施することとをプロセッサに行わせるように動作可能な命令を含み得る。
【００２４】
[0024]上記で説明された方法、装置、および非一時的コンピュータ可読媒体のいくつかの例では、時間リソースの第１のサブセットと時間リソースの第２のサブセットとの各々の基準信号リソースは、同じ数の周波数トーンを占有する。上記で説明された方法、装置、および非一時的コンピュータ可読媒体のいくつかの例では、時間リソースの第１のサブセットと時間リソースの第２のサブセットとの各々は、同じ基準信号波形を有し得る。
【００２５】
[0025]上記で説明された方法、装置、および非一時的コンピュータ可読媒体のいくつかの例では、時間リソースの第１のサブセットは、トーンの第１のサブセットとトーンの第２のサブセットとの中に（in）基準信号リソースを含み、時間リソースの第２のサブセットは、トーンの第１のサブセットとトーンの第３のサブセットとの中に基準信号リソースを含む。上記で説明された方法、装置、および非一時的コンピュータ可読媒体のいくつかの例では、時間リソースの第１のサブセットと時間リソースの第２のサブセットとの中のトーンの第１のサブセットは、同じ基準信号波形を有し得、時間リソースの第１のサブセット中のトーンの第２のサブセットと、時間リソースの第２のサブセット中のトーンの第３のサブセットとは、異なる基準信号波形を有し得る。上記で説明された方法、装置、および非一時的コンピュータ可読媒体のいくつかの例では、時間リソースの第１のサブセットと、時間リソースの第２のサブセットとは、異なる基準信号波形を有し得る。上記で説明された方法、装置、および非一時的コンピュータ可読媒体のいくつかの例では、時間リソースの第１のサブセットと、時間リソースの第２のサブセットとは、基準信号シーケンスの異なる部分を有し得る。
【００２６】
[0026]上記で説明された方法、装置、および非一時的コンピュータ可読媒体のいくつかの例では、ワイヤレスリソースの第２のセットはＰＢＣＨリソースを備え、ワイヤレスリソースの第１のセットは同期信号リソースを備える。上記で説明された方法、装置、および非一時的コンピュータ可読媒体のいくつかの例では、ＰＢＣＨリソースは、時間リソースの第１のシンボルと時間リソースの第３のシンボルとを備え、同期信号リソースは、時間リソースの第２のシンボルと時間リソースの第４のシンボルとを備え、時間リソースの第２のシンボルは、時間リソースの第１のシンボルと時間リソースの第３のシンボルとの間に位置し、時間リソースの第４のシンボルは、時間リソースの第３のシンボルの後に位置する。上記で説明された方法、装置、および非一時的コンピュータ可読媒体のいくつかの例では、時間リソースの第２のシンボルは２次同期信号の送信のためであり得、時間リソースの第４のシンボルは１次同期信号の送信のためであり得る。上記で説明された方法、装置、および非一時的コンピュータ可読媒体のいくつかの例では、基準信号送信はＤＭＲＳ送信を備える。
【００２７】
[0027]上記で説明された方法、装置、および非一時的コンピュータ可読媒体のいくつかの例では、ワイヤレスリソースの第１のセットは、第１の帯域幅にわたる周波数リソースの第１のセットを備え、ワイヤレスリソースの第２のセットは、第１の帯域幅よりも大きくなり得る第２の帯域幅にわたり第１の帯域幅の少なくとも一部分と重複する周波数リソースの第２のセットを備え、およびここにおいて、基準信号リソースは、周波数リソースの第２のセットにわたって非一様に分配される。上記で説明された方法、装置、および非一時的コンピュータ可読媒体のいくつかの例では、基準信号リソースは、時間リソースの第１のサブセットと時間リソースの第２のサブセットとにわたって非一様に分配され得るか、時間リソースの第１のサブセット内の基準信号リソースは、時間リソースの第２のサブセット内の基準信号リソースの少なくとも一部分とは異なる周波数リソースを占有するか、またはそれらの任意の組合せである。
【００２８】
[0028]上記で説明された方法、装置、および非一時的コンピュータ可読媒体のいくつかの例は、受信された基準信号送信に少なくとも部分的に基づいて送信機識別、タイミング情報、または同期信号送信構成のうちの１つまたは複数を決定するためのプロセス、特徴、手段、または命令をさらに含み得る。
【００２９】
[0029]ワイヤレス通信の方法について説明される。本方法は、同期信号送信のためのワイヤレスリソースの第１のセットとブロードキャストチャネル送信のためのワイヤレスリソースの第２のセットとを識別することと、ワイヤレスリソースの第２のセット内で基準信号リソースのロケーションを識別することと、基準信号リソースを介して基準信号送信を受信することと、受信された基準信号送信に少なくとも部分的に基づいて送信機識別、タイミング情報、または同期信号送信構成のうちの１つまたは複数を決定することとを含み得る。
【００３０】
[0030]ワイヤレス通信のための装置について説明される。本装置は、同期信号送信のためのワイヤレスリソースの第１のセットとブロードキャストチャネル送信のためのワイヤレスリソースの第２のセットとを識別するための手段と、ワイヤレスリソースの第２のセット内で基準信号リソースのロケーションを識別するための手段と、基準信号リソースを介して基準信号送信を受信するための手段と、受信された基準信号送信に少なくとも部分的に基づいて送信機識別、タイミング情報、または同期信号送信構成のうちの１つまたは複数を決定するための手段とを含み得る。
【００３１】
[0031]ワイヤレス通信のための別の装置について説明される。本装置は、プロセッサと、プロセッサと電子通信しているメモリと、メモリに記憶された命令とを含み得る。命令は、同期信号送信のためのワイヤレスリソースの第１のセットとブロードキャストチャネル送信のためのワイヤレスリソースの第２のセットとを識別することと、ワイヤレスリソースの第２のセット内で基準信号リソースのロケーションを識別することと、基準信号リソースを介して基準信号送信を受信することと、受信された基準信号送信に少なくとも部分的に基づいて送信機識別、タイミング情報、または同期信号送信構成のうちの１つまたは複数を決定することとをプロセッサに行わせるように動作可能であり得る。
【００３２】
[0032]ワイヤレス通信のための非一時的コンピュータ可読媒体について説明される。非一時的コンピュータ可読媒体は、同期信号送信のためのワイヤレスリソースの第１のセットとブロードキャストチャネル送信のためのワイヤレスリソースの第２のセットとを識別することと、ワイヤレスリソースの第２のセット内で基準信号リソースのロケーションを識別することと、基準信号リソースを介して基準信号送信を受信することと、受信された基準信号送信に少なくとも部分的に基づいて送信機識別、タイミング情報、または同期信号送信構成のうちの１つまたは複数を決定することとをプロセッサに行わせるように動作可能な命令を含み得る。
【００３３】
[0033]上記で説明された方法、装置、および非一時的コンピュータ可読媒体のいくつかの例では、決定することは、基準信号送信の基準信号シーケンスに少なくとも部分的に基づいて基地局のセル識別（a cell identification）を決定することを備える。
【００３４】
[0034]上記で説明された方法、装置、および非一時的コンピュータ可読媒体のいくつかの例は、ワイヤレスリソースの第１のセットを介して同期信号送信を受信するためのプロセス、特徴、手段、または命令をさらに含み得る。上記で説明された方法、装置、および非一時的コンピュータ可読媒体のいくつかの例は、同期信号送信に少なくとも部分的に基づいて基地局のセル識別を決定すること、およびここにおいて、基準信号送信を受信することが、基地局のセル識別に少なくとも部分的に基づき得る、のためのプロセス、特徴、手段、または命令をさらに含み得る。
【００３５】
[0035]上記で説明された方法、装置、および非一時的コンピュータ可読媒体のいくつかの例では、同期信号バーストセット内の同期信号バーストインデックスに関係する情報が、基準信号送信の基準信号シーケンスに少なくとも部分的に基づいて決定され得る。上記で説明された方法、装置、および非一時的コンピュータ可読媒体のいくつかの例では、同期信号バースト内の同期信号ブロックインデックスに関係する情報が、基準信号送信の基準信号シーケンスに少なくとも部分的に基づいて決定され得る。上記で説明された方法、装置、および非一時的コンピュータ可読媒体のいくつかの例では、決定することは、基準信号送信の基準信号シーケンスに少なくとも部分的に基づいて、ワイヤレスリソースの第２のセット中で送信されるブロードキャストチャネル送信の冗長バージョンを決定することを備える。上記で説明された方法、装置、および非一時的コンピュータ可読媒体のいくつかの例では、同期信号バースト、同期信号バーストセット、または同期信号送信の周期性のうちの１つまたは複数の構成が、基準信号送信の基準信号シーケンスに少なくとも部分的に基づいて決定され得る。
【００３６】
[0036]上記で説明された方法、装置、および非一時的コンピュータ可読媒体のいくつかの例では、決定は、基準信号送信の基準信号シーケンスと、送信機識別、タイミング情報、または同期信号送信構成のうちの１つまたは複数との間のマッピングに少なくとも部分的に基づき得る。上記で説明された方法、装置、および非一時的コンピュータ可読媒体のいくつかの例では、決定することは、基準信号リソースのロケーションと、送信機識別、タイミング情報、または同期信号送信構成のうちの１つまたは複数との間のマッピングに少なくとも部分的に基づき得る。
【００３７】
[0037]上記で説明された方法、装置、および非一時的コンピュータ可読媒体のいくつかの例では、ワイヤレスリソースの第１のセットは、第１の帯域幅にわたる周波数リソースの第１のセットを備え、ワイヤレスリソースの第２のセットは、第１の帯域幅の少なくとも一部分と重複する第２の帯域幅にわたる周波数リソースの第２のセットを備え、非一様に分配された基準信号リソースが、周波数リソースの第２のセットにわたって識別され得る。上記で説明された方法、装置、および非一時的コンピュータ可読媒体のいくつかの例では、第１の帯域幅よりも大きくなり得る第２の帯域幅。
【００３８】
[0038]上記で説明された方法、装置、および非一時的コンピュータ可読媒体のいくつかの例では、ワイヤレスリソースの第２のセットはＰＢＣＨリソースを備え、ワイヤレスリソースの第１のセットは同期信号リソースを備える。上記で説明された方法、装置、および非一時的コンピュータ可読媒体のいくつかの例では、ＰＢＣＨリソースは、時間リソースの第１のシンボルと時間リソースの第３のシンボルとを備え、同期信号リソースは、時間リソースの第２のシンボルと時間リソースの第４のシンボルとを備え、時間リソースの第２のシンボルは、時間リソースの第１のシンボルと時間リソースの第３のシンボルとの間に位置し、時間リソースの第４のシンボルは、時間リソースの第３のシンボルの後に位置する。上記で説明された方法、装置、および非一時的コンピュータ可読媒体のいくつかの例では、時間リソースの第２のシンボルは２次同期信号の送信のためであり得、時間リソースの第４のシンボルは１次同期信号の送信のためであり得る。上記で説明された方法、装置、および非一時的コンピュータ可読媒体のいくつかの例では、基準信号送信はＤＭＲＳ送信を備える。
【００３９】
[0039]上記で説明された方法、装置、および非一時的コンピュータ可読媒体のいくつかの例では、ワイヤレスリソースの第２のセットは、時間リソースの第１のサブセットと時間リソースの第２のサブセットとを備え、基準信号リソースは、時間リソースの第１のサブセットと時間リソースの第２のサブセットとにわたって非一様に分配され得るか、時間リソースの第１のサブセット内の基準信号リソースは、時間リソースの第２のサブセット内の基準信号リソースの少なくとも一部分とは異なる周波数リソースを占有するか、またはそれらの任意の組合せである。
【００４０】
[0040]上記で説明された方法、装置、および非一時的コンピュータ可読媒体のいくつかの例では、ワイヤレスリソースの第２のセットは、時間リソースの第１のサブセットと時間リソースの第２のサブセットとを備え、時間リソースの第１のサブセットと時間リソースの第２のサブセットとの内で基準信号リソースのロケーションが識別され得る。上記で説明された方法、装置、および非一時的コンピュータ可読媒体のいくつかの例は、基準信号リソースのロケーションに少なくとも部分的に基づいて基準信号送信の波形を決定するためのプロセス、特徴、手段、または命令をさらに含み得る。上記で説明された方法、装置、および非一時的コンピュータ可読媒体のいくつかの例は、受信された基準信号送信と基準信号送信の決定された波形とに少なくとも部分的に基づいてチャネル推定を実施するためのプロセス、特徴、手段、または命令をさらに含み得る。
【００４１】
[0041]ワイヤレス通信の方法について説明される。本方法は、同期信号送信のためのワイヤレスリソースの第１のセットとブロードキャストチャネル送信のためのワイヤレスリソースの第２のセットとを構成することと、ワイヤレスリソースの第１のセットが、第１の帯域幅にわたる周波数リソースの第１のセットを備え、ワイヤレスリソースの第２のセットが、第１の帯域幅の少なくとも一部分と重複する第２の帯域幅にわたる周波数リソースの第２のセットを備える、ワイヤレスリソースの第２のセット内で基準信号リソースを構成することと、基準信号リソースのロケーションが、第１の帯域幅に対するワイヤレスリソースの第２のセット内の時間リソースロケーションまたはワイヤレスリソースの第２のセット内の周波数リソースロケーションのうちの１つまたは複数に少なくとも部分的に基づく、基準信号リソースを使用して基準信号送信を、およびワイヤレスリソースの第１のセットを使用して同期信号送信を送信することとを含み得る。
【００４２】
[0042]ワイヤレス通信のための装置について説明される。本装置は、同期信号送信のためのワイヤレスリソースの第１のセットとブロードキャストチャネル送信のためのワイヤレスリソースの第２のセットとを構成するための手段と、ワイヤレスリソースの第１のセットが、第１の帯域幅にわたる周波数リソースの第１のセットを備え、ワイヤレスリソースの第２のセットが、第１の帯域幅の少なくとも一部分と重複する第２の帯域幅にわたる周波数リソースの第２のセットを備える、ワイヤレスリソースの第２のセット内で基準信号リソースを構成するための手段と、基準信号リソースのロケーションが、第１の帯域幅に対するワイヤレスリソースの第２のセット内の時間リソースロケーションまたはワイヤレスリソースの第２のセット内の周波数リソースロケーションのうちの１つまたは複数に少なくとも部分的に基づく、基準信号リソースを使用して基準信号送信を、およびワイヤレスリソースの第１のセットを使用して同期信号送信を送信するための手段とを含み得る。
【００４３】
[0043]ワイヤレス通信のための別の装置について説明される。本装置は、プロセッサと、プロセッサと電子通信しているメモリと、メモリに記憶された命令とを含み得る。命令は、同期信号送信のためのワイヤレスリソースの第１のセットとブロードキャストチャネル送信のためのワイヤレスリソースの第２のセットとを構成することと、ワイヤレスリソースの第１のセットが、第１の帯域幅にわたる周波数リソースの第１のセットを備え、ワイヤレスリソースの第２のセットが、第１の帯域幅の少なくとも一部分と重複する第２の帯域幅にわたる周波数リソースの第２のセットを備える、ワイヤレスリソースの第２のセット内で基準信号リソースを構成することと、基準信号リソースのロケーションが、第１の帯域幅に対するワイヤレスリソースの第２のセット内の時間リソースロケーションまたはワイヤレスリソースの第２のセット内の周波数リソースロケーションのうちの１つまたは複数に少なくとも部分的に基づく、基準信号リソースを使用して基準信号送信を、およびワイヤレスリソースの第１のセットを使用して同期信号送信を送信することとをプロセッサに行わせるように動作可能であり得る。
【００４４】
[0044]ワイヤレス通信のための非一時的コンピュータ可読媒体について説明される。非一時的コンピュータ可読媒体は、同期信号送信のためのワイヤレスリソースの第１のセットとブロードキャストチャネル送信のためのワイヤレスリソースの第２のセットとを構成することと、ワイヤレスリソースの第１のセットが、第１の帯域幅にわたる周波数リソースの第１のセットを備え、ワイヤレスリソースの第２のセットが、第１の帯域幅の少なくとも一部分と重複する第２の帯域幅にわたる周波数リソースの第２のセットを備える、ワイヤレスリソースの第２のセット内で基準信号リソースを構成することと、基準信号リソースのロケーションが、第１の帯域幅に対するワイヤレスリソースの第２のセット内の時間リソースロケーションまたはワイヤレスリソースの第２のセット内の周波数リソースロケーションのうちの１つまたは複数に少なくとも部分的に基づく、基準信号リソースを使用して基準信号送信を、およびワイヤレスリソースの第１のセットを使用して同期信号送信を送信することとをプロセッサに行わせるように動作可能な命令を含み得る。
【００４５】
[0045]上記で説明された方法、装置、および非一時的コンピュータ可読媒体のいくつかの例では、第２の帯域幅は第１の帯域幅よりも大きくなり得る。上記で説明された方法、装置、および非一時的コンピュータ可読媒体のいくつかの例では、基準信号リソースのロケーションは、周波数リソースの第２のセットにわたって非一様に分配された基準信号リソースになるように構成され得る。
【００４６】
[0046]上記で説明された方法、装置、および非一時的コンピュータ可読媒体のいくつかの例では、周波数リソースの第２のセットは、第１の帯域幅と重複していることがある周波数リソースの第１のサブセットと、第１の帯域幅と重複していないことがある周波数リソースの第２のサブセットとを備え、周波数リソースの第２のサブセットは、周波数リソースの第１のサブセットよりも基準信号リソースの高い密度を有し得る。上記で説明された方法、装置、および非一時的コンピュータ可読媒体のいくつかの例では、周波数リソースの第１のサブセットは基準信号リソースがないことがある。
【００４７】
[0047]上記で説明された方法、装置、および非一時的コンピュータ可読媒体のいくつかの例では、ワイヤレスリソースの第２のセットは、時間リソースの第１のサブセットと時間リソースの第２のサブセットとを備え、基準信号リソースは、時間リソースの第１のサブセットと時間リソースの第２のサブセットとにわたって非一様に分配され得る。上記で説明された方法、装置、および非一時的コンピュータ可読媒体のいくつかの例では、ワイヤレスリソースの第２のセットは、時間リソースの第１のサブセットと時間リソースの第２のサブセットとを備え、時間リソースの第１のサブセット内の基準信号リソースは、時間リソースの第２のサブセット内の基準信号リソースの少なくとも一部分とは異なる周波数リソースを占有する。上記で説明された方法、装置、および非一時的コンピュータ可読媒体のいくつかの例では、ワイヤレスリソースの第２のセットは、時間リソースの第１のサブセットと時間リソースの第２のサブセットとを備え、時間リソースの第１のサブセットと時間リソースの第２のサブセットとの内の基準信号リソースの少なくとも一部分は、共通の周波数トーンを占有する。
【００４８】
[0048]上記で説明された方法、装置、および非一時的コンピュータ可読媒体のいくつかの例では、ワイヤレスリソースの第２のセットはＰＢＣＨリソースを備え、ワイヤレスリソースの第１のセットは同期信号リソースを備える。上記で説明された方法、装置、および非一時的コンピュータ可読媒体のいくつかの例では、ＰＢＣＨリソースは、時間リソースの第１のシンボルと時間リソースの第３のシンボルとを備え、同期信号リソースは、時間リソースの第２のシンボルと時間リソースの第４のシンボルとを備え、時間リソースの第２のシンボルは、時間リソースの第１のシンボルと時間リソースの第３のシンボルとの間に位置し、時間リソースの第４のシンボルは、時間リソースの第３のシンボルの後に位置する。上記で説明された方法、装置、および非一時的コンピュータ可読媒体のいくつかの例では、時間リソースの第２のシンボルは２次同期信号の送信のためであり得、時間リソースの第４のシンボルは１次同期信号の送信のためであり得る。
【００４９】
[0049]上記で説明された方法、装置、および非一時的コンピュータ可読媒体のいくつかの例では、基準信号送信はＤＭＲＳ送信を備える。上記で説明された方法、装置、および非一時的コンピュータ可読媒体のいくつかの例は、基準信号送信に少なくとも部分的に基づいて送信機識別、タイミング情報、または同期信号送信構成のうちの１つまたは複数の指示を提供するためのプロセス、特徴、手段、または命令をさらに含み得る。
【００５０】
[0050]ワイヤレス通信の方法について説明される。本方法は、同期信号送信のためのワイヤレスリソースの第１のセットとブロードキャストチャネル送信のためのワイヤレスリソースの第２のセットとを構成することと、ワイヤレスリソースの第２のセットが、時間リソースの第１のサブセットと時間リソースの第２のサブセットとを備える、時間リソースの第１のサブセットと時間リソースの第２のサブセットとの内で基準信号リソースのロケーションを構成することと、基準信号リソースのロケーションに少なくとも部分的に基づいて基準信号送信の波形を決定することと、基準信号リソースを介して基準信号を送信することとを含み得る。
【００５１】
[0051]ワイヤレス通信のための装置について説明される。本装置は、同期信号送信のためのワイヤレスリソースの第１のセットとブロードキャストチャネル送信のためのワイヤレスリソースの第２のセットとを構成するための手段と、ワイヤレスリソースの第２のセットが、時間リソースの第１のサブセットと時間リソースの第２のサブセットとを備える、時間リソースの第１のサブセットと時間リソースの第２のサブセットとの内で基準信号リソースのロケーションを構成するための手段と、基準信号リソースのロケーションに少なくとも部分的に基づいて基準信号送信の波形を決定するための手段と、基準信号リソースを介して基準信号を送信するための手段とを含み得る。
【００５２】
[0052]ワイヤレス通信のための別の装置について説明される。本装置は、プロセッサと、プロセッサと電子通信しているメモリと、メモリに記憶された命令とを含み得る。命令は、同期信号送信のためのワイヤレスリソースの第１のセットとブロードキャストチャネル送信のためのワイヤレスリソースの第２のセットとを構成することと、ワイヤレスリソースの第２のセットが、時間リソースの第１のサブセットと時間リソースの第２のサブセットとを備える、時間リソースの第１のサブセットと時間リソースの第２のサブセットとの内で基準信号リソースのロケーションを構成することと、基準信号リソースのロケーションに少なくとも部分的に基づいて基準信号送信の波形を決定することと、基準信号リソースを介して基準信号を送信することとをプロセッサに行わせるように動作可能であり得る。
【００５３】
[0053]ワイヤレス通信のための非一時的コンピュータ可読媒体について説明される。非一時的コンピュータ可読媒体は、同期信号送信のためのワイヤレスリソースの第１のセットとブロードキャストチャネル送信のためのワイヤレスリソースの第２のセットとを構成することと、ワイヤレスリソースの第２のセットが、時間リソースの第１のサブセットと時間リソースの第２のサブセットとを備える、時間リソースの第１のサブセットと時間リソースの第２のサブセットとの内で基準信号リソースのロケーションを構成することと、基準信号リソースのロケーションに少なくとも部分的に基づいて基準信号送信の波形を決定することと、基準信号リソースを介して基準信号を送信することとをプロセッサに行わせるように動作可能な命令を含み得る。
【００５４】
[0054]上記で説明された方法、装置、および非一時的コンピュータ可読媒体のいくつかの例では、時間リソースの第１のサブセットと時間リソースの第２のサブセットとの各々の基準信号リソースは、同じ数の周波数トーンを占有する。上記で説明された方法、装置、および非一時的コンピュータ可読媒体のいくつかの例では、時間リソースの第１のサブセットと時間リソースの第２のサブセットとの各々は、同じ基準信号波形を有し得る。
【００５５】
[0055]上記で説明された方法、装置、および非一時的コンピュータ可読媒体のいくつかの例では、時間リソースの第１のサブセットは、トーンの第１のサブセットとトーンの第２のサブセットとの中に基準信号リソースを含み、時間リソースの第２のサブセットは、トーンの第１のサブセットとトーンの第３のサブセットとの中に基準信号リソースを含む。上記で説明された方法、装置、および非一時的コンピュータ可読媒体のいくつかの例では、時間リソースの第１のサブセットと時間リソースの第２のサブセットとの中のトーンの第１のサブセットは、同じ基準信号波形を有し得、時間リソースの第１のサブセット中のトーンの第２のサブセットと、時間リソースの第２のサブセット中のトーンの第３のサブセットとは、異なる基準信号波形を有し得る。上記で説明された方法、装置、および非一時的コンピュータ可読媒体のいくつかの例では、時間リソースの第１のサブセットと、時間リソースの第２のサブセットとは、異なる基準信号波形を有し得る。上記で説明された方法、装置、および非一時的コンピュータ可読媒体のいくつかの例では、時間リソースの第１のサブセットと、時間リソースの第２のサブセットとは、基準信号シーケンスの異なる部分を有し得る。
【００５６】
[0056]上記で説明された方法、装置、および非一時的コンピュータ可読媒体のいくつかの例では、ワイヤレスリソースの第２のセットはＰＢＣＨリソースを備え、ワイヤレスリソースの第１のセットは同期信号リソースを備える。上記で説明された方法、装置、および非一時的コンピュータ可読媒体のいくつかの例では、ＰＢＣＨリソースは、時間リソースの第１のシンボルと時間リソースの第３のシンボルとを備え、同期信号リソースは、時間リソースの第２のシンボルと時間リソースの第４のシンボルとを備え、時間リソースの第２のシンボルは、時間リソースの第１のシンボルと時間リソースの第３のシンボルとの間に位置し、時間リソースの第４のシンボルは、時間リソースの第３のシンボルの後に位置する。上記で説明された方法、装置、および非一時的コンピュータ可読媒体のいくつかの例では、時間リソースの第２のシンボルは２次同期信号の送信のためであり得、時間リソースの第４のシンボルは１次同期信号の送信のためであり得る。
【００５７】
[0057]上記で説明された方法、装置、および非一時的コンピュータ可読媒体のいくつかの例では、基準信号送信はＤＭＲＳ送信を備える。上記で説明された方法、装置、および非一時的コンピュータ可読媒体のいくつかの例では、ワイヤレスリソースの第１のセットは、第１の帯域幅にわたる周波数リソースの第１のセットを備え、ワイヤレスリソースの第２のセットは、第１の帯域幅よりも大きくなり得る第２の帯域幅にわたり第１の帯域幅の少なくとも一部分と重複する周波数リソースの第２のセットを備え、およびここにおいて、本方法は、周波数リソースの第２のセットにわたって非一様に分配された基準信号リソースを構成することをさらに備える。
【００５８】
[0058]上記で説明された方法、装置、および非一時的コンピュータ可読媒体のいくつかの例では、基準信号リソースは、時間リソースの第１のサブセットと時間リソースの第２のサブセットとにわたって非一様に分配され得るか、時間リソースの第１のサブセット内の基準信号リソースは、時間リソースの第２のサブセット内の基準信号リソースの少なくとも一部分とは異なる周波数リソースを占有するか、またはそれらの任意の組合せである。
【００５９】
[0059]ワイヤレス通信の方法について説明される。本方法は、同期信号送信のためのワイヤレスリソースの第１のセットとブロードキャストチャネル送信のためのワイヤレスリソースの第２のセットとを構成することと、ワイヤレスリソースの第２のセット内で基準信号リソースのロケーションを構成することと、基準信号リソースを介して基準信号送信を送信することと、ここにおいて、基準信号送信、基準信号リソースのロケーション、またはそれらの任意の組合せが、送信機識別、タイミング情報、または同期信号送信構成のうちの１つまたは複数の指示を提供する、を含み得る。
【００６０】
[0060]ワイヤレス通信のための装置について説明される。本装置は、同期信号送信のためのワイヤレスリソースの第１のセットとブロードキャストチャネル送信のためのワイヤレスリソースの第２のセットとを構成するための手段と、ワイヤレスリソースの第２のセット内で基準信号リソースのロケーションを構成するための手段と、基準信号リソースを介して基準信号送信を送信するための手段と、ここにおいて、基準信号送信、基準信号リソースのロケーション、またはそれらの任意の組合せが、送信機識別、タイミング情報、または同期信号送信構成のうちの１つまたは複数の指示を提供する、を含み得る。
【００６１】
[0061]ワイヤレス通信のための別の装置について説明される。本装置は、プロセッサと、プロセッサと電子通信しているメモリと、メモリに記憶された命令とを含み得る。命令は、同期信号送信のためのワイヤレスリソースの第１のセットとブロードキャストチャネル送信のためのワイヤレスリソースの第２のセットとを構成することと、ワイヤレスリソースの第２のセット内で基準信号リソースのロケーションを構成することと、基準信号リソースを介して基準信号送信を送信することと、ここにおいて、基準信号送信、基準信号リソースのロケーション、またはそれらの任意の組合せが、送信機識別、タイミング情報、または同期信号送信構成のうちの１つまたは複数の指示を提供する、をプロセッサに行わせるように動作可能であり得る。
【００６２】
[0062]ワイヤレス通信のための非一時的コンピュータ可読媒体について説明される。非一時的コンピュータ可読媒体は、同期信号送信のためのワイヤレスリソースの第１のセットとブロードキャストチャネル送信のためのワイヤレスリソースの第２のセットとを構成することと、ワイヤレスリソースの第２のセット内で基準信号リソースのロケーションを構成することと、基準信号リソースを介して基準信号送信を送信することと、ここにおいて、基準信号送信、基準信号リソースのロケーション、またはそれらの任意の組合せが、送信機識別、タイミング情報、または同期信号送信構成のうちの１つまたは複数の指示を提供する、をプロセッサに行わせるように動作可能な命令を含み得る。
【００６３】
[0063]上記で説明された方法、装置、および非一時的コンピュータ可読媒体のいくつかの例では、基地局のセル識別と、同期信号バーストセット内の同期信号バーストインデックスと、同期信号バースト内の同期信号ブロックインデックスと、ワイヤレスリソースの第２のセット中で送信されるブロードキャストチャネル送信の冗長バージョンと、同期信号バースト、同期信号バーストセット、同期信号送信の周期性のうちの１つまたは複数の構成とのうちの１つまたは複数、あるいはそれらの任意の組合せが、基準信号送信の基準信号シーケンスにマッピングされ得る。
【００６４】
[0064]上記で説明された方法、装置、および非一時的コンピュータ可読媒体のいくつかの例では、ワイヤレスリソースの第１のセットは、第１の帯域幅にわたる周波数リソースの第１のセットを備え、ワイヤレスリソースの第２のセットは、第１の帯域幅よりも大きくなり得る第２の帯域幅にわたり第１の帯域幅の少なくとも一部分と重複する周波数リソースの第２のセットを備え、およびここにおいて、本方法は、周波数リソースの第２のセットにわたって非一様に分配された基準信号リソースを構成することをさらに備える。
【００６５】
[0065]上記で説明された方法、装置、および非一時的コンピュータ可読媒体のいくつかの例では、ワイヤレスリソースの第２のセットはＰＢＣＨリソースを備え、ワイヤレスリソースの第１のセットは同期信号リソースを備える。上記で説明された方法、装置、および非一時的コンピュータ可読媒体のいくつかの例では、ＰＢＣＨリソースは、時間リソースの第１のシンボルと時間リソースの第３のシンボルとを備え、同期信号リソースは、時間リソースの第２のシンボルと時間リソースの第４のシンボルとを備え、時間リソースの第２のシンボルは、時間リソースの第１のシンボルと時間リソースの第３のシンボルとの間に位置し、時間リソースの第４のシンボルは、時間リソースの第３のシンボルの後に位置する。上記で説明された方法、装置、および非一時的コンピュータ可読媒体のいくつかの例では、時間リソースの第２のシンボルは２次同期信号の送信のためであり得、時間リソースの第４のシンボルは１次同期信号の送信のためであり得る。上記で説明された方法、装置、および非一時的コンピュータ可読媒体のいくつかの例では、基準信号送信はＤＭＲＳ送信を備える。
【図面の簡単な説明】
【００６６】
【図１】[0066]本開示の態様によるワイヤレス通信における基準信号方式をサポートするワイヤレス通信のためのシステムの一例を示す図。
【図２】[0067]本開示の態様によるワイヤレス通信におけるＳＳブロックおよび基準信号方式をサポートするワイヤレス通信システムの一例を示す図。
【図３】[0068]本開示の態様によるワイヤレス通信における基準信号方式をサポートする同期信号（ＳＳ）バーストリソースの一例を示す図。
【図４】[0069]本開示の態様によるワイヤレス通信における基準信号方式をサポートするＳＳブロックリソースの一例を示す図。
【図５】[0070]本開示の態様によるワイヤレス通信における基準信号方式をサポートするＳＳブロックリソースの別の例を示す図。
【図６】[0071]本開示の態様によるワイヤレス通信における基準信号方式をサポートするＳＳブロックリソースの別の例を示す図。
【図７】[0072]本開示の態様によるワイヤレス通信における基準信号方式をサポートするＳＳブロックリソースの別の例を示す図。
【図８】[0073]本開示の態様によるワイヤレス通信における基準信号方式をサポートするプロセスフローの一例を示す図。
【図９】[0074]本開示の態様によるワイヤレス通信における基準信号方式をサポートするデバイスのブロック図。
【図１０】本開示の態様によるワイヤレス通信における基準信号方式をサポートするデバイスのブロック図。
【図１１】本開示の態様によるワイヤレス通信における基準信号方式をサポートするデバイスのブロック図。
【図１２】[0075]本開示の態様によるワイヤレス通信における基準信号方式をサポートするＵＥを含むシステムのブロック図。
【図１３】[0076]本開示の態様によるワイヤレス通信における基準信号方式をサポートするデバイスのブロック図。
【図１４】本開示の態様によるワイヤレス通信における基準信号方式をサポートするデバイスのブロック図。
【図１５】本開示の態様によるワイヤレス通信における基準信号方式をサポートするデバイスのブロック図。
【図１６】[0077]本開示の態様によるワイヤレス通信における基準信号方式をサポートする基地局を含むシステムのブロック図。
【図１７】[0078]本開示の態様によるワイヤレス通信における基準信号方式のための方法を示す図。
【図１８】本開示の態様によるワイヤレス通信における基準信号方式のための方法を示す図。
【図１９】本開示の態様によるワイヤレス通信における基準信号方式のための方法を示す図。
【図２０】本開示の態様によるワイヤレス通信における基準信号方式のための方法を示す図。
【図２１】本開示の態様によるワイヤレス通信における基準信号方式のための方法を示す図。
【図２２】本開示の態様によるワイヤレス通信における基準信号方式のための方法を示す図。
【発明を実施するための形態】
【００６７】
[0079]本明細書で説明されるワイヤレス通信システムは、初期捕捉および基地局との通信においてユーザ機器（ＵＥ）を助けるために、同期信号（ＳＳ）と物理ブロードキャストチャネル（ＰＢＣＨ）送信とが送信され得る同期信号ブロックを提供するように構成され得る。いくつかの例では、ＰＢＣＨ送信は、ＳＳブロック時間リソースのサブセット中で（たとえば、ＳＳブロックの２つのシンボル中で）送信され得、同期信号（たとえば、１次同期信号（ＰＳＳ）および２次同期信号（ＳＳＳ））は、ＳＳブロック時間リソースの別のサブセット中で送信され得る。ミリメートル波（ｍｍＷ）送信周波数を使用する展開では、ＳＳバースト中のビーム掃引を使用して複数のＳＳブロックが異なる方向に送信され得、ＳＳバーストは、ＳＳバーストセットに従って周期的に送信され得る。基地局がオムニ指向的に送信し得る場合、ＳＳブロックは、構成された周期性に従って周期的に送信され得る。
【００６８】
[0080]ある場合には、ＰＢＣＨ送信はＳＳ送信を使用して復調され得、それにおいて、ＳＳ送信は、ＵＥがＰＢＣＨ送信を復調することを可能にし得るチャネル推定のために使用される。いくつかの例では、ＰＢＣＨ送信は、ＳＳ送信よりも大きい周波数帯域幅を使用して送信され得、その場合、ＰＢＣＨ送信における１つまたは複数の基準信号送信（たとえば、復調基準信号（ＤＭＲＳ）送信）は、ＰＢＣＨ送信の信頼できる復調を提供するために有用であり得る。いくつかの例では、ＰＢＣＨ送信は、基準信号送信、ＳＳ送信、またはそれらの組合せを使用して復調され得る。
【００６９】
[0081]ある場合には、基準信号（たとえば、ＤＭＲＳ）は、ＰＢＣＨ時間リソース内のトーンを使用して送信され得、トーンのロケーションは、比較的少数の送信リソースを使用して効率的な復調を提供するように選択され得る。ある場合には、上記のように、ＰＢＣＨ送信の帯域幅はＳＳ送信の帯域幅よりも大きくなり得、ＤＭＲＳは、ＳＳ送信帯域幅の外部にあるＰＢＣＨ送信帯域幅の部分についてより高い密度で送信され得る。ある場合には、異なるＤＭＲＳトーンは、異なるＰＢＣＨ時間リソースのために使用され得る。
【００７０】
[0082]ある場合には、ＤＭＲＳ波形は、ＰＢＣＨ時間リソースにわたって（たとえば、ＰＢＣＨ送信を含んでいる２つ以上のＯＦＤＭシンボルにわたって）構成され得る。いくつかの例では、各ＰＢＣＨシンボルについて同じＤＭＲＳシーケンスが使用され得、各ＰＢＣＨシンボルは同じ数のＤＭＲＳトーンを含み得る。他の例では、ＰＢＣＨシンボルは、ＰＢＣＨシンボルにわたって共通のＤＭＲＳトーンのサブセットと、ＰＢＣＨシンボルにわたって異なるＤＭＲＳトーンのサブセットとを含み得る。そのような例では、共通のＤＭＲＳトーンは同じＤＭＲＳシーケンスを共有し得、他方のＤＭＲＳトーンは異なるシーケンスを有し得る。またさらなる例では、ＰＢＣＨ送信の異なるシンボルのＤＭＲＳ波形はまったく異なり得る。いくつかの例では、ロング基本シーケンス（たとえば、ロングＺａｄｏｆｆ−Ｃｈｕシーケンス、ｍシーケンス、またはそれのサイクリックシフト）を異なるＰＢＣＨ時間リソースの間でスプリットすることによって異なるＤＭＲＳシーケンスが構築され得る。いくつかの例では、基準信号シーケンス（たとえば、ＤＭＲＳシーケンス）、トーンロケーション、またはそれらの組合せは、識別情報、タイミング情報、構成情報、またはそれらの任意の組合せのうちの１つまたは複数を搬送するために使用され得る。
【００７１】
[0083]本開示の態様について、最初にワイヤレス通信システムのコンテキストにおいて説明される。様々なチャネル構成およびリソース割振り方式の例について説明される。本開示の態様は、ワイヤレス通信における基準信号方式に関する装置図、システム図、およびフローチャートによってさらに示され、およびそれらを参照しながら説明される。
【００７２】
[0084]図１は、本開示の様々な態様によるワイヤレス通信システム１００の一例を示す。ワイヤレス通信システム１００は、基地局１０５と、ＵＥ１１５と、コアネットワーク１３０とを含む。いくつかの例では、ワイヤレス通信システム１００は、ロングタームエボリューション（ＬＴＥ）、ＬＴＥアドバンスト（ＬＴＥ−Ａ）ネットワーク、または新無線（ＮＲ）ネットワークであり得る。ある場合には、ワイヤレス通信システム１００は、拡張ブロードバンド通信と、超高信頼（すなわち、ミッションクリティカルな）通信と、低レイテンシ通信と、低コストおよび低複雑度デバイスとの通信とをサポートし得る。基地局１０５とＵＥ１１５とは、ＳＳブロック内で異なる時間リソース（たとえば、ＯＦＤＭシンボル）を使用するＰＢＣＨおよびＳＳ送信とともにＳＳブロックを使用するように構成され得る。
【００７３】
[0085]基地局１０５は、１つまたは複数の基地局アンテナを介してＵＥ１１５とワイヤレス通信し得る。各基地局１０５は、それぞれの地理的カバレッジエリア１１０に通信カバレッジを与え得る。ワイヤレス通信システム１００に示されている通信リンク１２５は、ＵＥ１１５から基地局１０５へのアップリンク送信、または基地局１０５からＵＥ１１５へのダウンリンク送信を含み得る。制御情報およびデータは、様々な技法に従ってアップリンクチャネルまたはダウンリンク上で多重化され得る。制御情報およびデータは、たとえば、時分割多重化（ＴＤＭ）技法、周波数分割多重化（ＦＤＭ）技法、またはハイブリッドＴＤＭ−ＦＤＭ技法を使用して、ダウンリンクチャネル上で多重化され得る。いくつかの例では、ダウンリンクチャネルの送信時間間隔（ＴＴＩ）中に送信される制御情報は、カスケード様式で異なる制御領域間で（たとえば、共通制御領域と１つまたは複数のＵＥ固有制御領域との間で）分散され得る。
【００７４】
[0086]ＵＥ１１５は、ワイヤレス通信システム１００全体にわたって分散され得、各ＵＥ１１５は固定または移動であり得る。ＵＥ１１５は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。ＵＥ１１５はまた、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、パーソナル電子デバイス、ハンドヘルドデバイス、パーソナルコンピュータ、ワイヤレスローカルループ（ＷＬＬ）局、モノのインターネット（ＩｏＴ）デバイス、あらゆるモノのインターネット（ＩｏＥ：Internet of Everything）デバイス、マシンタイプ通信（ＭＴＣ）デバイス、機器、自動車などであり得る。
【００７５】
[0087]基地局１０５は、コアネットワーク１３０とおよび互いに通信し得る。たとえば、基地局１０５は、バックホールリンク１３２（たとえば、Ｓ１など）を通してコアネットワーク１３０とインターフェースし得る。基地局１０５は、直接的または間接的のいずれかで（たとえば、コアネットワーク１３０を通して）、バックホールリンク１３４（たとえば、Ｘ２など）を介して互いに通信し得る。基地局１０５は、ＵＥ１１５との通信のための無線構成およびスケジューリングを実施し得るか、または基地局コントローラ（図示されず）の制御下で動作し得る。いくつかの例では、基地局１０５は、マクロセル、スモールセル、ホットスポットなどであり得る。基地局１０５は、発展型ノードＢ（ｅＮＢ）１０５または次世代ノードＢ（ｇＮＢ）と呼ばれることもある。
【００７６】
[0088]コアネットワーク１３０は、ユーザ認証と、アクセス許可と、トラッキングと、インターネットプロトコル（ＩＰ）接続性と、他のアクセス、ルーティング、またはモビリティ機能とを与え得る。基地局１０５など、ネットワークデバイスのうちの少なくともいくつかは、アクセスネットワークエンティティまたはアクセスノードコントローラ（ＡＮＣ）などの副構成要素を含み得る。各アクセスネットワークエンティティは、各々がスマート無線ヘッドまたは送信／受信ポイント（ＴＲＰ）の一例であり得る、いくつかの他のアクセスネットワーク送信エンティティを通していくつかのＵＥ１１５と通信し得る。いくつかの構成では、各アクセスネットワークエンティティまたは基地局１０５の様々な機能は、様々なネットワークデバイス（たとえば、無線ヘッドおよびアクセスネットワークコントローラ）にわたって分散されるか、または単一のネットワークデバイス（たとえば、基地局１０５）にコンソリデートされ得る。
【００７７】
[0089]ワイヤレス通信システム１００は、いくつかのネットワーク（たとえば、ワイヤレスローカルエリアネットワーク（ＷＬＡＮ））が４ＧＨｚ程度の高い周波数を使用することがあるが、７００ＭＨｚから２６００ＭＨｚ（２．６ＧＨｚ）までの周波数帯域を使用する極超短波（ＵＨＦ）周波数領域において動作し得る。この領域は、波長が長さで約１デシメートルから１メートルにわたるので、デシメートル帯域として知られることもある。ＵＨＦ波は、主に見通し線によって伝搬し得、建築物および環境的特徴によってブロックされ得る。しかしながら、波は、屋内に位置するＵＥ１１５にサービスを提供するのに十分に壁を透過し（penetrate）得る。ＵＨＦ波の送信は、スペクトルの短波（ＨＦ）または超短波（ＶＨＦ）部分のより小さい周波数（およびより長い波）を使用する送信と比較して、より小さいアンテナおよびより短い範囲（たとえば、１００ｋｍ未満）によって特徴づけられる。ある場合には、ワイヤレス通信システム１００は、スペクトルの極高周波（ＥＨＦ）部分（たとえば、３０ＧＨｚから３００ＧＨｚまで）をも利用し得る。この領域は、波長が長さで約１ミリメートルから１センチメートルにわたるので、ミリメートル帯域として知られることもある。したがって、ＥＨＦアンテナは、ＵＨＦアンテナよりも一層小さくなり、より近接して離間され得る。ある場合には、これは、（たとえば、指向性ビームフォーミングのために）ＵＥ１１５内でアンテナアレイの使用を容易にし得る。しかしながら、ＥＨＦ送信は、ＵＨＦ送信よりも一層大きい大気減衰およびより短い範囲に支配され（be subject to）得る。
【００７８】
[0090]このようにして、ワイヤレス通信システム１００は、ＵＥ１１５と基地局１０５との間のミリメートル波（ｍｍＷ）通信をサポートし得る。ｍｍＷまたはＥＨＦ帯域において動作するデバイスは、ビームフォーミングを可能にするために複数のアンテナを有し得る。すなわち、基地局１０５は、ＵＥ１１５との指向性通信のためのビームフォーミング演算を行うために複数のアンテナまたはアンテナアレイを使用し得る。ビームフォーミング（空間フィルタ処理または指向性送信と呼ばれることもある）は、全体的なアンテナビームをターゲット受信機（たとえば、ＵＥ１１５）の方向に整形および／またはステアリングするために送信機（たとえば、基地局１０５）において使用され得る信号処理技法である。これは、特定の角度において送信される信号が強め合う干渉を経験しながら、他の信号が弱め合う干渉を経験するような仕方でアンテナアレイ中の要素を組み合わせることによって達成され得る。
【００７９】
[0091]多入力多出力（ＭＩＭＯ）ワイヤレスシステムは、送信機（たとえば、基地局１０５）と受信機（たとえば、ＵＥ１１５）との間で送信方式を使用し、ここで、送信機と受信機の両方が複数のアンテナを装備する。ワイヤレス通信システム１００のいくつかの部分はビームフォーミングを使用し得る。たとえば、基地局１０５は、基地局１０５がＵＥ１１５とのそれの通信においてビームフォーミングのために使用し得る、アンテナポートのいくつかの行および列をもつアンテナアレイを有し得る。信号は異なる方向に複数回送信され得る（たとえば、各送信は別様にビームフォーミングされ得る）。ｍｍＷ受信機（たとえば、ＵＥ１１５）は、同期信号を受信しながら、複数のビーム（たとえば、アンテナサブアレイ）を試み得る。
【００８０】
[0092]ある場合には、基地局１０５またはＵＥ１１５のアンテナは、ビームフォーミングまたはＭＩＭＯ演算をサポートし得る、１つまたは複数のアンテナアレイ内に位置し得る。１つまたは複数の基地局アンテナまたはアンテナアレイが、アンテナ塔などのアンテナアセンブリにおいてコロケートされ得る。ある場合には、基地局１０５に関連するアンテナまたはアンテナアレイが、多様な地理的ロケーションに位置し得る。基地局１０５は、ＵＥ１１５との指向性通信のためのビームフォーミング演算を行うためにアンテナまたはアンテナアレイを複数使用し得る。
【００８１】
[0093]ある場合には、ワイヤレス通信システム１００は、認可無線周波数スペクトル帯域と無認可無線周波数スペクトル帯域の両方を利用し得る。たとえば、ワイヤレス通信システム１００は、５Ｇｈｚ産業科学医療用（ＩＳＭ）帯域などの無認可帯域中でＬＴＥ認可支援型アクセス（ＬＴＥ−ＬＡＡ）またはＬＴＥ無認可（ＬＴＥ  Ｕ）無線アクセス技術あるいはＮＲ技術を採用し得る。無認可無線周波数スペクトル帯域中で動作するとき、基地局１０５およびＵＥ１１５などのワイヤレスデバイスは、データを送信する前にチャネルがクリアであることを保証するために、リッスンビフォアトーク（ＬＢＴ）手順を採用し得る。ある場合には、無認可帯域中の動作は、認可帯域中で動作するＣＣとともに、ＣＡ構成に基づき得る。無認可スペクトル中の動作は、ダウンリンク送信、アップリンク送信、またはその両方を含み得る。無認可スペクトル中の複信は、周波数分割複信（ＦＤＤ）、時分割複信（ＴＤＤ）、またはその両方の組合せに基づき得る。
【００８２】
[0094]上記で論じられたように、いくつかの例では、基地局１０５は、システム捕捉においてＵＥ１１５によって使用され得るＳＳブロックを送信し得る。ＳＳブロックは、ＳＳブロックの異なる時間リソース中で送信され得る、ＰＢＣＨ送信とＳＳ送信とを含み得る。基地局１０５がビームフォーミングを使用する場合、ＳＳバーストセット構成において構成される周期性を用いて基地局１０５によって、ＳＳバーストがビーム掃引され得る。ある場合には、ＰＢＣＨ送信はＳＳ送信を使用して復調され得、それにおいて、ＳＳ送信は、ＵＥがＰＢＣＨ送信を復調することを可能にし得るチャネル推定のために使用される。いくつかの例では、ＰＢＣＨ送信は、ＳＳ送信よりも大きい周波数帯域幅を使用して送信され得、その場合、ＰＢＣＨ送信における１つまたは複数の基準信号送信（たとえば、復調基準信号（ＤＭＲＳ）送信）は、ＰＢＣＨ送信の信頼できる復調を提供するために有用であり得る。いくつかの例では、ＰＢＣＨ送信は、基準信号送信、ＳＳ送信、またはそれらの組合せを使用して復調され得る。
【００８３】
[0095]図２は、本開示の様々な態様によるワイヤレス通信における基準信号方式をサポートするワイヤレス通信システム２００の一例を示す。ワイヤレス通信システム２００は、図１を参照しながら上記で説明された対応するデバイスの態様の例であり得る、基地局１０５−ａとＵＥ１１５−ａとを含む。図２の例では、ワイヤレス通信システム２００は、ＬＴＥ、５Ｇ、またはＮＲ  ＲＡＴなどの無線アクセス技術（ＲＡＴ）に従って動作し得るが、本明細書で説明される技法は、任意のＲＡＴと、２つ以上の異なるＲＡＴを同時に使用し得るシステムとに適用され得る。
【００８４】
[0096]基地局１０５−ａは、ダウンリンクキャリア２０５とアップリンクキャリア２１５とを介してＵＥ１１５−ａと通信し得る。ある場合には、基地局１０５−ａは、周期的に送信され得、システム捕捉のためにＵＥ１１５−ａによって使用され得る、ＳＳブロック２１０送信のためにリソースを割り振り得る。この例では、ＳＳブロック２１０は、第１のＳＳブロック２１０−ａと、第２のＳＳブロック２１０−ｂと、第３のＳＳブロック２１０−ｃとを含み得る。ある場合には、ＳＳブロック２１０の周期性は、確立された規格に従って構成され得る。他では、ＳＳブロック２１０の周期性は基地局１０５−ａによって構成され得、ＳＳブロック２１０のタイミングまたは構成に関係する情報がＳＳブロック２１０とともに提供され得る。ある場合には、基地局１０５−ａは、ｍｍＷ周波数を使用して送信し得、ＳＳブロック２１０は、ビーム掃引を使用して送信され得る。
【００８５】
[0097]この例におけるＳＳブロック２１０の各々は、４つのシンボルを含み得る。シンボルのうちの２つ、すなわち、この例における第１および第３のシンボルは、ＰＢＣＨ送信２２５を含み得る。この例では第２および第４のシンボルである、他の２つのシンボルは、ＳＳＳ送信２３０およびＰＳＳ送信２３５などのＳＳ送信を含み得る。上記のように、いくつかの例では、ＰＢＣＨ送信２２５は、ＳＳＳ送信２３０またはＰＳＳ送信２３５よりも大きい周波数帯域幅を有し得るが、他の例では、周波数帯域幅は同じであり得る。いくつかの例では、ＰＢＣＨ送信２２５は、２８８個の周波数トーンを使用し、４つのリソースブロック（ＲＢ）を占有し得、ＳＳＳ送信２３０とＰＳＳ送信２３５とは各々、１２７個のトーンを使用し、２つのＲＢを占有し得る。ＳＳＳ送信２３０とＰＳＳ送信２３５との周波数は、ＰＢＣＨ送信２２５の周波数と少なくとも部分的に重複し得る。また上記で論じされたように、ある場合には、基地局１０５−ａは、ＳＳバーストを送信するためにビーム掃引を使用し得る。
【００８６】
[0098]図３は、本開示の様々な態様によるワイヤレス通信における基準信号方式をサポートするＳＳバーストリソース３００の一例を示す。いくつかの例では、ＳＳバーストリソース３００は、図１または図２のワイヤレス通信システム１００または２００の態様を実装し得る。図３の例では、周期的同期送信３１０が基地局によって送信され得る。この例では、Ｘミリ秒３０５の同期周期性は基地局のために構成され得、これにおいて、同期はＹマイクロ秒３１５の持続時間を有し得る。
【００８７】
[0099]ｍｍＷ周波数を使用する例では、同期送信３１０は、第１の方向に送信される第１のＳＳブロック３２５−ａで開始し、第Ｎ−１の方向に送信される第Ｎ−１のＳＳブロック３２５−ｂで終了して、ビーム掃引パターンにおいて異なる送信ビームを使用して送信され得るいくつかのＳＳブロック３２５を含み得る、ＳＳバースト３２０を含み得る。各ＳＳブロック３２５−ｂは、図２を参照しながら論じられたような、ＰＢＣＨ送信とＳＳ送信とを含み得る。上記のように、ＳＳブロック４２５中でＰＢＣＨ送信を受信するＵＥは、ＰＢＣＨ送信のチャネル推定および復調を実施し得る。ある場合には、ＰＢＣＨ送信と同じＳＳブロック４２５内で送信され、ＰＢＣＨ送信と時分割多重化されたＳＳＳが、ＰＢＣＨ送信のチャネル推定および復調のために使用され得る。そのような場合、基地局は、ＳＳ送信とＰＢＣＨ送信との間で同じである、アンテナポートなどの送信パラメータを使用し得る。さらに、ＰＢＣＨ送信は、上記のように、周波数領域中で多重化されたＰＢＣＨと同じシンボル内で送信される専用ＤＭＲＳ信号を含み得る。このようにして、送信を受信するＵＥは、ＳＳＳ信号、ＤＭＲＳ送信、またはそれらの組合せに少なくとも部分的に基づいて復調を実施し得る。ある場合には、ＤＭＲＳ送信の密度は、重複する帯域幅を使用するＰＢＣＨおよびＳＳ送信の部分について低減され得、ＤＭＲＳ送信の増加した密度は、重複しない帯域幅のために使用され得る。さらに、ある場合には、ＳＳ送信は、１つのポート（たとえば、アンテナポートＰ０）から送信され得、ＰＢＣＨは、ＳＳ送信ポートと共通のポート、ならびに１つの追加のポート（たとえば、アンテナポートＰ０およびＰ１）など、２つのアンテナポートから送信され得る。そのような場合、１つまたは複数のＤＭＲＳトーンは、追加のアンテナポートのチャネル推定を可能にし得るＰＢＣＨおよびＳＳ送信の重複する帯域幅において構成され得る。
【００８８】
[0100]図４は、本開示の様々な態様によるワイヤレス通信における基準信号方式をサポートするＳＳブロックリソース４００の一例を示す。いくつかの例では、ＳＳブロックリソース４００は、ワイヤレス通信システム１００および２００の態様を実装し得る。この例では、ＳＳブロックリソース４００は４つのシンボルを含み得、それらのうちの２つはＰＢＣＨ送信４０５を送信するために使用され得、１つはＳＳＳ送信４１０のために使用され得、１つはＰＳＳ送信４１５のために使用され得る。上記で論じられたように、ＰＢＣＨ送信４０５は、ＤＭＲＳトーン４２０または送信などの基準信号送信を含み得る。
【００８９】
[0101]図４の例では、ＰＢＣＨ送信４０５シンボル内で、ＤＭＲＳトーンの非一様な密度が使用され得る。この例では、ＳＳＳ送信４１０帯域幅と重複するＰＢＣＨ送信４０５帯域幅の部分は、ＤＭＲＳトーン４２０の低減した密度を有し得、重複していない帯域幅は、ＤＭＲＳトーン４２０の増加した密度を有し得る。上記で論じられたように、ＵＥは、いくつかの例では、ＰＢＣＨ送信４０５の復調のためにＳＳＳ送信４１０を使用し得、したがって、ＳＳＳ送信４１０の帯域幅中のＤＭＲＳトーン４２０の低減した密度は、ＰＢＣＨ送信４０５を復調するのに十分なチャネル推定を依然として提供し得る。ある場合には、ＤＭＲＳトーン４２０は、重複する帯域幅から完全に省略され得、ＰＢＣＨ送信４０５復調のためにＳＳＳ送信４１０が使用され得る。低減したＤＭＲＳトーン４２０密度を提供することによって、ＰＢＣＨ送信４０５中で送信され得るブロードキャスト送信のために追加のＰＢＣＨリソースが利用可能であり得る。
【００９０】
[0102]図５に示されているような他の例では、ＤＭＲＳトーンは、２つのＰＢＣＨシンボルにわたって非非堅固に（non-unfirmly）分配され得る。図５は、本開示の様々な態様によるワイヤレス通信における基準信号方式をサポートするＳＳブロックリソース５００の別の例を示す。いくつかの例では、ＳＳブロックリソース５００は、ワイヤレス通信システム１００の態様を実装し得る。この例では、ＳＳブロックリソース５００は４つのシンボルを含み得、それらのうちの２つはＰＢＣＨ送信５０５を送信するために使用され得、１つはＳＳＳ送信５１０のために使用され得、１つはＰＳＳ送信５１５のために使用され得る。上記で論じられたように、ＰＢＣＨ送信５０５は、ＤＭＲＳ送信５２０などの基準信号送信を含み得る。
【００９１】
[0103]図５の例では、ＤＭＲＳ送信は、ＰＢＣＨ送信５０５を含んでいるシンボルにわたって非一様に分配され得る。この例では、ＵＥにおいてチャネル推定および復調のための十分な情報を依然として提供しながら、基準信号送信に関連するオーバーヘッドが低減され得る。他の場合には、ＰＢＣＨ送信５０５シンボル内の、およびシンボルにわたる、異なる密度の組合せが使用され得る。ある場合には、ＤＭＲＳ送信５２０のトーンインデックスは、ＰＢＣＨ送信５０５シンボルのために指定され得る。いくつかの例では、トーンインデックスの第１のセットは、ＳＳＳ送信５１０と重複するトーンについて提供され得、トーンインデックスの第２のセットは、ＳＳＳ送信５１０と重複していないトーンについて提供され得る。
【００９２】
[0104]図６は、本開示の様々な態様によるワイヤレス通信における基準信号方式をサポートするＳＳブロックリソース６００の別の例を示す。いくつかの例では、ＳＳブロックリソース６００は、ワイヤレス通信システム１００および２００の態様を実装し得る。この例では、ＳＳブロックリソース６００は４つのシンボルを含み得、それらのうちの２つはＰＢＣＨ送信６０５を送信するために使用され得、１つはＳＳＳ送信６１０のために使用され得、１つはＰＳＳ送信６１５のために使用され得る。上記で論じられたように、ＰＢＣＨ送信６０５は、ＤＭＲＳ送信６２０などの基準信号送信を含み得る。
【００９３】
[0105]図６の例では、ＤＭＲＳ送信６２０は、ＰＢＣＨ送信６０５をもつシンボルにわたってスタッガードＤＭＲＳトーン中に位置し得る。いくつかの例では、第２のシンボル中の第２のＰＢＣＨ送信６０５−ｂ中のＤＭＲＳ送信６２０のトーンを取得するために、第１のシンボル中の第１のＰＢＣＨ送信６０５−ａのＤＭＲＳ送信６２０トーンにホッピングパターンが適用され得る。ＤＭＲＳ送信６２０のそのようなスタッガードトーンは、ＰＢＣＨ送信６０５シンボル間でトーンの同じセットを使用する例に対して、拡張されたチャネル推定および周波数ダイバーシティを提供し得る。ある場合には、ＤＭＲＳ送信６２０トーンのいずれも、ＰＢＣＨ送信６０５をもつシンボル間で重複しないことがある。他の場合には、トーンのサブセットは、図７に示されているように、ＰＢＣＨ送信をもつシンボル間で共通であり得る。
【００９４】
[0106]図７は、本開示の様々な態様によるワイヤレス通信における基準信号方式をサポートするＳＳブロックリソース７００の別の例を示す。いくつかの例では、ＳＳブロックリソース７００は、ワイヤレス通信システム１００および２００の態様を実装し得る。この例では、ＳＳブロックリソース７００は４つのシンボルを含み得、それらのうちの２つはＰＢＣＨ送信７０５を送信するために使用され得、１つはＳＳＳ送信７１０のために使用され得、１つはＰＳＳ送信７１５のために使用され得る。上記で論じられたように、ＰＢＣＨ送信７０５は、ＤＭＲＳ送信７２０などの基準信号送信を含み得る。
【００９５】
[0107]図７の例では、ＤＭＲＳ送信７２０はトーンのサブセット中に位置し得、それにおいて、トーンの第１のサブセット７２５−ａと、トーンの第２のサブセット７２５−ｂとのトーンは、ＰＢＣＨ送信７０５のために使用されるシンボルにわたって共通であり得る。トーンのサブセット７２５の外部のトーン中のＤＭＲＳ送信７２０は、シンボル間で異なるトーンを使用し得る。異なるシンボルにわたって共通のトーンをＢｕ提供して、搬送周波数オフセットの拡張された推定が提供され得る。図７の例は共通であるトーンのサブセット７２５を示しているが、他の例（たとえば、図４の例）は、第１のＰＢＣＨシンボル中のトーンが、第２のＰＢＣＨシンボル内でＤＭＲＳ送信７２０のために使用されるトーンのセットと同じであることを提供し得る。
【００９６】
[0108]本明細書で論じられるＤＭＲＳ送信のために使用される波形は、ある場合には、ＳＳブロックのＰＢＣＨシンボルのうちの１つまたはＰＢＣＨシンボルの両方に基づいて構成され得る。ある場合には、ＳＳブロック内の２つのＰＢＣＨシンボル中で使用される２つのＤＭＲＳ信号は、同じシーケンスであり得る。そのような同じシーケンスは、いくつかの例では、２つのＤＭＲＳシーケンスの長さ（すなわち、占有されるＤＭＲＳトーンの数）が同じであるときに提供され得る。
【００９７】
[0109]他の例では、異なるＰＢＣＨシンボルのＤＭＲＳシーケンスは、部分的に同じであり得る。そのような例では、各シンボル中で同じトーンを使用するＤＭＲＳ送信については、第１のＤＭＲＳシーケンスが使用され得、シンボルにわたって非共通のＤＭＲＳトーンについては、異なるＤＭＲＳシーケンスが使用され得る。たとえば、第１のＤＭＲＳシーケンス「ｉ」が、トーンのＳiのセットにマッピングされ得る。さらに、Ｓi個のトーンのセットは、カーディナリティ（Ｓ11）＝カーディナリティ（Ｓ12）となるように、２つのサブセットＳi1およびＳi2に分割され得る。Ｓ11個およびＳ12個のトーンを介して送信される２つのＤＭＲＳ信号は同じであり得るが、ＤＭＲＳ信号は、残りのトーン上で異なり得る。
【００９８】
[0110]またさらなる例では、異なるＰＢＣＨシンボルのＤＭＲＳシーケンスは、まったく異なり得る。そのような場合、２つのシーケンスは、ロング基本シーケンスをスプリットすることによって構築され得る。たとえば、ロング基本シーケンスは、Ｚａｄｏｆｆ−Ｃｈｕシーケンスまたはｍシーケンス、あるいはそれのサイクリックシフトであり得る。
【００９９】
[0111]いくつかの例では、ＤＭＲＳシーケンス、ＤＭＲＳロケーション、またはそれらの組合せは、識別、タイミング、または構成情報などの情報をＵＥに提供するために使用され得る。たとえば、異なるＰＢＣＨシンボルのＤＭＲＳシーケンスは、単独でまたは一緒に、基地局のセルＩＤ、タイミング情報、または同期構成に関する情報の任意の組合せの情報を搬送し得る。タイミング情報は、たとえば、ＳＳバーストセット内のＳＳバーストインデックス情報、ＳＳバーストセット内のＳＳブロックインデックス、対応するＰＢＣＨの冗長バージョン（ＲＶ）指示（たとえば、ＰＢＣＨは、システムタイミングの何らかのレベル（たとえば２０ミリ秒境界）を搬送するために、４つのＲＶを有し得、ＤＭＲＳは、ＰＢＣＨ復号のためにａによって使用され得るＰＢＣＨのＲＶインデックスの全部または一部を含み得る）、あるいはそれらの任意の組合せを含み得る。同期構成情報は、たとえば、ＳＳバーストの構成、ＳＳバーストセット、ＳＳ周期性、またはそれらの任意の組合せに関する情報を含み得る。そのような情報は、ＤＭＲＳシーケンス（たとえば、異なる基本シーケンスおよびサイクリックシフトの量）の選定、またはＤＭＲＳシーケンスに割り振られるトーンロケーションの選定の任意の組合せを通して提供され得る。ある場合には、異なるシーケンスおよび／またはトーンロケーションを異なる情報にマッピングするマッピングが提供され得る。
【０１００】
[0112]図８は、本開示の様々な態様によるワイヤレス通信における基準信号方式をサポートするプロセスフロー８００の一例を示す。いくつかの例では、プロセスフロー８００は、ワイヤレス通信システム１００の態様を実装し得る。プロセスフロー８００は、各々が、図１および図２を参照しながら説明された対応するデバイスの一例であり得る、ＵＥ１１５−ｂと基地局１０５−ｂとを含む。
【０１０１】
[0113]８０５において、基地局１０５−ｂは、ＳＳおよびブロードキャストチャネルリソースを構成し得る。上記で論じられたように、ある場合には、基地局１０５−ｂは、ＰＢＣＨ送信のためのシンボルとＳＳ送信のためのシンボルとを含むＳＳブロックを構成し得る。構成されたリソースに従って基地局１０５−ｂによってＳＳバースト送信８１０が送信され得る。
【０１０２】
[0114]ＵＥ１１５−ｂは、８１５において、ＳＳおよびブロードキャストチャネル送信を識別し得る。ある場合には、ＵＥ１１５−ｂは、指定された同期タイミングに従って同期送信について監視し得る。ｍｍＷ周波数を使用する場合には、ＳＳバースト送信８１０はビーム掃引手順の一部として送信され得、ＵＥ１１５−ｂは、ビーム掃引手順の１つまたは送信ビームを使用する際にＳＳバースト送信８１０を受信し得る。
【０１０３】
[0115]８２０において、ＵＥ１１５−ｂは、ブロードキャストチャネル中で基準信号リソースを識別し得る。ある場合には、基準信号リソースは、ＤＭＲＳ送信のために構成された周波数トーンであり得る。ある場合には、ブロードキャストチャネル送信は、ブロードキャストチャネル時間リソース中に２つのＰＢＣＨシンボルを含み得るＰＢＣＨ送信であり得る。
【０１０４】
[0116]随意のブロック８２５において、ＵＥ１１５−ｂは、受信された基準信号送信に基づいてセルＩＤ、タイミング情報、または構成情報のうちの１つまたは複数を決定し得る。ある場合には、そのような情報を決定するために基準信号のシーケンスまたは波形が使用され得る。他の場合には、そのような情報を決定するために、ＤＭＲＳ送信のために使用されるトーンなど、基準信号リソースのロケーションが使用され得る。他の場合には、そのような情報を決定するために基準信号シーケンスと基準信号リソースのロケーションとの組合せが使用され得る。
【０１０５】
[0117]ブロック８３０において、ＵＥ１１５−ｂは、基準信号リソースとＳＳ送信とに基づいてブロードキャストチャネルを復号し得る。ある場合には、ＵＥ１１５−ｂは、上記で論じられたように、ＤＭＲＳリソース中のＤＭＲＳ送信に基づいてＰＢＣＨ送信を復号し得る。ＵＥ１１５−ｂと基地局１０５−ｂは、次いで接続確立８３５を実施し得る。たとえば、ＵＥ１１５−ｂは、基地局１０５−ｂとＵＥ１１５−ｂとの間の接続を確立するためのランダムアクセス手順を開始し得る、ランダムアクセス要求を送信し得る。
【０１０６】
[0118]図９は、本開示の態様によるワイヤレス通信における基準信号方式をサポートするワイヤレスデバイス９０５のブロック図９００を示す。ワイヤレスデバイス９０５は、本明細書で説明されるユーザ機器（ＵＥ）１１５の態様の一例であり得る。ワイヤレスデバイス９０５は、受信機９１０と、ＵＥ同期信号ブロックマネージャ９１５と、送信機９２０とを含み得る。ワイヤレスデバイス９０５はプロセッサをも含み得る。これらの構成要素の各々は、（たとえば、１つまたは複数のバスを介して）互いと通信していることがある。
【０１０７】
[0119]受信機９１０は、パケット、ユーザデータ、または様々な情報チャネルに関連する制御情報（たとえば、ワイヤレス通信における基準信号方式に関係する制御チャネル、データチャネル、および情報など）などの情報を受信し得る。情報は、デバイスの他の構成要素に受け渡され得る。受信機９１０は、図１２を参照しながら説明されるトランシーバ１２３５の態様の一例であり得る。受信機９１０は、単一のアンテナまたはアンテナのセットを利用し得る。
【０１０８】
[0120]ＵＥ同期信号ブロックマネージャ９１５は、図１２を参照しながら説明されるＵＥ同期信号ブロックマネージャ１２１５の態様の一例であり得る。
【０１０９】
[0121]ＵＥ同期信号ブロックマネージャ９１５および／またはそれの様々な副構成要素のうちの少なくともいくつかは、ハードウェア、プロセッサによって実行されるソフトウェア、ファームウェア、またはそれらの任意の組合せで実装され得る。プロセッサによって実行されるソフトウェアで実装される場合、ＵＥ同期信号ブロックマネージャ９１５および／またはそれの様々な副構成要素のうちの少なくともいくつかの機能は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本開示で説明される機能を実施するように設計されたそれらの任意の組合せによって実行され得る。ＵＥ同期信号ブロックマネージャ９１５および／またはそれの様々な副構成要素のうちの少なくともいくつかは、機能の部分が、１つまたは複数の物理デバイスによって異なる物理的ロケーションにおいて実装されるように分散されることを含めて、様々な位置に物理的に配置され得る。いくつかの例では、ＵＥ同期信号ブロックマネージャ９１５および／またはそれの様々な副構成要素のうちの少なくともいくつかは、本開示の様々な態様による別個のおよび異なった構成要素であり得る。他の例では、ＵＥ同期信号ブロックマネージャ９１５および／またはそれの様々な副構成要素のうちの少なくともいくつかは、限定はされないが、本開示の様々な態様による、Ｉ／Ｏ構成要素、トランシーバ、ネットワークサーバ、別のコンピューティングデバイス、本開示で説明される１つまたは複数の他の構成要素、またはそれらの組合せを含む、１つまたは複数の他のハードウェア構成要素と組み合わされ得る。
【０１１０】
[0122]ＵＥ同期信号ブロックマネージャ９１５は、同期信号送信のためのワイヤレスリソースの第１のセットとブロードキャストチャネル送信のためのワイヤレスリソースの第２のセットとを識別することと、ワイヤレスリソースの第１のセットが、第１の帯域幅にわたる周波数リソースの第１のセットを含み、ワイヤレスリソースの第２のセットが、第１の帯域幅の少なくとも一部分と重複する第２の帯域幅にわたる周波数リソースの第２のセットを含む、第１の帯域幅に対するワイヤレスリソースの第２のセット内の時間リソースロケーションまたはワイヤレスリソースの第２のセット内の周波数リソースロケーションのうちの１つまたは複数に基づいて、ワイヤレスリソースの第２のセット内で基準信号リソースのロケーションを識別することと、基準信号リソースを使用して基準信号送信を受信することとを行い得る。
【０１１１】
[0123]ＵＥ同期信号ブロックマネージャ９１５はまた、同期信号送信のためのワイヤレスリソースの第１のセットとブロードキャストチャネル送信のためのワイヤレスリソースの第２のセットとを識別することと、ワイヤレスリソースの第２のセットが、時間リソースの第１のサブセットと時間リソースの第２のサブセットとを含む、時間リソースの第１のサブセットと時間リソースの第２のサブセットとの内で基準信号リソースのロケーションを識別することと、基準信号リソースを介して基準信号送信を受信することと、基準信号リソースのロケーションに基づいて基準信号送信の波形を決定することと、受信された基準信号送信と基準信号送信の決定された波形とに基づいてチャネル推定を実施することとを行い得る。
【０１１２】
[0124]ＵＥ同期信号ブロックマネージャ９１５はまた、同期信号送信のためのワイヤレスリソースの第１のセットとブロードキャストチャネル送信のためのワイヤレスリソースの第２のセットとを識別することと、ワイヤレスリソースの第２のセット内で基準信号リソースのロケーションを識別することと、基準信号リソースを介して基準信号送信を受信することと、受信された基準信号送信に基づいて送信機識別、タイミング情報、または同期信号送信構成のうちの１つまたは複数を決定することとを行い得る。
【０１１３】
[0125]送信機９２０は、デバイスの他の構成要素によって生成された信号を送信し得る。いくつかの例では、送信機９２０は、トランシーバモジュールにおいて受信機９１０とコロケートされ得る。たとえば、送信機９２０は、図１２を参照しながら説明されるトランシーバ１２３５の態様の一例であり得る。送信機９２０は、単一のアンテナまたはアンテナのセットを利用し得る。
【０１１４】
[0126]図１０は、本開示の態様によるワイヤレス通信における基準信号方式をサポートするワイヤレスデバイス１００５のブロック図１０００を示す。ワイヤレスデバイス１００５は、図９を参照しながら説明されたワイヤレスデバイス９０５またはＵＥ１１５の態様の一例であり得る。ワイヤレスデバイス１００５は、受信機１０１０と、ＵＥ同期信号ブロックマネージャ１０１５と、送信機１０２０とを含み得る。ワイヤレスデバイス１００５はプロセッサをも含み得る。これらの構成要素の各々は、（たとえば、１つまたは複数のバスを介して）互いと通信していることがある。
【０１１５】
[0127]受信機１０１０は、パケット、ユーザデータ、または様々な情報チャネルに関連する制御情報（たとえば、ワイヤレス通信における基準信号方式に関係する制御チャネル、データチャネル、および情報など）などの情報を受信し得る。情報は、デバイスの他の構成要素に受け渡され得る。受信機１０１０は、図１２を参照しながら説明されるトランシーバ１２３５の態様の一例であり得る。受信機１０１０は、単一のアンテナまたはアンテナのセットを利用し得る。
【０１１６】
[0128]ＵＥ同期信号ブロックマネージャ１０１５は、図１２を参照しながら説明されるＵＥ同期信号ブロックマネージャ１２１５の態様の一例であり得る。ＵＥ同期信号ブロックマネージャ１０１５はまた、リソース識別マネージャ１０２５と、基準信号マネージャ１０３０と、波形識別構成要素１０３５と、チャネル推定構成要素１０４０とを含み得る。
【０１１７】
[0129]リソース識別マネージャ１０２５は、同期信号送信のためのワイヤレスリソースの第１のセットとブロードキャストチャネル送信のためのワイヤレスリソースの第２のセットとを識別することと、ワイヤレスリソースの第１のセットが、第１の帯域幅にわたる周波数リソースの第１のセットを含み、ワイヤレスリソースの第２のセットが、第１の帯域幅の少なくとも一部分と重複する第２の帯域幅にわたる周波数リソースの第２のセットを含む、同期信号送信のためのワイヤレスリソースの第１のセットとブロードキャストチャネル送信のためのワイヤレスリソースの第２のセットとを識別することと、ワイヤレスリソースの第２のセットが、時間リソースの第１のサブセットおよび時間リソースの第２のサブセットを含む、同期信号送信のためのワイヤレスリソースの第１のセットとブロードキャストチャネル送信のためのワイヤレスリソースの第２のセットとを識別することとを行い得る。ある場合には、第２の帯域幅は第１の帯域幅よりも大きい。
【０１１８】
[0130]ある場合には、ワイヤレスリソースの第２のセットはＰＢＣＨリソースを含み、ワイヤレスリソースの第１のセットは同期信号リソースを含む。ある場合には、ＰＢＣＨリソースは、時間リソースの第１のシンボルと時間リソースの第３のシンボルとを含み、同期信号リソースは、時間リソースの第２のシンボルと時間リソースの第４のシンボルとを含み、時間リソースの第２のシンボルは、時間リソースの第１のシンボルと時間リソースの第３のシンボルとの間に位置し、時間リソースの第４のシンボルは、時間リソースの第３のシンボルの後に位置する。ある場合には、時間リソースの第２のシンボルは２次同期信号の送信のためであり、時間リソースの第４のシンボルは１次同期信号の送信のためである。
【０１１９】
[0131]基準信号マネージャ１０３０は、第１の帯域幅に対するワイヤレスリソースの第２のセット内の時間リソースロケーションまたはワイヤレスリソースの第２のセット内の周波数リソースロケーションのうちの１つまたは複数に基づいて、ワイヤレスリソースの第２のセット内で基準信号リソースのロケーションを識別することと、基準信号リソースを介して基準信号送信を受信することとを行い得る。ある場合には、ワイヤレスリソースの第２のセットは、時間リソースの第１のサブセットと時間リソースの第２のサブセットとを含み、基準信号リソースは、時間リソースの第１のサブセットと時間リソースの第２のサブセットとにわたって非一様に分配される。ある場合には、時間リソースの第１のサブセット内の基準信号リソースは、時間リソースの第２のサブセット内の基準信号リソースの少なくとも一部分とは異なる周波数リソースを占有する。ある場合には、基準信号リソースは、周波数リソースにわたって非一様に分配される。
【０１２０】
[0132]ある場合には、周波数リソースは、第１のＳＳ帯域幅と重複している周波数リソースの第１のサブセットと、第１の帯域幅と重複していない周波数リソースの第２のサブセットとを含み、周波数リソースの第２のサブセットは、周波数リソースの第１のサブセットよりも基準信号リソースの高い密度を有する。ある場合には、周波数リソースの第１のサブセットは基準信号リソースがない。ある場合には、基準信号送信はＤＭＲＳ送信を含む。ある場合には、ＵＥは、基準信号送信の基準信号リソースの基準信号シーケンスに基づいて、基地局のセル識別、ブロードキャストチャネル送信の冗長バージョン、同期構成、またはそれらの任意の組合せを決定し得る。ある場合には、そのような決定は、基準信号送信の基準信号シーケンスと、送信機識別、タイミング情報、または同期信号送信構成のうちの１つまたは複数との間のマッピングに基づく。
【０１２１】
[0133]波形識別構成要素１０３５は、基準信号リソースのロケーションに基づいて基準信号送信の波形を決定し得る。ある場合には、時間リソースの第１のサブセットと時間リソースの第２のサブセットとの各々は、同じ基準信号波形を有する。ある場合には、基準信号波形は、Ｚａｄｏｆｆ−Ｃｈｕシーケンス、ｍシーケンス、またはそれのサイクリックシフトである。
【０１２２】
[0134]チャネル推定構成要素１０４０は、受信された基準信号送信と基準信号送信の決定された波形とに基づいてチャネル推定を実施し得る。ある場合には、ブロードキャストチャネル送信の少なくとも一部分は、ワイヤレスリソースの第１のセット中で受信された同期信号送信に基づいて復調される。
【０１２３】
[0135]送信機１０２０は、デバイスの他の構成要素によって生成された信号を送信し得る。いくつかの例では、送信機１０２０は、トランシーバモジュールにおいて受信機１０１０とコロケートされ得る。たとえば、送信機１０２０は、図１２を参照しながら説明されるトランシーバ１２３５の態様の一例であり得る。送信機１０２０は、単一のアンテナまたはアンテナのセットを利用し得る。
【０１２４】
[0136]図１１は、本開示の態様によるワイヤレス通信における基準信号方式をサポートするＵＥ同期信号ブロックマネージャ１１１５のブロック図１１００を示す。ＵＥ同期信号ブロックマネージャ１１１５は、図９、図１０、および図１２を参照しながら説明されるＵＥ同期信号ブロックマネージャ９１５、ＵＥ同期信号ブロックマネージャ１０１５、またはＵＥ同期信号ブロックマネージャ１２１５の態様の一例であり得る。ＵＥ同期信号ブロックマネージャ１１１５は、リソース識別マネージャ１１２０と、基準信号マネージャ１１２５と、波形識別構成要素１１３０と、チャネル推定構成要素１１３５と、トーン識別構成要素１１４０と、同期信号受信機１１４５とを含み得る。これらのモジュールの各々は、直接または間接的に、（たとえば、１つまたは複数のバスを介して）互いに通信し得る。
【０１２５】
[0137]リソース識別マネージャ１１２０は、同期信号送信のためのワイヤレスリソースの第１のセットとブロードキャストチャネル送信のためのワイヤレスリソースの第２のセットとを識別することと、ワイヤレスリソースの第１のセットが、第１の帯域幅にわたる周波数リソースの第１のセットを含み、ワイヤレスリソースの第２のセットが、第１の帯域幅の少なくとも一部分と重複する第２の帯域幅にわたる周波数リソースの第２のセットを含む、同期信号送信のためのワイヤレスリソースの第１のセットとブロードキャストチャネル送信のためのワイヤレスリソースの第２のセットとを識別することと、ワイヤレスリソースの第２のセットが、時間リソースの第１のサブセットおよび時間リソースの第２のサブセットを含む、同期信号送信のためのワイヤレスリソースの第１のセットとブロードキャストチャネル送信のためのワイヤレスリソースの第２のセットとを識別することとを行い得る。ある場合には、第２の帯域幅は第１の帯域幅よりも大きい。
【０１２６】
[0138]ある場合には、ワイヤレスリソースの第２のセットはＰＢＣＨリソースを含み、ワイヤレスリソースの第１のセットは同期信号リソースを含む。ある場合には、ＰＢＣＨリソースは、時間リソースの第１のシンボルと時間リソースの第３のシンボルとを含み、同期信号リソースは、時間リソースの第２のシンボルと時間リソースの第４のシンボルとを含み、時間リソースの第２のシンボルは、時間リソースの第１のシンボルと時間リソースの第３のシンボルとの間に位置し、時間リソースの第４のシンボルは、時間リソースの第３のシンボルの後に位置する。ある場合には、時間リソースの第２のシンボルは２次同期信号の送信のためであり、時間リソースの第４のシンボルは１次同期信号の送信のためである。
【０１２７】
[0139]基準信号マネージャ１１２５は、第１の帯域幅に対するワイヤレスリソースの第２のセット内の時間リソースロケーションまたはワイヤレスリソースの第２のセット内の周波数リソースロケーションのうちの１つまたは複数に基づいて、ワイヤレスリソースの第２のセット内で基準信号リソースのロケーションを識別することと、基準信号リソースを介して基準信号送信を受信することとを行い得る。ある場合には、ワイヤレスリソースの第２のセットは、時間リソースの第１のサブセットと時間リソースの第２のサブセットとを含み、基準信号リソースは、時間リソースの第１のサブセットと時間リソースの第２のサブセットとにわたって非一様に分配される。ある場合には、時間リソースの第１のサブセット内の基準信号リソースは、時間リソースの第２のサブセット内の基準信号リソースの少なくとも一部分とは異なる周波数リソースを占有する。ある場合には、基準信号リソースは、周波数リソースにわたって非一様に分配される。
【０１２８】
[0140]ある場合には、周波数リソースは、第１のＳＳ帯域幅と重複している周波数リソースの第１のサブセットと、第１の帯域幅と重複していない周波数リソースの第２のサブセットとを含み、周波数リソースの第２のサブセットは、周波数リソースの第１のサブセットよりも基準信号リソースの高い密度を有する。ある場合には、周波数リソースの第１のサブセットは基準信号リソースがない。ある場合には、基準信号送信はＤＭＲＳ送信を含む。ある場合には、ＵＥは、基準信号送信の基準信号リソースの基準信号シーケンスに基づいて、基地局のセル識別、ブロードキャストチャネル送信の冗長バージョン、同期構成、またはそれらの任意の組合せを決定し得る。ある場合には、そのような決定は、基準信号送信の基準信号シーケンスと、送信機識別、タイミング情報、または同期信号送信構成のうちの１つまたは複数との間のマッピングに基づく。
【０１２９】
[0141]波形識別構成要素１１３０は、基準信号リソースのロケーションに基づいて基準信号送信の波形を決定し得る。ある場合には、時間リソースの第１のサブセットと時間リソースの第２のサブセットとの各々は、同じ基準信号波形を有する。ある場合には、基準信号波形は、Ｚａｄｏｆｆ−Ｃｈｕシーケンス、ｍシーケンス、またはそれのサイクリックシフトである。
【０１３０】
[0142]チャネル推定構成要素１１３５は、受信された基準信号送信と基準信号送信の決定された波形とに基づいてチャネル推定を実施し得る。ある場合には、ブロードキャストチャネル送信の少なくとも一部分は、ワイヤレスリソースの第１のセット中で受信された同期信号送信に基づいて復調される。
【０１３１】
[0143]トーン識別構成要素１１４０は、ワイヤレスリソースの第２のセットが、時間リソースの第１のサブセットと時間リソースの第２のサブセットとを含み、時間リソースの第１のサブセット内の基準信号リソースが、時間リソースの第２のサブセット内の基準信号リソースの少なくとも一部分とは異なる周波数リソースを占有することを識別し得る。ある場合には、時間リソースの第１のサブセット内の基準信号リソースは、時間リソースの第１のサブセット内のトーンの第１のサブセットを含み、時間リソースの第２のサブセット内の基準信号リソースである時間リソースの第２のサブセット内のトーンの第２のサブセットを決定するために、トーンの第１のサブセットにホッピングパターンが適用される。ある場合には、ワイヤレスリソースの第２のセットは、時間リソースの第１のサブセットと時間リソースの第２のサブセットとを含み、時間リソースの第１のサブセットと時間リソースの第２のサブセットとの内の基準信号リソースの少なくとも一部分は、共通の周波数トーンを占有する。ある場合には、基準信号リソースのロケーションは、ワイヤレスリソースの第２のセット内の指定されたトーンインデックスである。ある場合には、時間リソースの第１のサブセットは、トーンの第１のサブセットとトーンの第２のサブセットとの中に基準信号リソースを含み、時間リソースの第２のサブセットは、トーンの第１のサブセットとトーンの第３のサブセットとの中に基準信号リソースを含む。ある場合には、時間リソースの第１のサブセットと時間リソースの第２のサブセットとの中のトーンの第１のサブセットは、同じ基準信号波形を有し、時間リソースの第１のサブセット中のトーンの第２のサブセットと、時間リソースの第２のサブセット中のトーンの第３のサブセットとは、異なる基準信号波形を有する。
【０１３２】
[0144]同期信号受信機１１４５は、ワイヤレスリソースの第１のセットを介して同期信号送信を受信し得る。ある場合には、決定することは、基準信号送信の基準信号シーケンスに基づいて同期信号バーストセット内の同期信号バーストインデックスに関係する情報を決定することを含む。ある場合には、決定することは、基準信号送信の基準信号シーケンスに基づいて同期信号バースト内の同期信号ブロックインデックスに関係する情報を決定することを含む。ある場合には、決定することは、基準信号送信の基準信号シーケンスに基づいて同期信号バースト、同期信号バーストセット、または同期信号送信の周期性のうちの１つまたは複数の構成を決定することを含む。
【０１３３】
[0145]図１２は、本開示の態様によるワイヤレス通信における基準信号方式をサポートするデバイス１２０５を含むシステム１２００の図を示す。デバイス１２０５は、たとえば、図９および図１０を参照しながら、上記で説明されたワイヤレスデバイス９０５、ワイヤレスデバイス１００５、またはＵＥ１１５の構成要素の一例であるか、またはそれを含み得る。デバイス１２０５は、ＵＥ同期信号ブロックマネージャ１２１５と、プロセッサ１２２０と、メモリ１２２５と、ソフトウェア１２３０と、トランシーバ１２３５と、アンテナ１２４０と、Ｉ／Ｏコントローラ１２４５とを含む、通信を送信および受信するための構成要素を含む双方向音声およびデータ通信のための構成要素を含み得る。これらの構成要素は、１つまたは複数のバス（たとえば、バス１２１０）を介して電子通信していることがある。デバイス１２０５は、１つまたは複数の基地局１０５とワイヤレス通信し得る。
【０１３４】
[0146]プロセッサ１２２０は、インテリジェントハードウェアデバイス（たとえば、汎用プロセッサ、ＤＳＰ、中央処理ユニット（ＣＰＵ）、マイクロコントローラ、ＡＳＩＣ、ＦＰＧＡ、プログラマブル論理デバイス、個別ゲートまたはトランジスタ論理構成要素、個別ハードウェア構成要素、あるいはそれらの任意の組合せ）を含み得る。ある場合には、プロセッサ１２２０は、メモリコントローラを使用してメモリアレイを動作させるように構成され得る。他の場合には、メモリコントローラはプロセッサ１２２０に組み込まれ得る。プロセッサ１２２０は、様々な機能（たとえば、ワイヤレス通信における基準信号方式をサポートする機能またはタスク）を実施するためにメモリに記憶されたコンピュータ可読命令を実行するように構成され得る。
【０１３５】
[0147]メモリ１２２５は、ランダムアクセスメモリ（ＲＡＭ）と読取り専用メモリ（ＲＯＭ）とを含み得る。メモリ１２２５は、実行されたとき、本明細書で説明される様々な機能をプロセッサに実施させる命令を含むコンピュータ可読、コンピュータ実行可能ソフトウェア１２３０を記憶し得る。ある場合には、メモリ１２２５は、特に、周辺構成要素またはデバイスとの相互作用など、基本的なハードウェアおよび／またはソフトウェア動作を制御し得る基本入出力システム（ＢＩＯＳ）を含んでいることがある。
【０１３６】
[0148]ソフトウェア１２３０は、ワイヤレス通信における基準信号方式をサポートするためのコードを含む、本開示の態様を実装するためのコードを含み得る。ソフトウェア１２３０は、システムメモリまたは他のメモリなどの非一時的コンピュータ可読媒体に記憶され得る。ある場合には、ソフトウェア１２３０は、プロセッサによって直接的に実行可能でないことがあるが、（たとえば、コンパイルされ実行されたとき）本明細書で説明される機能をコンピュータに実施させ得る。
【０１３７】
[0149]トランシーバ１２３５は、上記で説明されたように、１つまたは複数のアンテナ、ワイヤードリンク、またはワイヤレスリンクを介して、双方向に通信し得る。たとえば、トランシーバ１２３５は、ワイヤレストランシーバを表すことがあり、別のワイヤレストランシーバと双方向に通信し得る。トランシーバ１２３５はまた、パケットを変調し、変調されたパケットを送信のためにアンテナに与えるための、およびアンテナから受信されたパケットを復調するためのモデムを含み得る。
【０１３８】
[0150]ある場合には、ワイヤレスデバイスは単一のアンテナ１２４０を含み得る。しかしながら、ある場合には、デバイスは、複数のワイヤレス送信を同時に送信または受信することが可能であり得る２つ以上のアンテナ１２４０を有し得る。
【０１３９】
[0151]Ｉ／Ｏコントローラ１２４５は、デバイス１２０５のための入力および出力信号を管理し得る。Ｉ／Ｏコントローラ１２４５はまた、デバイス１２０５に組み込まれていない周辺機器（peripherals）を管理し得る。ある場合には、Ｉ／Ｏコントローラ１２４５は、外部周辺機器への物理接続またはポートを表し得る。ある場合には、Ｉ／Ｏコントローラ１２４５は、ｉＯＳ（登録商標）、ＡＮＤＲＯＩＤ（登録商標）、ＭＳ−ＤＯＳ（登録商標）、ＭＳ−ＷＩＮＤＯＷＳ（登録商標）、ＯＳ／２（登録商標）、ＵＮＩＸ（登録商標）、ＬＩＮＵＸ（登録商標）、または別の知られているオペレーティングシステムなどのオペレーティングシステムを利用し得る。他の場合には、Ｉ／Ｏコントローラ１２４５は、モデム、キーボード、マウス、タッチスクリーン、または同様のデバイスを表すかまたはそれらと相互作用し得る。ある場合には、Ｉ／Ｏコントローラ１２４５はプロセッサの一部として実装され得る。ある場合には、ユーザは、Ｉ／Ｏコントローラ１２４５を介してまたはＩ／Ｏコントローラ１２４５によって制御されるハードウェア構成要素を介してデバイス１２０５と相互作用し得る。
【０１４０】
[0152]図１３は、本開示の態様によるワイヤレス通信における基準信号方式をサポートするワイヤレスデバイス１３０５のブロック図１３００を示す。ワイヤレスデバイス１３０５は、本明細書で説明される基地局１０５の態様の一例であり得る。ワイヤレスデバイス１３０５は、受信機１３１０と、基地局同期信号ブロックマネージャ１３１５と、送信機１３２０とを含み得る。ワイヤレスデバイス１３０５はプロセッサをも含み得る。これらの構成要素の各々は、（たとえば、１つまたは複数のバスを介して）互いと通信していることがある。
【０１４１】
[0153]受信機１３１０は、パケット、ユーザデータ、または様々な情報チャネルに関連する制御情報（たとえば、ワイヤレス通信における基準信号方式に関係する制御チャネル、データチャネル、および情報など）などの情報を受信し得る。情報は、デバイスの他の構成要素に受け渡され得る。受信機１３１０は、図１６を参照しながら説明されるトランシーバ１６３５の態様の一例であり得る。受信機１３１０は、単一のアンテナまたはアンテナのセットを利用し得る。
【０１４２】
[0154]基地局同期信号ブロックマネージャ１３１５は、図１６を参照しながら説明される基地局同期信号ブロックマネージャ１６１５の態様の一例であり得る。
【０１４３】
[0155]基地局同期信号ブロックマネージャ１３１５および／またはそれの様々な副構成要素のうちの少なくともいくつかは、ハードウェア、プロセッサによって実行されるソフトウェア、ファームウェア、またはそれらの任意の組合せで実装され得る。プロセッサによって実行されるソフトウェアで実装される場合、基地局同期信号ブロックマネージャ１３１５および／またはそれの様々な副構成要素のうちの少なくともいくつかの機能は、汎用プロセッサ、ＤＳＰ、ＡＳＩＣ、ＦＰＧＡまたは他のプログラマブル論理デバイス、個別ゲートまたはトランジスタ論理、個別ハードウェア構成要素、あるいは本開示で説明される機能を実施するように設計されたそれらの任意の組合せによって実行され得る。基地局同期信号ブロックマネージャ１３１５および／またはそれの様々な副構成要素のうちの少なくともいくつかは、機能の部分が、１つまたは複数の物理デバイスによって異なる物理的ロケーションにおいて実装されるように分散されることを含めて、様々な位置に物理的に配置され得る。いくつかの例では、基地局同期信号ブロックマネージャ１３１５および／またはそれの様々な副構成要素のうちの少なくともいくつかは、本開示の様々な態様による別個のおよび異なった構成要素であり得る。他の例では、基地局同期信号ブロックマネージャ１３１５および／またはそれの様々な副構成要素のうちの少なくともいくつかは、限定はされないが、本開示の様々な態様による、Ｉ／Ｏ構成要素、トランシーバ、ネットワークサーバ、別のコンピューティングデバイス、本開示で説明される１つまたは複数の他の構成要素、またはそれらの組合せを含む、１つまたは複数の他のハードウェア構成要素と組み合わされ得る。
【０１４４】
[0156]基地局同期信号ブロックマネージャ１３１５は、同期信号送信のためのワイヤレスリソースの第１のセットとブロードキャストチャネル送信のためのワイヤレスリソースの第２のセットとを構成することと、ワイヤレスリソースの第１のセットが、第１の帯域幅にわたる周波数リソースの第１のセットを含み、ワイヤレスリソースの第２のセットが、第１の帯域幅の少なくとも一部分と重複する第２の帯域幅にわたる周波数リソースの第２のセットを含む、ワイヤレスリソースの第２のセット内で基準信号リソースを構成することと、基準信号リソースのロケーションが、第１の帯域幅に対するワイヤレスリソースの第２のセット内の時間リソースロケーションまたはワイヤレスリソースの第２のセット内の周波数リソースロケーションのうちの１つまたは複数に基づく、基準信号リソースを使用して基準信号送信を、およびワイヤレスリソースの第１のセットを使用して同期信号送信を送信することとを行い得る。
【０１４５】
[0157]基地局同期信号ブロックマネージャ１３１５はまた、同期信号送信のためのワイヤレスリソースの第１のセットとブロードキャストチャネル送信のためのワイヤレスリソースの第２のセットとを構成することと、ワイヤレスリソースの第２のセットが、時間リソースの第１のサブセットと時間リソースの第２のサブセットとを含む、時間リソースの第１のサブセットと時間リソースの第２のサブセットとの内で基準信号リソースのロケーションを構成することと、基準信号リソースのロケーションに基づいて基準信号送信の波形を決定することと、基準信号リソースを介して基準信号を送信することと行い得る。
【０１４６】
[0158]基地局同期信号ブロックマネージャ１３１５はまた、同期信号送信のためのワイヤレスリソースの第１のセットとブロードキャストチャネル送信のためのワイヤレスリソースの第２のセットとを構成することと、ワイヤレスリソースの第２のセット内で基準信号リソースのロケーションを構成することと、基準信号リソースを介して基準信号送信を送信することと、ここで、基準信号送信、基準信号リソースのロケーション、またはそれらの任意の組合せが、送信機識別、タイミング情報、または同期信号送信構成のうちの１つまたは複数の指示を提供する、を行い得る。
【０１４７】
[0159]送信機１３２０は、デバイスの他の構成要素によって生成された信号を送信し得る。いくつかの例では、送信機１３２０は、トランシーバモジュールにおいて受信機１３１０とコロケートされ得る。たとえば、送信機１３２０は、図１６を参照しながら説明されるトランシーバ１６３５の態様の一例であり得る。送信機１３２０は、単一のアンテナまたはアンテナのセットを利用し得る。
【０１４８】
[0160]図１４は、本開示の態様によるワイヤレス通信における基準信号方式をサポートするワイヤレスデバイス１４０５のブロック図１４００を示す。ワイヤレスデバイス１４０５は、図１３を参照しながら説明されたワイヤレスデバイス１３０５または基地局１０５の態様の一例であり得る。ワイヤレスデバイス１４０５は、受信機１４１０と、基地局同期信号ブロックマネージャ１４１５と、送信機１４２０とを含み得る。ワイヤレスデバイス１４０５はプロセッサをも含み得る。これらの構成要素の各々は、（たとえば、１つまたは複数のバスを介して）互いと通信していることがある。
【０１４９】
[0161]受信機１４１０は、パケット、ユーザデータ、または様々な情報チャネルに関連する制御情報（たとえば、ワイヤレス通信における基準信号方式に関係する制御チャネル、データチャネル、および情報など）などの情報を受信し得る。情報は、デバイスの他の構成要素に受け渡され得る。受信機１４１０は、図１６を参照しながら説明されるトランシーバ１６３５の態様の一例であり得る。受信機１４１０は、単一のアンテナまたはアンテナのセットを利用し得る。
【０１５０】
[0162]基地局同期信号ブロックマネージャ１４１５は、図１６を参照しながら説明される基地局同期信号ブロックマネージャ１６１５の態様の一例であり得る。基地局同期信号ブロックマネージャ１４１５はまた、リソース識別マネージャ１４２５と、基準信号マネージャ１４３０と、波形識別構成要素１４３５とを含み得る。
【０１５１】
[0163]リソース識別マネージャ１４２５は、同期信号送信のためのワイヤレスリソースの第１のセットとブロードキャストチャネル送信のためのワイヤレスリソースの第２のセットとを構成すること、ワイヤレスリソースの第１のセットが、第１の帯域幅にわたる周波数リソースの第１のセットを含み、ワイヤレスリソースの第２のセットが、第１の帯域幅の少なくとも一部分と重複する第２の帯域幅にわたる周波数リソースの第２のセットを含む、を行い得、同期信号送信のためのワイヤレスリソースの第１のセットとブロードキャストチャネル送信のためのワイヤレスリソースの第２のセットとを構成すること、ワイヤレスリソースの第２のセットが、時間リソースの第１のサブセットおよび時間リソースの第２のサブセットを含む、を行い得る。ある場合には、ワイヤレスリソースの第２のセットはＰＢＣＨリソースを含み、ワイヤレスリソースの第１のセットは同期信号リソースを含む。ある場合には、ＰＢＣＨリソースは、時間リソースの第１のシンボルと時間リソースの第３のシンボルとを含み、同期信号リソースは、時間リソースの第２のシンボルと時間リソースの第４のシンボルとを含み、時間リソースの第２のシンボルは、時間リソースの第１のシンボルと時間リソースの第３のシンボルとの間に位置し、時間リソースの第４のシンボルは、時間リソースの第３のシンボルの後に位置する。ある場合には、時間リソースの第２のシンボルは２次同期信号の送信のためであり、時間リソースの第４のシンボルは１次同期信号の送信のためである。ある場合には、ワイヤレスリソースの第２のセットはＰＢＣＨリソースを含み、ワイヤレスリソースの第１のセットは同期信号リソースを含む。ある場合には、第２の帯域幅は第１の帯域幅よりも大きい。ある場合には、基地局は、周波数リソースの第２のセットにわたって非一様に分配された基準信号リソースを構成し得る。
【０１５２】
[0164]基準信号マネージャ１４３０は、ワイヤレスリソースの第２のセット内で基準信号リソースを構成し得、基準信号リソースのロケーションは、第１の帯域幅に対するワイヤレスリソースの第２のセット内の時間リソースロケーションまたはワイヤレスリソースの第２のセット内の周波数リソースロケーションのうちの１つまたは複数に基づく。ある場合には、基準信号送信はＤＭＲＳ送信を含む。ある場合には、基準信号リソースのロケーションを構成することは、周波数リソースの第２のセットにわたって非一様に分配された基準信号リソースを構成することを含む。ある場合には、周波数リソースの第２のセットは、第１の帯域幅と重複している周波数リソースの第１のサブセットと、第１の帯域幅と重複していない周波数リソースの第２のサブセットとを含み、周波数リソースの第２のサブセットは、周波数リソースの第１のサブセットよりも基準信号リソースの高い密度を有する。ある場合には、周波数リソースの第１のサブセットは基準信号リソースがない。ある場合には、ワイヤレスリソースの第２のセットは、時間リソースの第１のサブセットと時間リソースの第２のサブセットとを含み、基準信号リソースは、時間リソースの第１のサブセットと時間リソースの第２のサブセットとにわたって非一様に分配される。
【０１５３】
[0165]ある場合には、基地局のセル識別と、同期信号バーストセット内の同期信号バーストインデックスと、同期信号バースト内の同期信号ブロックインデックスと、ワイヤレスリソースの第２のセット中で送信されるブロードキャストチャネル送信の冗長バージョンと、同期信号バースト、同期信号バーストセット、同期信号送信の周期性の構成とのうちの１つまたは複数、あるいはそれらの任意の組合せが、基準信号送信の基準信号シーケンスにマッピングされる。ある場合には、マッピングは、基準信号リソースのトーンロケーションと、基地局のセル識別、同期信号バーストセット内の同期信号バーストインデックス、同期信号バースト内の同期信号ブロックインデックス、ワイヤレスリソースの第２のセット中で送信されるブロードキャストチャネル送信の冗長バージョン、同期信号バースト、同期信号バーストセット、同期信号送信の周期性の構成のうちの１つまたは複数、あるいはそれらの任意の組合せとの間である。
【０１５４】
[0166]波形識別構成要素１４３５は、基準信号リソースのロケーションに基づいて基準信号送信の波形を決定し得る。ある場合には、時間リソースの第１のサブセットと時間リソースの第２のサブセットとの各々は、同じ基準信号波形を有する。ある場合には、基準信号波形は、Ｚａｄｏｆｆ−Ｃｈｕシーケンス、ｍシーケンス、またはそれのサイクリックシフトである。ある場合には、時間リソースの第１のサブセットと時間リソースの第２のサブセットとの中のトーンの第１のサブセットは、同じ基準信号波形を有し、時間リソースの第１のサブセット中のトーンの第２のサブセットと、時間リソースの第２のサブセット中のトーンの第３のサブセットとは、異なる基準信号波形を有する。ある場合には、時間リソースの第１のサブセットと時間リソースの第２のサブセットとは、異なる基準信号波形を有する。ある場合には、時間リソースの第１のサブセットと時間リソースの第２のサブセットとは、Ｚａｄｏｆｆ−Ｃｈｕシーケンス、ｍシーケンス、またはそれのサイクリックシフトなど、基準信号シーケンスの異なる部分を有する。
【０１５５】
[0167]送信機１４２０は、デバイスの他の構成要素によって生成された信号を送信し得る。いくつかの例では、送信機１４２０は、トランシーバモジュールにおいて受信機１４１０とコロケートされ得る。たとえば、送信機１４２０は、図１６を参照しながら説明されるトランシーバ１６３５の態様の一例であり得る。送信機１４２０は、単一のアンテナまたはアンテナのセットを利用し得る。
【０１５６】
[0168]図１５は、本開示の態様によるワイヤレス通信における基準信号方式をサポートする基地局同期信号ブロックマネージャ１５１５のブロック図１５００を示す。基地局同期信号ブロックマネージャ１５１５は、図１３、図１４、および図１６を参照しながら説明される基地局同期信号ブロックマネージャ１６１５の態様の一例であり得る。基地局同期信号ブロックマネージャ１５１５は、リソース識別マネージャ１５２０と、基準信号マネージャ１５２５と、波形識別構成要素１５３０と、トーン識別構成要素１５３５とを含み得る。これらのモジュールの各々は、直接または間接的に、（たとえば、１つまたは複数のバスを介して）互いと通信し得る。
【０１５７】
[0169]リソース識別マネージャ１５２０は、同期信号送信のためのワイヤレスリソースの第１のセットとブロードキャストチャネル送信のためのワイヤレスリソースの第２のセットとを構成すること、ワイヤレスリソースの第１のセットが、第１の帯域幅にわたる周波数リソースの第１のセットを含み、ワイヤレスリソースの第２のセットが、第１の帯域幅の少なくとも一部分と重複する第２の帯域幅にわたる周波数リソースの第２のセットを含む、を行い得、同期信号送信のためのワイヤレスリソースの第１のセットとブロードキャストチャネル送信のためのワイヤレスリソースの第２のセットとを構成すること、ワイヤレスリソースの第２のセットが、時間リソースの第１のサブセットおよび時間リソースの第２のサブセットを含む、を行い得る。ある場合には、ワイヤレスリソースの第２のセットはＰＢＣＨリソースを含み、ワイヤレスリソースの第１のセットは同期信号リソースを含む。ある場合には、ＰＢＣＨリソースは、時間リソースの第１のシンボルと時間リソースの第３のシンボルとを含み、同期信号リソースは、時間リソースの第２のシンボルと時間リソースの第４のシンボルとを含み、時間リソースの第２のシンボルは、時間リソースの第１のシンボルと時間リソースの第３のシンボルとの間に位置し、時間リソースの第４のシンボルは、時間リソースの第３のシンボルの後に位置する。ある場合には、時間リソースの第２のシンボルは２次同期信号の送信のためであり、時間リソースの第４のシンボルは１次同期信号の送信のためである。ある場合には、ワイヤレスリソースの第２のセットはＰＢＣＨリソースを含み、ワイヤレスリソースの第１のセットは同期信号リソースを含む。ある場合には、第２の帯域幅は第１の帯域幅よりも大きい。ある場合には、基地局は、周波数リソースの第２のセットにわたって非一様に分配された基準信号リソースを構成し得る。
【０１５８】
[0170]基準信号マネージャ１５２５は、ワイヤレスリソースの第２のセット内で基準信号リソースを構成し得、基準信号リソースのロケーションは、第１の帯域幅に対するワイヤレスリソースの第２のセット内の時間リソースロケーションまたはワイヤレスリソースの第２のセット内の周波数リソースロケーションのうちの１つまたは複数に基づく。ある場合には、基準信号送信はＤＭＲＳ送信を含む。ある場合には、基準信号リソースのロケーションを構成することは、周波数リソースの第２のセットにわたって非一様に分配された基準信号リソースを構成することを含む。ある場合には、周波数リソースの第２のセットは、第１の帯域幅と重複している周波数リソースの第１のサブセットと、第１の帯域幅と重複していない周波数リソースの第２のサブセットとを含み、周波数リソースの第２のサブセットは、周波数リソースの第１のサブセットよりも基準信号リソースの高い密度を有する。ある場合には、周波数リソースの第１のサブセットは基準信号リソースがない。ある場合には、ワイヤレスリソースの第２のセットは、時間リソースの第１のサブセットと時間リソースの第２のサブセットとを含み、基準信号リソースは、時間リソースの第１のサブセットと時間リソースの第２のサブセットとにわたって非一様に分配される。
【０１５９】
[0171]ある場合には、基地局のセル識別と、同期信号バーストセット内の同期信号バーストインデックスと、同期信号バースト内の同期信号ブロックインデックスと、ワイヤレスリソースの第２のセット中で送信されるブロードキャストチャネル送信の冗長バージョンと、同期信号バースト、同期信号バーストセット、同期信号送信の周期性の構成とのうちの１つまたは複数、あるいはそれらの任意の組合せが、基準信号送信の基準信号シーケンスにマッピングされる。ある場合には、マッピングは、基準信号リソースのトーンロケーションと、基地局のセル識別、同期信号バーストセット内の同期信号バーストインデックス、同期信号バースト内の同期信号ブロックインデックス、ワイヤレスリソースの第２のセット中で送信されるブロードキャストチャネル送信の冗長バージョン、同期信号バースト、同期信号バーストセット、同期信号送信の周期性の構成のうちの１つまたは複数、あるいはそれらの任意の組合せとの間である。
【０１６０】
[0172]波形識別構成要素は、基準信号リソースのロケーションに基づいて基準信号送信の波形を決定し得る。ある場合には、時間リソースの第１のサブセットと時間リソースの第２のサブセットとの各々は、同じ基準信号波形を有する。ある場合には、基準信号波形は、Ｚａｄｏｆｆ−Ｃｈｕシーケンス、ｍシーケンス、またはそれのサイクリックシフトである。ある場合には、時間リソースの第１のサブセットと時間リソースの第２のサブセットとの中のトーンの第１のサブセットは、同じ基準信号波形を有し、時間リソースの第１のサブセット中のトーンの第２のサブセットと、時間リソースの第２のサブセット中のトーンの第３のサブセットとは、異なる基準信号波形を有する。ある場合には、時間リソースの第１のサブセットと時間リソースの第２のサブセットとは、異なる基準信号波形を有する。ある場合には、時間リソースの第１のサブセットと時間リソースの第２のサブセットとは、Ｚａｄｏｆｆ−Ｃｈｕシーケンス、ｍシーケンス、またはそれのサイクリックシフトなど、基準信号シーケンスの異なる部分を有する。
【０１６１】
[0173]トーン識別構成要素１５３５は、ある場合には、基準信号リソースのトーンを識別し得る。ある場合には、時間リソースの第１のサブセット内の基準信号リソースは、時間リソースの第１のサブセット内のトーンの第１のサブセットを含み、時間リソースの第２のサブセット内の基準信号リソースである時間リソースの第２のサブセット内のトーンの第２のサブセットを決定するために、トーンの第１のサブセットにホッピングパターンが適用される。ある場合には、ワイヤレスリソースの第２のセットは、時間リソースの第１のサブセットと時間リソースの第２のサブセットとを含み、時間リソースの第１のサブセットと時間リソースの第２のサブセットとの内の基準信号リソースの少なくとも一部分は、共通の周波数トーンを占有する。ある場合には、基準信号リソースのロケーションは、ワイヤレスリソースの第２のセット内の指定されたトーンインデックスである。
【０１６２】
[0174]図１６は、本開示の態様によるワイヤレス通信における基準信号方式をサポートするデバイス１６０５を含むシステム１６００の図を示す。デバイス１６０５は、たとえば、図１を参照しながら、上記で説明された基地局１０５の構成要素の一例であるか、またはそれを含み得る。デバイス１６０５は、基地局同期信号ブロックマネージャ１６１５と、プロセッサ１６２０と、メモリ１６２５と、ソフトウェア１６３０と、トランシーバ１６３５と、アンテナ１６４０と、ネットワーク通信マネージャ１６４５と、局間通信マネージャ１６５０とを含む、通信を送信および受信するための構成要素を含む双方向音声およびデータ通信のための構成要素を含み得る。これらの構成要素は、１つまたは複数のバス（たとえば、バス１６１０）を介して電子通信していることがある。デバイス１６０５は、１つまたは複数のＵＥ１１５とワイヤレス通信し得る。
【０１６３】
[0175]プロセッサ１６２０は、インテリジェントハードウェアデバイス（たとえば、汎用プロセッサ、ＤＳＰ、ＣＰＵ、マイクロコントローラ、ＡＳＩＣ、ＦＰＧＡ、プログラマブル論理デバイス、個別ゲートまたはトランジスタ論理構成要素、個別ハードウェア構成要素、あるいはそれらの任意の組合せ）を含み得る。ある場合には、プロセッサ１６２０は、メモリコントローラを使用してメモリアレイを動作させるように構成され得る。他の場合には、メモリコントローラはプロセッサ１６２０に組み込まれ得る。プロセッサ１６２０は、様々な機能（たとえば、ワイヤレス通信における基準信号方式をサポートする機能またはタスク）を実施するためにメモリに記憶されたコンピュータ可読命令を実行するように構成され得る。
【０１６４】
[0176]メモリ１６２５は、ＲＡＭとＲＯＭとを含み得る。メモリ１６２５は、実行されたとき、本明細書で説明される様々な機能をプロセッサに実施させる命令を含むコンピュータ可読、コンピュータ実行可能ソフトウェア１６３０を記憶し得る。ある場合には、メモリ１６２５は、特に、周辺構成要素またはデバイスとの相互作用など、基本的なハードウェアおよび／またはソフトウェア動作を制御し得るＢＩＯＳを含んでいることがある。
【０１６５】
[0177]ソフトウェア１６３０は、ワイヤレス通信における基準信号方式をサポートするためのコードを含む、本開示の態様を実装するためのコードを含み得る。ソフトウェア１６３０は、システムメモリまたは他のメモリなどの非一時的コンピュータ可読媒体に記憶され得る。ある場合には、ソフトウェア１６３０は、プロセッサによって直接的に実行可能でないことがあるが、（たとえば、コンパイルされ実行されたとき）本明細書で説明される機能をコンピュータに実施させ得る。
【０１６６】
[0178]トランシーバ１６３５は、上記で説明されたように、１つまたは複数のアンテナ、ワイヤードリンク、またはワイヤレスリンクを介して、双方向に通信し得る。たとえば、トランシーバ１６３５は、ワイヤレストランシーバを表すことがあり、別のワイヤレストランシーバと双方向に通信し得る。トランシーバ１６３５はまた、パケットを変調し、変調されたパケットを送信のためにアンテナに与えるための、およびアンテナから受信されたパケットを復調するためのモデムを含み得る。
【０１６７】
[0179]ある場合には、ワイヤレスデバイスは単一のアンテナ１６４０を含み得る。しかしながら、ある場合には、デバイスは、複数のワイヤレス送信を同時に送信または受信することが可能であり得る２つ以上のアンテナ１６４０を有し得る。
【０１６８】
[0180]ネットワーク通信マネージャ１６４５は、（たとえば、１つまたは複数のワイヤードバックホールリンクを介して）コアネットワークとの通信を管理し得る。たとえば、ネットワーク通信マネージャ１６４５は、１つまたは複数のＵＥ１１５など、クライアントデバイスのためのデータ通信の転送を管理し得る。
【０１６９】
[0181]局間通信マネージャ１６５０は、他の基地局１０５との通信を管理し得、他の基地局１０５と協働してＵＥ１１５との通信を制御するためのコントローラまたはスケジューラを含み得る。たとえば、局間通信マネージャ１６５０は、ビームフォーミングまたはジョイント送信などの様々な干渉緩和技法のためのＵＥ１１５への送信のためのスケジューリングを協調させ得る。いくつかの例では、局間通信マネージャ１６５０は、基地局１０５間の通信を行うために、ロングタームエボリューション（ＬＴＥ）／ＬＴＥ−Ａワイヤレス通信ネットワーク技術内のＸ２インターフェースを与え得る。
【０１７０】
[0182]図１７は、本開示の態様によるワイヤレス通信における基準信号方式のための方法１７００を示すフローチャートを示す。方法１７００の動作は、本明細書で説明されるようにＵＥ１１５またはそれの構成要素によって実装され得る。たとえば、方法１７００の動作は、図９〜図１２を参照しながら説明されたようにＵＥ同期信号ブロックマネージャによって実施され得る。いくつかの例では、ＵＥ１１５は、以下で説明される機能を実施するようにデバイスの機能要素を制御するためのコードのセットを実行し得る。追加または代替として、ＵＥ１１５は、専用ハードウェアを使用して、以下で説明される機能の態様を実施し得る。
【０１７１】
[0183]ブロック１７０５において、ＵＥ１１５は、同期信号送信のためのワイヤレスリソースの第１のセットとブロードキャストチャネル送信のためのワイヤレスリソースの第２のセットとを識別し得、ワイヤレスリソースの第１のセットは、第１の帯域幅にわたる周波数リソースの第１のセットを備え、ワイヤレスリソースの第２のセットは、第１の帯域幅の少なくとも一部分と重複する第２の帯域幅にわたる周波数リソースの第２のセットを備える。ブロック１７０５の動作は、本明細書で説明される方法に従って実施され得る。いくつかの例では、ブロック１７０５の動作の態様は、図９〜図１２を参照しながら説明されたようにリソース識別マネージャによって実施され得る。
【０１７２】
[0184]ブロック１７１０において、ＵＥ１１５は、第１の帯域幅に対するワイヤレスリソースの第２のセット内の時間リソースロケーションまたはワイヤレスリソースの第２のセット内の周波数リソースロケーションのうちの１つまたは複数に少なくとも部分的に基づいて、ワイヤレスリソースの第２のセット内で基準信号リソースのロケーションを識別し得る。ブロック１７１０の動作は、本明細書で説明される方法に従って実施され得る。いくつかの例では、ブロック１７１０の動作の態様は、図９〜図１２を参照しながら説明されたように基準信号マネージャによって実施され得る。
【０１７３】
[0185]ブロック１７１５において、ＵＥ１１５は、基準信号リソースを使用して基準信号送信を受信し得る。ブロック１７１５の動作は、本明細書で説明される方法に従って実施され得る。いくつかの例では、ブロック１７１５の動作の態様は、図９〜図１２を参照しながら説明されたように基準信号マネージャによって実施され得る。
【０１７４】
[0186]図１８は、本開示の態様によるワイヤレス通信における基準信号方式のための方法１８００を示すフローチャートを示す。方法１８００の動作は、本明細書で説明されるようにＵＥ１１５またはそれの構成要素によって実装され得る。たとえば、方法１８００の動作は、図９〜図１２を参照しながら説明されたようにＵＥ同期信号ブロックマネージャによって実施され得る。いくつかの例では、ＵＥ１１５は、以下で説明される機能を実施するようにデバイスの機能要素を制御するためのコードのセットを実行し得る。追加または代替として、ＵＥ１１５は、専用ハードウェアを使用して、以下で説明される機能の態様を実施し得る。
【０１７５】
[0187]ブロック１８０５において、ＵＥ１１５は、同期信号送信のためのワイヤレスリソースの第１のセットとブロードキャストチャネル送信のためのワイヤレスリソースの第２のセットとを識別し得、ワイヤレスリソースの第２のセットは、時間リソースの第１のサブセットと時間リソースの第２のサブセットとを備える。ブロック１８０５の動作は、本明細書で説明される方法に従って実施され得る。いくつかの例では、ブロック１８０５の動作の態様は、図９〜図１２を参照しながら説明されたようにリソース識別マネージャによって実施され得る。
【０１７６】
[0188]ブロック１８１０において、ＵＥ１１５は、時間リソースの第１のサブセットと時間リソースの第２のサブセットとの内で基準信号リソースのロケーションを識別し得る。ブロック１８１０の動作は、本明細書で説明される方法に従って実施され得る。いくつかの例では、ブロック１８１０の動作の態様は、図９〜図１２を参照しながら説明されたように基準信号マネージャによって実施され得る。
【０１７７】
[0189]ブロック１８１５において、ＵＥ１１５は、基準信号リソースを介して基準信号送信を受信し得る。ブロック１８１５の動作は、本明細書で説明される方法に従って実施され得る。いくつかの例では、ブロック１８１５の動作の態様は、図９〜図１２を参照しながら説明されたように基準信号マネージャによって実施され得る。
【０１７８】
[0190]ブロック１８２０において、ＵＥ１１５は、基準信号リソースのロケーションに少なくとも部分的に基づいて基準信号送信の波形を決定し得る。ブロック１８２０の動作は、本明細書で説明される方法に従って実施され得る。いくつかの例では、ブロック１８２０の動作の態様は、図９〜図１２を参照しながら説明されたように波形識別構成要素によって実施され得る。
【０１７９】
[0191]ブロック１８２５において、ＵＥ１１５は、受信された基準信号送信と基準信号送信の決定された波形とに少なくとも部分的に基づいてチャネル推定を実施し得る。ブロック１８２５の動作は、本明細書で説明される方法に従って実施され得る。いくつかの例では、ブロック１８２５の動作の態様は、図９〜図１２を参照しながら説明されたようにチャネル推定構成要素によって実施され得る。
【０１８０】
[0192]図１９は、本開示の態様によるワイヤレス通信における基準信号方式のための方法１９００を示すフローチャートを示す。方法１９００の動作は、本明細書で説明されるようにＵＥ１１５またはそれの構成要素によって実装され得る。たとえば、方法１９００の動作は、図９〜図１２を参照しながら説明されたようにＵＥ同期信号ブロックマネージャによって実施され得る。いくつかの例では、ＵＥ１１５は、以下で説明される機能を実施するようにデバイスの機能要素を制御するためのコードのセットを実行し得る。追加または代替として、ＵＥ１１５は、専用ハードウェアを使用して、以下で説明される機能の態様を実施し得る。
【０１８１】
[0193]ブロック１９０５において、ＵＥ１１５は、同期信号送信のためのワイヤレスリソースの第１のセットと、ブロードキャストチャネル送信のためのワイヤレスリソースの第２のセットとを識別し得る。ブロック１９０５の動作は、本明細書で説明される方法に従って実施され得る。いくつかの例では、ブロック１９０５の動作の態様は、図９〜図１２を参照しながら説明されたようにリソース識別マネージャによって実施され得る。
【０１８２】
[0194]ブロック１９１０において、ＵＥ１１５は、ワイヤレスリソースの第２のセット内で基準信号リソースのロケーションを識別し得る。ブロック１９１０の動作は、本明細書で説明される方法に従って実施され得る。いくつかの例では、ブロック１９１０の動作の態様は、図９〜図１２を参照しながら説明されたように基準信号マネージャによって実施され得る。
【０１８３】
[0195]ブロック１９１５において、ＵＥ１１５は、基準信号リソースを介して基準信号送信を受信し得る。ブロック１９１５の動作は、本明細書で説明される方法に従って実施され得る。いくつかの例では、ブロック１９１５の動作の態様は、図９〜図１２を参照しながら説明されたように基準信号マネージャによって実施され得る。
【０１８４】
[0196]ブロック１９２０において、ＵＥ１１５は、受信された基準信号送信に少なくとも部分的に基づいて送信機識別、タイミング情報、または同期信号送信構成のうちの１つまたは複数を決定し得る。ブロック１９２０の動作は、本明細書で説明される方法に従って実施され得る。いくつかの例では、ブロック１９２０の動作の態様は、図９〜図１２を参照しながら説明されたように基準信号マネージャによって実施され得る。
【０１８５】
[0197]図２０は、本開示の態様によるワイヤレス通信における基準信号方式のための方法２０００を示すフローチャートを示す。方法２０００の動作は、本明細書で説明されるように基地局１０５またはそれの構成要素によって実装され得る。たとえば、方法２０００の動作は、図１３〜図１６を参照しながら説明されたように基地局同期信号ブロックマネージャによって実施され得る。いくつかの例では、基地局１０５は、以下で説明される機能を実施するようにデバイスの機能要素を制御するためのコードのセットを実行し得る。追加または代替として、基地局１０５は、専用ハードウェアを使用して、以下で説明される機能の態様を実施し得る。
【０１８６】
[0198]ブロック２００５において、基地局１０５は、同期信号送信のためのワイヤレスリソースの第１のセットとブロードキャストチャネル送信のためのワイヤレスリソースの第２のセットとを構成し得、ワイヤレスリソースの第１のセットは、第１の帯域幅にわたる周波数リソースの第１のセットを備え、ワイヤレスリソースの第２のセットは、第１の帯域幅の少なくとも一部分と重複する第２の帯域幅にわたる周波数リソースの第２のセットを備える。ブロック２００５の動作は、本明細書で説明される方法に従って実施され得る。いくつかの例では、ブロック２００５の動作の態様は、図１３〜図１６を参照しながら説明されたようにリソース識別マネージャによって実施され得る。
【０１８７】
[0199]ブロック２０１０において、基地局１０５は、ワイヤレスリソースの第２のセット内で基準信号リソースを構成し得、基準信号リソースのロケーションは、第１の帯域幅に対するワイヤレスリソースの第２のセット内の時間リソースロケーションまたはワイヤレスリソースの第２のセット内の周波数リソースロケーションのうちの１つまたは複数に少なくとも部分的に基づく。ブロック２０１０の動作は、本明細書で説明される方法に従って実施され得る。いくつかの例では、ブロック２０１０の動作の態様は、図１３〜図１６を参照しながら説明されたように基準信号マネージャによって実施され得る。
【０１８８】
[0200]ブロック２０１５において、基地局１０５は、基準信号リソースを使用して基準信号送信を、およびワイヤレスリソースの第１のセットを使用して同期信号送信を送信し得る。ブロック２０１５の動作は、本明細書で説明される方法に従って実施され得る。いくつかの例では、ブロック２０１５の動作の態様は、図１３〜図１６を参照しながら説明されたように基準信号マネージャによって実施され得る。
【０１８９】
[0201]図２１は、本開示の態様によるワイヤレス通信における基準信号方式のための方法２１００を示すフローチャートを示す。方法２１００の動作は、本明細書で説明されるように基地局１０５またはそれの構成要素によって実装され得る。たとえば、方法２１００の動作は、図１３〜図１６を参照しながら説明されたように基地局同期信号ブロックマネージャによって実施され得る。いくつかの例では、基地局１０５は、以下で説明される機能を実施するようにデバイスの機能要素を制御するためのコードのセットを実行し得る。追加または代替として、基地局１０５は、専用ハードウェアを使用して、以下で説明される機能の態様を実施し得る。
【０１９０】
[0202]ブロック２１０５において、基地局１０５は、同期信号送信のためのワイヤレスリソースの第１のセットとブロードキャストチャネル送信のためのワイヤレスリソースの第２のセットとを構成し得、ワイヤレスリソースの第２のセットは、時間リソースの第１のサブセットと時間リソースの第２のサブセットとを備える。ブロック２１０５の動作は、本明細書で説明される方法に従って実施され得る。いくつかの例では、ブロック２１０５の動作の態様は、図１３〜図１６を参照しながら説明されたようにリソース識別マネージャによって実施され得る。
【０１９１】
[0203]ブロック２１１０において、基地局１０５は、時間リソースの第１のサブセットと時間リソースの第２のサブセットとの内で基準信号リソースのロケーションを構成し得る。ブロック２１１０の動作は、本明細書で説明される方法に従って実施され得る。いくつかの例では、ブロック２１１０の動作の態様は、図１３〜図１６を参照しながら説明されたように基準信号マネージャによって実施され得る。
【０１９２】
[0204]ブロック２１１５において、基地局１０５は、基準信号リソースのロケーションに少なくとも部分的に基づいて基準信号送信の波形を決定し得る。ブロック２１１５の動作は、本明細書で説明される方法に従って実施され得る。いくつかの例では、ブロック２１１５の動作の態様は、図１３〜図１６を参照しながら説明されたように波形識別構成要素によって実施され得る。
【０１９３】
[0205]ブロック２１２０において、基地局１０５は、基準信号リソースを介して基準信号を送信し得る。ブロック２１２０の動作は、本明細書で説明される方法に従って実施され得る。いくつかの例では、ブロック２１２０の動作の態様は、図１３〜図１６を参照しながら説明されたように基準信号マネージャによって実施され得る。
【０１９４】
[0206]図２２は、本開示の態様によるワイヤレス通信における基準信号方式のための方法２２００を示すフローチャートを示す。方法２２００の動作は、本明細書で説明されるように基地局１０５またはそれの構成要素によって実装され得る。たとえば、方法２２００の動作は、図１３〜図１６を参照しながら説明されたように基地局同期信号ブロックマネージャによって実施され得る。いくつかの例では、基地局１０５は、以下で説明される機能を実施するようにデバイスの機能要素を制御するためのコードのセットを実行し得る。追加または代替として、基地局１０５は、専用ハードウェアを使用して、以下で説明される機能の態様を実施し得る。
【０１９５】
[0207]ブロック２２０５において、基地局１０５は、同期信号送信のためのワイヤレスリソースの第１のセットと、ブロードキャストチャネル送信のためのワイヤレスリソースの第２のセットとを構成し得る。ブロック２２０５の動作は、本明細書で説明される方法に従って実施され得る。いくつかの例では、ブロック２２０５の動作の態様は、図１３〜図１６を参照しながら説明されたようにリソース識別マネージャによって実施され得る。
【０１９６】
[0208]ブロック２２１０において、基地局１０５は、ワイヤレスリソースの第２のセット内で基準信号リソースのロケーションを構成し得る。ブロック２２１０の動作は、本明細書で説明される方法に従って実施され得る。いくつかの例では、ブロック２２１０の動作の態様は、図１３〜図１６を参照しながら説明されたように基準信号マネージャによって実施され得る。
【０１９７】
[0209]ブロック２２１５において、基地局１０５は、基準信号リソースを介して基準信号送信を送信し得、ここにおいて、基準信号送信、基準信号リソースのロケーション、またはそれらの任意の組合せは、送信機識別、タイミング情報、または同期信号送信構成のうちの１つまたは複数の指示を提供する。ブロック２２１５の動作は、本明細書で説明される方法に従って実施され得る。いくつかの例では、ブロック２２１５の動作の態様は、図１３〜図１６を参照しながら説明されたように基準信号マネージャによって実施され得る。
【０１９８】
[0210]上記で説明された方法は、可能な実装形態について説明していることと、動作およびステップは、並べ替えられるかまたは場合によっては変更され得ることと、他の実装形態が可能であることとに留意されたい。さらに、本方法のうちの２つ以上からの態様が組み合わされ得る。
【０１９９】
[0211]本明細書で説明される技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなど、様々なワイヤレス通信システムのために使用され得る。「システム」および「ネットワーク」という用語は、しばしば互換的に使用される。符号分割多元接続（ＣＤＭＡ）システムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリースは、一般にＣＤＭＡ２０００  １Ｘ、１Ｘなどと呼ばれることがある。ＩＳ−８５６（ＴＩＡ−８５６）は、一般にＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））とＣＤＭＡの他の変形態とを含む。ＴＤＭＡシステムは、モバイル通信用グローバルシステム（ＧＳＭ（登録商標））などの無線技術を実装し得る。
【０２００】
[0212]ＯＦＤＭＡシステムは、ウルトラモバイルブロードバンド（ＵＭＢ）、発展型ＵＴＲＡ（Ｅ−ＵＴＲＡ）、米国電気電子技術者協会（ＩＥＥＥ）８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションズシステム（ＵＭＴＳ）の一部である。ＬＴＥおよびＬＴＥ−Ａは、Ｅ−ＵＴＲＡを使用するＵＭＴＳのリリースである。ＵＴＲＡ、Ｅ−ＵＴＲＡ、ＵＭＴＳ、ＬＴＥ、ＬＴＥ−Ａ、ＮＲ、およびＧＳＭは、「第３世代パートナーシッププロジェクト」（３ＧＰＰ（登録商標））と称する団体からの文書に記載されている。ＣＤＭＡ２０００およびＵＭＢは、「第３世代パートナーシッププロジェクト２」（３ＧＰＰ２）と称する団体からの文書に記載されている。本明細書で説明される技法は、上記のシステムおよび無線技術、ならびに他のシステムおよび無線技術に使用され得る。例としてＬＴＥまたはＮＲシステムの態様について説明されることがあり、説明の大部分においてＬＴＥまたはＮＲ用語が使用され得るが、本明細書で説明される技法は、ＬＴＥまたはＮＲ適用例を越えて適用可能である。
【０２０１】
[0213]本明細書で説明されるそのようなネットワークを含む、ＬＴＥ／ＬＴＥ−Ａネットワークでは、発展型ノードＢ（ｅＮＢ）という用語は、概して、基地局を表すために使用され得る。本明細書で説明される１つまたは複数のワイヤレス通信システムは、異なるタイプのｅＮＢが様々な地理的領域にカバレッジを与える、異種ＬＴＥ／ＬＴＥ−ＡまたはＮＲネットワークを含み得る。たとえば、各ｅＮＢ、次世代ノードＢ（ｇＮＢ）、または基地局は、マクロセル、スモールセル、または他のタイプのセルに通信カバレッジを与え得る。「セル」という用語は、コンテキストに応じて、基地局、基地局に関連するキャリアまたはコンポーネントキャリア、あるいはキャリアまたは基地局のカバレッジエリア（たとえば、セクタなど）を表すために使用され得る。
【０２０２】
[0214]基地局は、基地トランシーバ局、無線基地局、アクセスポイント、無線トランシーバ、ノードＢ、ｅノードＢ（ｅＮＢ）、ｇＮＢ、ホームノードＢ、ホームｅノードＢ、または何らかの他の好適な用語を含み得るか、またはそのように当業者によって呼ばれることがある。基地局のための地理的カバレッジエリアは、カバレッジエリアの一部分のみを構成するセクタに分割され得る。本明細書で説明される１つまたは複数のワイヤレス通信システムは、異なるタイプの基地局（たとえば、マクロセル基地局またはスモールセル基地局）を含み得る。本明細書で説明されるＵＥは、マクロｅＮＢ、スモールセルｅＮＢ、ｇＮＢ、リレー基地局などを含む様々なタイプの基地局およびネットワーク機器と通信することが可能であり得る。異なる技術のための重複する地理的カバレッジエリアがあり得る。
【０２０３】
[0215]マクロセルは、概して、比較的大きい地理的エリア（たとえば、半径数キロメートル）をカバーし、ネットワークプロバイダのサービスに加入しているＵＥによる無制限アクセスを可能にし得る。スモールセルは、マクロセルと同じまたは異なる（たとえば、認可、無認可などの）周波数帯域で動作し得る、マクロセルと比較して低電力の基地局である。スモールセルは、様々な例によれば、ピコセルと、フェムトセルと、マイクロセルとを含み得る。ピコセルは、たとえば、小さい地理的エリアをカバーし得、ネットワークプロバイダのサービスに加入しているＵＥによる無制限アクセスを可能にし得る。フェムトセルは、小さい地理的エリア（たとえば、自宅）を同じくカバーし得、フェムトセルとの関連を有するＵＥ（たとえば、限定加入者グループ（ＣＳＧ）中のＵＥ、自宅内のユーザのためのＵＥなど）による制限付きアクセスを与え得る。マクロセルのためのｅＮＢは、マクロｅＮＢと呼ばれることがある。スモールセルのためのｅＮＢは、スモールセルｅＮＢ、ピコｅＮＢ、フェムトｅＮＢ、またはホームｅＮＢと呼ばれることがある。ｅＮＢは、１つまたは複数の（たとえば、２つ、３つ、４つなどの）セル（たとえば、コンポーネントキャリア）をサポートし得る。
【０２０４】
[0216]本明細書で説明される１つまたは複数のワイヤレス通信システムは、同期動作または非同期動作をサポートし得る。同期動作の場合、基地局は、同様のフレームタイミングを有し得、異なる基地局からの送信は、近似的に時間的に整合され得る。非同期動作の場合、基地局は、異なるフレームタイミングを有し得、異なる基地局からの送信は、時間的に整合されないことがある。本明細書で説明される技法は、同期動作または非同期動作のいずれかのために使用され得る。
【０２０５】
[0217]本明細書で説明されるダウンリンク送信は順方向リンク送信と呼ばれることもあり、アップリンク送信は逆方向リンク送信と呼ばれることもある。たとえば、図１および図２のワイヤレス通信システム１００および２００を含む、本明細書で説明される各通信リンクは、１つまたは複数のキャリアを含むことがあり、ここで、各キャリアは、複数のサブキャリアからなる信号（たとえば、異なる周波数の波形信号）であり得る。
【０２０６】
[0218]添付の図面に関して本明細書に記載される説明は、例示的な構成について説明しており、実装され得るまたは特許請求の範囲内に入るすべての例を表すとは限らない。本明細書で使用される「例示的」という用語は、「例、事例、または例示として働くこと」を意味し、「好ましい」または「他の例よりも有利な」を意味しない。詳細な説明は、説明される技法の理解を与えるための具体的な詳細を含む。ただし、これらの技法は、これらの具体的な詳細なしに実践され得る。いくつかの事例では、説明される例の概念を不明瞭にすることを回避するために、よく知られている構造およびデバイスはブロック図の形式で示される。
【０２０７】
[0219]添付の図では、同様の構成要素または特徴は同じ参照ラベルを有し得る。さらに、同じタイプの様々な構成要素は、参照ラベルの後に、ダッシュと、同様の構成要素の間を区別する第２のラベルとを続けることによって区別され得る。第１の参照ラベルのみが本明細書において使用される場合、その説明は、第２の参照ラベルにかかわらず、同じ第１の参照ラベルを有する同様の構成要素のうちのいずれにも適用可能である。
【０２０８】
[0220]本明細書で説明される情報および信号は、多種多様な技術および技法のいずれかを使用して表され得る。たとえば、上記の説明全体にわたって参照され得るデータ、命令、コマンド、情報、信号、ビット、シンボル、およびチップは、電圧、電流、電磁波、磁場もしくは磁気粒子、光場または光粒子、あるいはそれらの任意の組合せによって表され得る。
【０２０９】
[0221]本明細書の開示に関して説明される様々な例示的なブロックおよびモジュールは、汎用プロセッサ、ＤＳＰ、ＡＳＩＣ、ＦＰＧＡまたは他のプログラマブル論理デバイス、個別ゲートまたはトランジスタ論理、個別ハードウェア構成要素、あるいは本明細書で説明される機能を実施するように設計されたそれらの任意の組合せを用いて実装または実施され得る。汎用プロセッサはマイクロプロセッサであり得るが、代替として、プロセッサは、任意の従来のプロセッサ、コントローラ、マイクロコントローラ、またはステートマシンであり得る。プロセッサは、コンピューティングデバイスの組合せ（たとえば、ＤＳＰとマイクロプロセッサとの組合せ、複数のマイクロプロセッサ、ＤＳＰコアと連携する１つまたは複数のマイクロプロセッサ、あるいは任意の他のそのような構成）としても実装され得る。
【０２１０】
[0222]本明細書で説明される機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとして、コンピュータ可読媒体上に記憶されるか、またはコンピュータ可読媒体を介して送信され得る。他の例および実装形態は、本開示の範囲内および添付の特許請求の範囲内にある。たとえば、ソフトウェアの性質により、上記で説明される機能は、プロセッサによって実行されるソフトウェア、ハードウェア、ファームウェア、ハードワイヤリング、またはこれらのうちのいずれかの組合せを使用して実装され得る。機能を実装する特徴はまた、機能の部分が異なる物理的ロケーションにおいて実装されるように分散されることを含めて、様々な位置に物理的に配置され得る。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、Ａ、Ｂ、またはＣのうちの少なくとも１つの列挙が、ＡまたはＢまたはＣまたはＡＢまたはＡＣまたはＢＣまたはＡＢＣ（すなわち、ＡおよびＢおよびＣ）を意味するような包括的列挙を示す。また、本明細書で使用される場合、「に基づいて」という句は、条件の閉集合への参照として解釈されないものとする。たとえば、「条件Ａに基づいて」と記述された例示的なステップは、本開示の範囲から逸脱することなく条件Ａと条件Ｂとの両方に基づき得る。言い換えれば、本明細書で使用される場合、「に基づいて」という句は、「に少なくとも部分的に基づいて」という句と同様に解釈されたい。
【０２１１】
[0223]コンピュータ可読媒体は、ある場所から別の場所へのコンピュータプログラムの転送を容易にする任意の媒体を含む、非一時的コンピュータ記憶媒体と通信媒体の両方を含む。非一時的記憶媒体は、汎用コンピュータまたは専用コンピュータによってアクセスされ得る任意の利用可能な媒体であり得る。限定ではなく例として、非一時的コンピュータ可読媒体は、ＲＡＭ、ＲＯＭ、電気的消去可能プログラマブル読取り専用メモリ（ＥＥＰＲＯＭ（登録商標））、コンパクトディスク（ＣＤ）ＲＯＭまたは他の光ディスクストレージ、磁気ディスクストレージまたは他の磁気ストレージデバイス、あるいは命令またはデータ構造の形態で所望のプログラムコード手段を搬送または記憶するために使用され得、汎用もしくは専用コンピュータまたは汎用もしくは専用プロセッサによってアクセスされ得る任意の他の非一時的媒体を備え得る。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用してウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０２１２】
[0224]本明細書の説明は、当業者が本開示を作成または使用することができるように与えられたものである。本開示への様々な変更は当業者には容易に明らかとなり、本明細書で定義された一般原理は、本開示の範囲から逸脱することなく他の変形形態に適用され得る。したがって、本開示は、本明細書で説明された例および設計に限定されず、本明細書で開示される原理および新規の特徴に合致する最も広い範囲を与えられるべきである。
【図１】
2020517163.tif 000003
【図２】
2020517163.tif 000004
【図３】
2020517163.tif 000005
【図４】
2020517163.tif 000006
【図５】
2020517163.tif 000007
【図６】
2020517163.tif 000008
【図７】
2020517163.tif 000009
【図８】
2020517163.tif 000010
【図９】
2020517163.tif 000011
【図１０】
2020517163.tif 000012
【図１１】
2020517163.tif 000013
【図１２】
2020517163.tif 000014
【図１３】
2020517163.tif 000015
【図１４】
2020517163.tif 000016
【図１５】
2020517163.tif 000017
【図１６】
2020517163.tif 000018
【図１７】
2020517163.tif 000019
【図１８】
2020517163.tif 000020
【図１９】
2020517163.tif 000021
【図２０】
2020517163.tif 000022
【図２１】
2020517163.tif 000023
【図２２】
2020517163.tif 000024
【国際調査報告】
2020517163.tif 000025
2020517163.tif 000026
2020517163.tif 000027
2020517163.tif 000028